(57)【要約】  少なくとも片面に情報記録面を有するディスクの一部を収納する空間をそれぞれ有し、互いに接合させることにより、ディスク全体を収納する第１および第２のディスク収納部と、前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、前記第１および第２のディスク収納部が閉塞した状態において、前記第１および第２のディスク収納部の回転をそれぞれ防止する第１および第２のロックレバー部、および、前記第１および第２のロックレバー部を回動自在に支持し、前記支持ベース部材に取り付けられるロックレバー支持部を含むロックユニットとを備え、前記支持ベース部材は、前記ロックユニットを挿入可能な挿入口を有しており、前記ロックユニットを前記挿入口から前記支持ベース部材に挿入しない状態では、前記第１および第２のディスク収納部は、前記ディスクの取り出しが可能な回転角度まで前記開口を開放し、前記ロックレバー支持部を前記挿入口から前記支持ベース部材に挿入した状態では、前記第１および第２のディスク収納部は、ロックユニットと当接することにより回転角度が制限され、前記ディスクが取り出せないように開口の大きさを制限するディスクカートリッジ。
2008044743.tif 000002
【特許請求の範囲】
【請求項１】
少なくとも片面に情報記録面を有するディスクの一部を収納する空間をそれぞれ有し、互いに接合させることにより、ディスク全体を収納する第１および第２のディスク収納部と、
前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、
前記第１および第２のディスク収納部が閉塞した状態において、前記第１および第２のディスク収納部の回転をそれぞれ防止する第１および第２のロックレバー部、および、前記第１および第２のロックレバー部を回動自在に支持し、前記支持ベース部材に取り付けられるロックレバー支持部を含むロックユニットと、
を備え、
前記支持ベース部材は、前記ロックユニットを挿入可能な挿入口を有しており、
前記ロックユニットを前記挿入口から前記支持ベース部材に挿入しない状態では、前記第１および第２のディスク収納部は、前記ディスクの取り出しが可能な回転角度まで前記開口を開放し、
前記ロックレバー支持部を前記挿入口から前記支持ベース部材に挿入した状態では、前記第１および第２のディスク収納部は、ロックユニットと当接することにより回転角度が制限され、前記ディスクが取り出せないように開口の大きさを制限するディスクカートリッジ。
【請求項２】
前記ロックユニットを前記挿入口から前記支持ベース部材に挿入する際、前記ロックユニットが、前記第１および第２のディスク収納部の一部と当接しながら前記第１および第２のディスク収納部を回転させて前記開口を閉塞させる請求項１に記載のディスクカートリッジ。
【請求項３】
前記支持ベース部材の挿入口は略長方形形状を有し、
前記ロックレバー支持部は、前記ロックユニットを前記支持ベース部材に挿入した状態において、前記挿入口全体を塞ぐ本体を含む請求項２に記載のディスクカートリッジ。
【請求項４】
前記支持ベース部材は前記本体の長手方向の両端近傍に第１の係止部を有しており、
前記ロックレバー支持部は、前記ロックユニットを前記支持ベース部材に挿入した状態において、前記第１の係止部と係合する第１の保持部を有する請求項３に記載のディスクカートリッジ。
【請求項５】
前記支持ベース部材は前記本体の長手方向の中央近傍に第２の係止部を有しており、
前記ロックレバー支持部は、前記ロックユニットを前記支持ベース部材に挿入した状態において、前記第２の係止部と係合する第２の保持部を有する請求項４に記載のディスクカートリッジ。
【請求項６】
前記ロックレバー支持部は弾性部材によって構成されており、前記ロックレバー支持部を前記挿入口から弾性変形させて、前記支持ベース部材に挿入することにより、前記第１および第２の保持部を前記第１および第２の係止部に係合させる請求項５に記載のディスクカートリッジ。
【請求項７】
前記第１および第２のロックレバー部は、回動する方向に付勢力を与える弾性部をそれぞれ有する請求項１から６のいずれかに記載のディスクカートリッジ。
【請求項８】
前記第１および第２のロックレバー部と前記ロックレバー支持部とは一体的に構成されており、前記第１および第２のロックレバー部は、ヒンジ部を介して回動可能に前記ロックレバー支持部に取り付けられている請求項７に記載のディスクカートリッジ。
【請求項９】
前記支持ベース部材は、外部から前記支持ベース部材の位置決めを行うための位置決め穴を有し、
前記ロックレバー支持部は、前記ロックユニットを前記支持ベース部材に挿入した状態において、前記位置決め穴を開口とする凹部を形成するように前記位置決め穴を覆うカバー部を有する請求項８に記載のディスクカートリッジ。
【請求項１０】
前記支持ベース部材の少なくとも一部は、前記第１および第２のディスク収納部が前記ディスクと垂直な方向へ移動するのを抑制するように前記第１および第２のディスク収納部と重なっている請求項９にディスクカートリッジ。
【請求項１１】
少なくとも片面に情報記録面を有するディスクの一部を収納する空間をそれぞれ有し、互いに接合させることにより、ディスク全体を収納する第１および第２のディスク収納部と、
前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、
前記第１および第２のディスク収納部が閉塞した状態において、前記第１および第２のディスク収納部の回転をロックするロック部材と、
を備え、
前記支持ベース部材は、前記第１のディスク収納部の回転中心と前記第２のディスク収納部の回転中心とを結ぶ線分に直交する少なくとも１つの側面を有し、
前記側面は、前記第１および第２のディスク収納部に収納された前記ディスクと平行な方向に伸び、底部と、前記底部に設けられた開口と、前記底部に設けられた突出部とを有する主溝を備え、
前記ロック部材は、外部より前記第１および第２のディスク収納部のロックを解除する操作を行うためのロック操作部を有し、
前記ロック操作部は、前記第１および第２のディスク収納部をロックした状態において、前記主溝の開口から第１の突出量で突出し、前記ロック状態を解除した状態において、前記主溝の開口から第１の突出量よりも小さい第２の突出量で突出し、前記主溝の突出部の底部からの突出量は、前記第１の突出量よりも小さく、前記第２の突出量よりも大きいディスクカートリッジ。
【請求項１２】
前記突出部は、前記主溝の端部近傍に位置しいている請求項１１に記載のディスクカートリッジ。
【請求項１３】
前記突出部は、前記主溝の底面に対して非直交する方向に傾斜した傾斜面を有する請求項１２に記載のディスクカートリッジ。
【請求項１４】
請求項１１から１３のいずれかに規定されるディスクカートリッジを装填することが可能なディスク装置であって、
前記ディスクカートリッジを支持するカートリッジホルダであって、前記ディスクカートリッジを外部から前記カートリッジホルダ内へ挿入し、前記カートリッジホルダ内の前記ディスカートリッジを前記外部へ排出するためのホルダ開口部を有するカートリッジホルダと、
前記カートリッジホルダの前記ホルダ開口部近傍に配置されており、前記ディスクカートリッジの挿入方向を規定する一対のガイド壁と、
前記ディスクを載置し、回転するディスクモータと、
前記ディスクに情報を記録することおよび前記ディスクに記録された情報を再生することの少なくとも一方を行うヘッドと、
前記ヘッドおよび前記ディスクモータを支持するベースと、
を備え、
前記ガイド壁に設けられたロック解除部が前記ロック操作部を押圧することにより、前記第１および第２のディスク収納部のロックを解除するディスク装置。
【請求項１５】
前記ディスクカートリッジを前記カートリッジホルダに挿入し、前記第１および第２のディスク収納部を開放する際に、前記ロック解除部は、前記主溝内を通過し、前記主溝内の前記突出部と当接することによって、前記ディスクカートリッジの前記カートリッジホルダへの挿入量を規定する請求項１４に記載のディスク装置。
【請求項１６】
前記ディスクカートリッジは一対の側面を有し、前記主溝は前記１対の側面の１つのみ設けられており、
前記ロック解除部は前記一対のガイド壁の一方にのみ設けられており、前記ロック解除部と前記ロック解除部が設けられていないガイド壁との最小幅寸法は、前記主溝の突出部の頂上部と前記主溝が設けられていない側面との幅寸法よりも小さい、請求項１５に記載のディスク装置。
【請求項１７】
前記ディスクカートリッジは一対の側面を有し、前記主溝は前記１対の側面のそれぞれに設けられており、
前記ロック解除部は前記一対のガイド壁のそれぞれに設けられており、
前記ロック解除部を含めた幅規制ガイド部の最小幅寸法は、前記一対の主溝の突出部の頂上部間の幅寸法よりも小さい、請求項１５に記載のディスク装置。
【請求項１８】
前記ロック解除部は、前記ディスクカートリッジの挿入方向および排出方向に対して傾斜するテーパ面をそれぞれ両端部に有するリブである請求項１４から１７に記載のディスク装置。
【発明の詳細な説明】
【技術分野】
【０００１】
本発明は、光ディスク、磁気ディスク等のディスク状のデータ記憶媒体を収納するディスクカートリッジに関する。
【背景技術】
【０００２】
光ビームを用いて記録あるいは再生を行うＣＤやＤＶＤ等、また、磁気を用いて記録あるいは再生を行うフロッピー（登録商標）ディスク等、さらに光ビームと磁気を用いて記録あるいは再生を行うＭＯやＭＤ等のディスク状のデータ記憶媒体が広く世の中に普及している。特に、ＤＶＤ−ＲＡＭ、ＭＯなどの書換型のデータ記憶媒体は、データを記憶した記録面を保護する観点から、例えば特許文献１に開示されるようなカートリッジ型の収納ケースに収納されている。【０００３】
図４７は、特許文献１に開示されたディスクカートリッジを模式的に表す斜視図である。図４７において、ディスクカートリッジ１００は、記録および／または再生可能なデータ記憶媒体であるディスク１０を収納し、ディスクカートリッジ１００の外殻をなす支持ベース部材１０１を備える。【０００４】
支持ベース部材１０１は、上ハウジング１０１ａと下ハウジング１０１ｂとによって構成され、これらを重ね合わせることにより、内部にディスク１０を収納している。【０００５】
また、支持ベース部材１０１は、スピンドルモータなどのディスク１０を回転させる手段、および、光ヘッドなどの記録および／または再生する手段が支持ベース部材１０１に侵入し、ディスク１０に接近するための開口１０１ｗを有する。開口１０１ｗは、上ハウジング１０１ａおよび下ハウジング１０１ｂの主面に設けられ、支持ベース部材１０１に収納されたディスク１０は、開口１０１ｗにおいて外部に対して露出している。【０００６】
また、ディスクカートリッジ１００は、支持ベース部材１０１の上面および下面に設けられた開口１０１ｗを覆い、開口１０１ｗより露出したディスク１０の面を保護するために、支持ベース部材１０１を挟持するよう、Ｃ字形に折り曲げられたカートリッジシャッタ１０３を備えている。【０００７】
カートリッジシャッタ１０３は、図４７に示す矢印Ｐ方向へ平行移動可能であり、バネにより開口１０１ｗが閉じられた状態に戻るように付勢されている。このため、カートリッジシャッタ１０３に外力が加わらない時にはディスク１０が開口１０１ｗから外部に露出しないように構成されている。【０００８】
支持ベース部材１０１は、開口１０１ｗの外周部分に架橋されたブリッジ部１０４を有する。ブリッジ部１０４は、支持ベース部材１０１の剛性を保ち、かつ、カートリッジシャッタ１０３の矢印Ｐ方向への移動をガイドする。【０００９】
ディスクカートリッジ１００では、このカートリッジシャッタ１０３により、ディスクカートリッジ１００を携帯して搬送する場合に、開口１０１ｗからの埃の侵入やディスク１０への指紋付着を防止している。【００１０】
ディスクカートリッジ１００をディスク装置に装填し、ディスク１０にデータの記録を行ったり、ディスク１０に記録されたデータを再生する場合、ディスクをクランプして、スピンドルモータで回転させ、光ヘッドをディスク１０に接近させる必要がある。このため、図４８に示すように、ディスクカートリッジ１００をディスク装置へ挿入する矢印Ｑ方向への移動を利用し、カートリッジシャッタ１０３のノッチ部１０３ａにシャッタオープナ１０４の突起１０４ａを係合させ、移動に伴うシャッタオープナ１０４の回動中心１０４ｂを中心とした矢印Ｒ方向への回動により、カートリッジシャッタ１０３を矢印Ｐ方向へ移動させる。これにより、カートリッジシャッタ１０３を開放し、開口１０１ｗからディスク１０を露出させる。
【特許文献１】特開平９−１５３２６４号公報
【発明の開示】
【発明が解決しようとする課題】
【００１１】
しかし、上述のディスクカートリッジ１００において、カートリッジシャッタ１０３はＣ字型に折り曲げられた構造を有している。このため、高精度な加工を施さないと、形状誤差の小さいカートリッジシャッタ１０３を量産することが難しい。このため、製造コストが高くつく。また、近年、薄型の製品が好まれる傾向にあるが、構造上カートリッジシャッタ１０３を薄くするのは困難である。【００１２】
また、上述の構造のカートリッジシャッタ１０３を用いる場合、カートリッジシャッタ１０３と支持ベース部材１０１との間に生じる隙間を小さくするのは難しい。このため、支持ベース部材１０１内へ塵埃が侵入するのを完全に防止することは困難であり、ディスク１０への記録あるいはディスク１０からの再生に悪影響が生じる可能性がある。【００１３】
また、カートリッジシャッタ１０３を構成する板材を厚くすることは、ディスクカートリッジ１００の厚さの制限から難しく、これにより、カートリッジシャッタ１０３は、構造的に脆弱である。その結果、ディスクカートリッジ１００に衝撃を与えた場合や、誤ってカートリッジを踏んだ場合には、ディスクの情報記録面に致命的な損傷ダメージを与える問題が生じる。【００１４】
また、上記のようなディスクカートリッジ１００では、カートリッジシャッタ１０３の開閉を行うためのガイドとなるブリッジ部１０４を開口部１０１ｗに架橋するように上ハウジング１０１ａもしくは下ハウジング１０１ｂに設ける必要がある。このため、ディスク１０にアクセスする光ヘッドが高さ方向に厚い場合、ブリッジ部１０４と干渉し、ディスク１０に接近できないという問題が生じる。【００１５】
また、カートリッジシャッタ１０３の開閉動作が直線的であるため、小型のディスクを収納するようにディスクカートリッジ１００の外形を小さくした場合、開口部１０１ｗの面積は極めて小さくなる。このため、小型のカートリッジが使用される小型機器もしくはディスクビデオカメラにおいては、ヘッドの大きさも極め小さくする必要があり、ヘッドの設計上に問題点が生じる。【００１６】
また、ディスクカートリッジ１００をディスク装置に挿入し、回転するディスク１０に対して記録および／または再生を行うためには、ディスク装置内におけるディスクカートリッジ１００の位置決め誤差を許容するための空間を、支持ベース部材１０１内部に確保する必要がある。このため、ディスク１０は、支持ベース部材１０１内部において、位置決め誤差を許容するための空間で、ディスクカートリッジ１００内で保持されることなく自由に移動し得る。その結果、支持ベース部材１０１内部においてディスク１０がガタつくことになり、ディスク１０の情報記録面が傷ついたり、ディスク１０と支持ベース部材１０１の内壁との衝突により、粉塵を生じ、その粉塵がディスク１０に付着するという問題点が生じる。【００１７】
また、ディスクカートリッジ１００を製造する場合、ディスク１０の製造と、ディスクカートリッジ１００の構成部品の製造およびディスクカートリッジ１００の組立工程とには、工法または検査工程などに大きな差がある。一方、ディスク１０を支持ベース部材１０１内部に収納するには、上ハウジング１０１ａと下ハウジング１０１ｂを重ね合わせる際に行うため、ディスクカートリッジ１００の製造工程の途中でディスク１０の収納を行う必要がある。このため、ディスク１０単体の製造とディスクカートリッジ１００単体の組立工程とを完全に分離し、別々の場所で行うことができず、製造コストの削減を図れないという問題が生じる。【００１８】
本発明は上記の課題の少なくとも１つを解決し、外形が小さくても大きなヘッド開口部を設けることが可能なディスクカートリッジを提供することを目的とする。また、ディスクの製造とディスクカートリッジ単体の組立工程を別々の場所で行うことのできるディスクカートリッジを提供することを目的とする。
【課題を解決するための手段】
【００１９】
本発明のディスクカートリッジは、少なくとも片面に情報記録面を有するディスクの一部を収納する空間をそれぞれ有し、互いに接合させることにより、ディスク全体を収納する第１および第２のディスク収納部と、前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、前記第１および第２のディスク収納部が閉塞した状態において、前記第１および第２のディスク収納部の回転をそれぞれ防止する第１および第２のロックレバー部、および、前記第１および第２のロックレバー部を回動自在に支持し、前記支持ベース部材に取り付けられるロックレバー支持部を含むロックユニットとを備え、前記支持ベース部材は、前記ロックユニットを挿入可能な挿入口を有しており、前記ロックユニットを前記挿入口から前記支持ベース部材に挿入しない状態では、前記第１および第２のディスク収納部は、前記ディスクの取り出しが可能な回転角度まで前記開口を開放し、前記ロックレバー支持部を前記挿入口から前記支持ベース部材に挿入した状態では、前記第１および第２のディスク収納部は、ロックユニットと当接することにより回転角度が制限され、前記ディスクが取り出せないように開口の大きさを制限する。【００２０】
ある好ましい実施形態において、前記ロックユニットを前記挿入口から前記支持ベース部材に挿入する際、前記ロックユニットが、前記第１および第２のディスク収納部の一部と当接しながら前記第１および第２のディスク収納部を回転させて前記開口を閉塞させる。【００２１】
ある好ましい実施形態において、前記支持ベース部材の挿入口は略長方形形状を有し、前記支持ベース部材の前記ロックレバー支持部は、前記ロックユニットを前記支持ベース部材に挿入した状態において、前記挿入口全体を塞ぐ本体を含む。【００２２】
ある好ましい実施形態において、  前記支持ベース部材は前記本体の長手方向の両端近傍に第１の係止部を有しており、前記ロックレバー支持部は、前記ロックユニットを前記支持ベース部材に挿入した状態において、前記第１の係止部と係合する第１の保持部を有する。【００２３】
ある好ましい実施形態において、前記支持ベース部材は前記本体の長手方向の中央近傍に第２の係止部を有しており、前記ロックレバー支持部は、前記ロックユニットを前記支持ベース部材に挿入した状態において、前記第２の係止部と係合する第２の保持部を有する。【００２４】
ある好ましい実施形態において、前記ロックレバー支持部は弾性部材によって構成されており、前記ロックレバー支持部を前記挿入口から弾性変形させて、前記支持ベース部材に挿入することにより、前記第１および第２の保持部を前記第１および第２の係止部に係合させる。【００２５】
ある好ましい実施形態において、前記第１および第２のロックレバー部は、回動する方向に付勢力を与える弾性部をそれぞれ有する。【００２６】
ある好ましい実施形態において、前記第１および第２のロックレバー部とロックレバー支持部とは一体的に構成されており、前記第１および第２のロックレバー部は、ヒンジ部を介して回動可能に前記ロックレバー支持部に取り付けられている。【００２７】
ある好ましい実施形態において、  前記支持ベース部材は、外部から前記支持ベース部材の位置決めを行うための位置決め穴を有し、前記ロックレバー支持部は、前記ロックユニットを前記支持ベース部材に挿入した状態において、前記位置決め穴を開口とする凹部を形成するように前記位置決め穴を覆うカバー部を有する。【００２８】
ある好ましい実施形態において、前記支持ベース部材の少なくとも一部は、前記第１および第２のディスク収納部が前記ディスクと垂直な方向へ移動するのを抑制するように前記第１および第２のディスク収納部と重なっている。【００２９】
本発明のディスクカートリッジは、少なくとも片面に情報記録面を有するディスクの一部を収納する空間をそれぞれ有し、互いに接合させることにより、ディスク全体を収納する第１および第２のディスク収納部と、前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、前記第１および第２のディスク収納部が閉塞した状態において、前記第１および第２のディスク収納部の回転をロックするロック部材とを備え、前記支持ベース部材は、前記第１のディスク収納部の回転中心と前記第２のディスク収納部の回転中心とを結ぶ線分に直交する少なくとも１つの側面を有し、前記側面は、前記第１および第２のディスク収納部に収納された前記ディスクと平行な方向に伸び、底部と、前記底部に設けられた開口と、前記底部に設けられた突出部とを有する主溝を備え、前記ロック部材は、外部より前記第１および第２のディスク収納部のロックを解除する操作を行うためのロック操作部を有し、前記ロック操作部は、前記第１および第２のディスク収納部をロックした状態において、前記主溝の開口から第１の突出量で突出し、前記ロック状態を解除した状態において、前記主溝の開口から第１の突出量よりも小さい第２の突出量で突出し、前記主溝の突出部の底部からの突出量は、前記第１の突出量よりも小さく、前記第２の突出量よりも大きい。【００３０】
ある好ましい実施形態において、前記突出部は、前記主溝の端部近傍に位置しいている。【００３１】
ある好ましい実施形態において、前記突出部は、前記主溝の底面に対して非直交する方向に傾斜した傾斜面を有する。
本発明のディスク装置は、上記いずれかに規定されるディスクカートリッジを装填することが可能なディスク装置であって、前記ディスクカートリッジを支持するカートリッジホルダであって、前記ディスクカートリッジを外部から前記カートリッジホルダ内へ挿入し、前記カートリッジホルダ内の前記ディスカートリッジを前記外部へ排出するためのホルダ開口部を有するカートリッジホルダと、前記カートリッジホルダの前記ホルダ開口部近傍に配置されており、前記ディスクカートリッジの挿入方向を規定する一対のガイド壁と、前記ディスクを載置し、回転するディスクモータと、前記ディスクに情報を記録することおよび前記ディスクに記録された情報を再生することの少なくとも一方を行うヘッドと、前記ヘッドおよび前記ディスクモータを支持するベースとを備え、前記ガイド壁に設けられたロック解除部が前記ロック操作部を押圧することにより、前記第１および第２のディスク収納部のロックを解除する。【００３２】
ある好ましい実施形態において、前記ディスクカートリッジを前記カートリッジホルダに挿入し、前記第１および第２のディスク収納部を開放する際に、前記ロック解除部は、前記主溝内を通過し、前記主溝内の前記突出部と当接することによって、前記ディスクカートリッジの前記カートリッジホルダへの挿入量を規定する。【００３３】
ある好ましい実施形態において、前記ディスクカートリッジは一対の側面を有し、前記主溝は前記１対の側面の１つのみ設けられており、前記ロック解除部は前記一対のガイド壁の一方にのみ設けられており、前記ロック解除部と前記ロック解除部が設けられていないガイド壁との最小幅寸法は、前記主溝の突出部の頂上部と前記主溝が設けられていない側面との幅寸法よりも小さい。【００３４】
ある好ましい実施形態において、前記ディスクカートリッジは一対の側面を有し、前記主溝は前記１対の側面のそれぞれに設けられており、前記ロック解除部は前記一対のガイド壁のそれぞれに設けられており、前記ロック解除部を含めた幅規制ガイド部の最小幅寸法は、前記一対の主溝の突出部の頂上部間の幅寸法よりも小さい。【００３５】
ある好ましい実施形態において、前記ロック解除部は、前記ディスクカートリッジの挿入方向および排出方向に対して傾斜するテーパ面をそれぞれ両端部に有するリブである。【００３６】
本発明のディスクカートリッジの製造方法は、少なくとも片面に情報記録面を有するディスクの一部を収納する空間をそれぞれ有し、互いに接合させることにより、ディスク全体を収納する第１および第２のディスク収納部と、前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、前記第１および第２のディスク収納部が閉塞した状態において、前記第１および第２のディスク収納部の回転をそれぞれ防止する第１および第２のロックレバー部、および、前記第１および第２のロックレバー部を回動自在に支持し、前記支持ベース部材に取り付けられるロックレバー支持部を含むロック部材とを備え、前記支持ベース部材は、前記ロック部材を挿入可能な挿入口を有しており、前記ロック部材を前記挿入口から前記支持ベース部材に挿入しない状態では、前記第１および第２のディスク収納部は、前記ディスクの取り出しが可能な回転角度まで前記開口を開放し、前記ロックレバー支持部を前記挿入口から前記支持ベース部材に挿入した状態では、前記第１および第２のディスク収納部は、ロック部材と当接することにより回転角度が制限され、前記ディスクが取り出せないように開口の大きさを制限するディスクカートリッジの製造方法であって、前記第１および第２のディスク収納部がそれぞれ回転可能なように支持された支持ベース部材を用意する工程（Ａ）と、前記第１および第２のディスク収納部が前記ディスクの取り出しが可能な回転角度まで開放した状態となるように前記支持ベース部材を保持する工程（Ｂ）と、前記第１のディスク収納部および第２のディスク収納部の開口から前記ディスクを内部へ挿入する工程（Ｃ）と、前記支持ベース部材に前記ロック部材を挿入する工程（Ｄ）と、を包含する。【００３７】
ある好ましい実施形態において、前記第１および第２のディスク収納部を支持した支持ベース部材を、前記支持ベース部材が下方に位置し、かつ前記第１および第２のディスク収納部を支持した支持ベース部材を垂直方向に保持した状態で前記工程（Ａ）、（Ｂ）、（Ｃ）および（Ｄ）を行う。【００３８】
ある好ましい実施形態において、前記工程（Ｂ）において、前記第１および第２のディスク収納部を重力によって回動させる。【００３９】
ある好ましい実施形態において、前記工程（Ｄ）において、前記ロック部材を弾性変形させながら挿入を行う。
【発明の効果】
【００４０】
本発明のディスクカートリッジによれば、カートリッジ外形を規定していた従来のハウジングをなくし、カートリッジ外形を規定し、かつシャッタ機能も有する一対のディスク収納部を備える。一対のディスク収納部は開放することにより、従来のシャッタ付きのディスクカートリッジの開口部に必要であったシャッタ用の移動ガイド部が存在しない大きなヘッド開口部を構成できる。従って小型カートリッジにおいても大型カートリッジと同等のヘッド開口部を設けることができる。また、一対のディスク収納部の一部と重なる支持ベース部材を備えているため、収納したディスクと垂直な方向への変形にも強い堅牢なディスクカートリッジが実現する。【００４１】
また、ディスク収納部の開放量を制限し、閉塞時にはディスク収納部の回転をロックする機能を兼ね備えたロック部材を、ディスク収納部および支持ベース部材とからなる支持ベース部材の組立完了後に組み込むことができる。このため、支持ベース部材を組み立てた状態では、ディスク収納部をディスクが取り出し可能な位置まで開放することができる。したがって、支持ベース部材までの組立が完了した後にディスクを挿入し、さらにロック部材を支持ベース部材の挿入口から挿入して、最終的なディスクカートリッジの組立を完了することができる。これにより、ディスクの製造とディスクカートリッジの組立工程を完全に分離することができる。その結果、工法および検査方法などに大きな差があるディスクの製造とディスクカートリッジの組立工程を別々の場所で行うディスクカートリッジの製造方法が実現し、製造工程の自由度を高くするとともに製造コストを大幅に削減することができる。【００４２】
また、本発明のディスクカートリッジによれば、ディスク装置に対する正規の挿入方向と逆方向に挿入することを防止することが可能となる。このため、逆挿入が行われることにより、ディスク装置に設けられたロック解除部が、ディスク収納部の閉塞状態を拘束するためのロック部材を解除するためのロック操作部に到達し、ディスク側が装置から突出した状態でディスク収納部が開放してしまうのを防止することができる。
【図面の簡単な説明】
【００４３】
【図１】本発明のディスクカートリッジの第１の実施形態全体の表面側を示す斜視図であり、（ａ）はディスク収納部が閉塞した状態を示し、（ｂ）はディスク収納部が開放した状態を示している。
【図２】本発明のディスクカートリッジの第１の実施形態全体の裏面側を示す斜視図であり、（ａ）はディスク収納部が閉塞した状態を示し、（ｂ）はディスク収納部が開放した状態を示している。
【図３】本発明のディスクカートリッジの第１の実施形態の構造を示す分解斜視図である。
【図４】本発明のディスクカートリッジの第１の実施形態におけるロック部材と支持ベース部材の構造を示す斜視図であり、（ａ）は下部支持ベース部材を示し、（ｂ）は上部支持ベース部材を示している。
【図５】本発明のディスクカートリッジの第１の実施形態におけるロック部材の構造を示す平面図で、（ａ）は支持ベース部材へ組み込む前の状態を示し、（ｂ）は支持ベース部材へ組み込んだ後の状態を示し、（ｃ）はロックレバー部の回動時の状態を示している。
【図６】本発明のディスクカートリッジの第１の実施形態部分断面図で、（ａ）はディスク収納部が閉塞した状態を示し、（ｂ）はディスク収納部が開放した状態を示している。
【図７】本発明のディスクカートリッジの第１の実施形態部分断面図で、（ａ）は第２のロックレバー部のみをロック解除した状態を示し、（ｂ）は第１および第２のロックレバー部を同時にロック解除した状態を示している。
【図８】本発明のディスクカートリッジの第１の実施形態におけるディスク挿入とロック部材の組立動作状態を示す斜視図である。
【図９】本発明のディスクカートリッジの第１の実施形態における組立動作中の一状態を示す部分断面図である。
【図１０】本発明のディスクカートリッジの第１の実施形態における組立動作中の一状態を示す部分断面図である。
【図１１】本発明のディスクカートリッジの第１の実施形態における組立動作中の一状態を示す部分断面図である。
【図１２】本発明のディスクカートリッジの第１の実施形態における組立動作中の一状態を示す部分断面図である。
【図１３】本発明のディスクカートリッジの第１の実施形態における組立動作中の一状態を示す部分断面図である。
【図１４】本発明のディスクカートリッジの第１の実施形態における組立動作中の一状態で、ディスク収納部が開放した状態から、ロック部材を挿入した場合の部分断面図である。
【図１５】本発明のディスクカートリッジの第１の実施形態の組立装置の一例を示し、組立動作中の一状態を示す部分断面斜視図である。
【図１６】本発明のディスクカートリッジの第１の実施形態の組立装置の一例を示し、組立動作中の一状態を示す部分断面斜視図である。
【図１７】本発明のディスクカートリッジの第１の実施形態の組立装置の一例を示し、組立動作中の一状態を示す部分断面斜視図である。
【図１８】（ａ）および（ｂ）はそれぞれ本発明のディスクカートリッジの第１の実施形態におけるロック部材の別の構成を示す平面図である。
【図１９】本発明のディスクカートリッジの第２の実施形態の構成を示す分解斜視図である。
【図２０】本発明のディスクカートリッジの第２の実施形態におけるロックレバーユニットと支持ベース部材の構成を示す斜視図であり、（ａ）は下部支持ベース部材を示し、（ｂ）は上部支持ベース部材を示している。
【図２１】本発明のディスクカートリッジの第２の実施形態におけるロック部材へ第１および第２ロックレバー部を組み込む動作状態を示す平面図で、（ａ）はロックレバー部を組み込む前の状態を示し、（ｂ）はロックレバー部を組み込む途中の状態を示し、（ｃ）はロックレバー部を組み込んだ後の状態を示している。
【図２２】本発明のディスクカートリッジの第２の実施形態におけるディスク挿入とロックレバーユニットの組立動作状態を示す斜視図である。
【図２３】本発明のディスクカートリッジの第２の実施形態における組立動作中の一状態を示す部分断面図である。
【図２４】本発明のディスクカートリッジの第２の実施形態における組立動作中の一状態を示す部分断面図である。
【図２５】本発明のディスクカートリッジの第２の実施形態における組立動作中の一状態を示す部分断面図である。
【図２６】本発明のディスクカートリッジの第２の実施形態における組立動作中の一状態を示す部分断面図である。
【図２７】本発明のディスクカートリッジの第２の実施形態における組立動作中の一状態を示す部分断面図である。
【図２８】本発明のディスクカートリッジの第２の実施形態における組立動作中の一状態で、ディスク収納部が開放した状態から、ロック部材を挿入した場合の部分断面図である。
【図２９】本発明のディスクカートリッジの第３の実施形態の構成を示す分解斜視図であり、（ａ）はディスク収納部が閉塞した状態を示し、（ｂ）はディスク収納部が開放した状態を示している。
【図３０】本発明のディスクカートリッジの第３の実施形態の内部の構造を示す分解斜視図である。
【図３１】本発明のディスクカートリッジの第３の実施形態の全体構成の裏面から見た斜視図であり、（ａ）はディスク収納部が閉塞した状態を示し、（ｂ）はディスク収納部が開放した状態を示している。
【図３２】（ａ）および（ｂ）は、それぞれ第３の実施形態のディスクカートリッジの第１および第２のロック部材近傍の構造を拡大して示す図である。
【図３３】第３の実施形態のディスクカートリッジをディスク装置に装填する前の状態を示す斜視図である。
【図３４】第３の実施形態のディスクカートリッジがディスク装置に挿入される際の動作を示す図である。
【図３５】第３の実施形態のディスクカートリッジがディスク装置に挿入される際の動作を示す図である。
【図３６】第３の実施形態のディスクカートリッジがディスク装置に挿入される際の動作を示す図である。
【図３７】（ａ）および（ｂ）は第３の実施形態において、ロック部材を解除する機能に関連するディスクホルダおよびディスクカートリッジの寸法を示す図である。
【図３８】第３の実施形態のディスクカートリッジが逆方きでディスク装置に挿入される際の動作を示す図である。
【図３９】第３の実施形態のディスクカートリッジにおいて、第１および第２のロック解除部と左本体溝および右本体溝との当接による位置決めを説明する図である。
【図４０】第３の実施形態のディスクカートリッジにおいて、第１および第２のロック解除部と左本体溝および右本体溝との当接による位置決めを説明する図である。
【図４１】第３の実施形態のディスクカートリッジの幅方向位置決め形状を示す図である。
【図４２】第３の実施形態のディスクカートリッジをカートリッジケースに挿入した状態を示す図である。
【図４３】（ａ）および（ｂ）は、第３の実施形態のディスクカートリッジをカートリッジ立てに装着する様子を説明する図である。
【図４４】第３の実施形態のディスクカートリッジを複数枚カートリッジ立てに装着した状態を示す図である。
【図４５】（ａ）および（ｂ）は、第３の実施形態のディスクカートリッジの別の形態において、逆方向からの挿入を防止するためのディスクホルダおよびディスクカートリッジの寸法関係を示す図である。
【図４６】（ａ）および（ｂ）は、第３の実施形態のディスクカートリッジの別の形態において、逆方向からの挿入を防止するためのディスクホルダおよびディスクカートリッジの寸法関係を示す図である。
【図４７】従来のディスクカートリッジを示す斜視図である。
【図４８】従来のディスクカートリッジを従来のディスク装置に挿入する際におけるシャッタの開放動作を示す図である。
【符号の説明】
【００４４】
１０、９１０    ディスク
２０１、２０１’２０２、２０２’、２０３、    ディスクカートリッジ
２０５    支持ベース部材
２１０    上部支持ベース部材
２２０    下部支持ベース部材
２３０    ディスク収納部
２３０ｗ    開口部
２３１    第１のディスク収納部
２３２    第２のディスク収納部
２４１    第１のロックレバー部
２４２    第２のロックレバー部
２５０    ロックレバー支持部
２５３    ロック部材
５００    ディスク装置
７２０    トラバースベース
７２０ａ    回動中心孔
７２０ｂ    回動中心孔
７２１    位置決めピン
７２１ａ    座面
７２２    位置決めピン
７２２ａ    座面
７３０    スピンドルモータ
７３０ａ    ターンテーブル
７４０    光ヘッド
７４１    第１のガイド軸
７４２    第２のガイド軸
７６０    カートリッジホルダ
７６０ａ    回転支軸
７６０ｂ    回転支軸
７６１ａ    ガイド壁
７６１ｂ    ガイド壁
７６２ａ    第１のロック解除部
７６２ｂ    第２のロック解除部
７６２ｃ    第１の位置決め当接部
７６３ａ    逃げ穴
７６３ｂ    逃げ穴
７８１    軸付きビス
７８２    軸付きビス
８００    カートリッジ立て
８０１    複数枚カートリッジ立て
８３０    支持壁
８４０    支持壁
８５０    ガイドリブ
８６０    ガイドリブ
８５１    第１の開閉レバー
８５１ａ    回動中心穴
８５１ｃ    係合部
８５２    第２の開閉レバー
８５２ａ    回動中心穴
８５２ｃ    係合部
８５３    第１のレバー付勢バネ
８５４    第２のレバー付勢バネ
９００Ａ    開口部
９２０    第１のディスク収納部
９２０Ａ    第１の収納部溝
９２１    第１のディスク収納部上体
９２２    第１のディスク収納部下体
９２２Ａ    回動中心穴
９２２Ｂ    切り欠き部
９２２Ｃ    連動部
９２２Ｄ    第１の係止部
９３０    第２のディスク収納部
９３０Ａ    第２の収納部溝
９３１    第２のディスク収納部上体
９３２    第２のディスク収納部下体
９３２Ａ    回動中心穴
９３２Ｂ    切り欠き部
９３２Ｃ    連動部
９３２Ｄ    第２の係止部
９４０    カートリッジ本体
９４０ＡＬ    左本体溝
９４０ＡＲ    右本体溝
９４０ＢＲ    右壁
９４０ＣＬ    第１の位置決め穴
９４０ＣＲ    第２の位置決め穴
９４０ＤＬ    第１の切り欠き部
９４０ＤＲ    第２の切り欠き部
９４１    上部カートリッジ本体
９４２    下部カートリッジ本体
９４２Ａ    第１の回転支軸
９４２Ｂ    第２の回転支軸
９４２Ｃ    第１の回動支軸
９４２Ｄ    第２の回動支軸
９４７Ｌ    左突出部
９４７Ｌａ    副溝面
９４７Ｌｂ    副溝部
９４７Ｒ    右突出部
９４７Ｒｂ    副溝部
９４９Ｌ    左外形面
９５０    第１のロック部材
９５１    第１のロック回動中心穴
９５２    第１のロック操作部
９５３    係止レバー部
９５４    第１の弾性部
９６０    第２のロック部材
９６１    第２のロック回動中心穴
９６２    第２のロック操作部
９６３    係止レバー部
９６４    第２の弾性部
【発明を実施するための最良の形態】
【００４５】
（第１の実施形態）
以下、本発明の第１の実施形態について図面を参照しながら詳細に説明する。まず、図１から図３を参照しながら、本発明によるディスクカートリッジの第１の実施形態の構成および構造を説明する。【００４６】
図１は、ディスクカートリッジ２０１全体を示す斜視図であり、（ａ）はディスク収納部２３０が閉塞した状態を示し、（ｂ）はディスク収納部２３０が開放した状態を示す。図２は、ディスクカートリッジ２０１全体の裏面側を示す斜視図で、（ａ）はディスク収納部２３０が閉塞した状態を示し、（ｂ）はディスク収納部２３０が開放した状態を示す。図３は、ディスクカートリッジ２０１の構成部品を示す分解斜視図である。【００４７】
これらの図に示すようにディスクカートリッジ２０１は、ディスク収納部２３０を構成する第１のディスク収納部２３１および第２のディスク収納部２３２と支持ベース部材２０５とを備える。支持ベース部材２０５は、上部支持ベース部材２１０と下部支持ベース部材２２０とを有し、これらを重ね合わせることにより、第１のディスク収納部２３１および第２のディスク収納部２３２の一部をそれぞれ挟むよう回転可能に支持している。図１および図２に示すように、支持ベース部材２０５より一部露出したディスク収納部２３０と支持ベース部材２０５とにより、ディスクカートリッジ２０１の外殻が構成される。【００４８】
ディスク収納部２３０は、前述したように、第１のディスク収納部２３１と第２のディスク収納部２３２とによって構成され、それぞれディスク１０の厚み方向に隙間を有した袋形状の空間を有する。この空間はディスク１０のそれぞれ一部を収納できる大きさである。図１（ａ）および図２（ａ）に示すように、ディスク収納部２３０が閉塞した状態では、第１のディスク収納部２３１と第２のディスク収納部２３２の袋形状の開口の縁部分が互いに密着させる。これにより、ディスク１０全体を収納し、全面が露出しないようにディスク１０を覆う。【００４９】
また、図１（ｂ）および図２（ｂ）に示すように、ディスク収納部２３０が開放した状態では、ディスクカートリッジ２０１の外部から、スピンドルモータ、クランプ部材などのディスク１０を回転させる手段がディスク１０をチャッキングしディスク１０を回転させるととともに、記録および／または再生するヘッドがディスクカートリッジ２０１内に侵入し、ディスク１０にアクセスするための略扇形領域の開口部２３０ｗを支持ベース部材２０５とディスク収納部２２０とで形成する。【００５０】
したがって、ディスク収納部２３０は、ディスクカートリッジ２０１の外殻をなすハウジングの機能および開口部２３０ｗを開放および閉塞するシャッタの機能の２つの機能を兼ね備えている。【００５１】
なお、ディスク１０を外部に対して開放もしくは閉塞する機能は、例えば第１および第２のディスク収納部２３１、２３２のみでも原理的には実現する。しかしながら、第１および第２のディスク収納部２３１、２３２のみを備える構造では、閉塞している状態でディスク１０と垂直な方向、に働く外乱の力が第１のディスク収納部２３１および第２のディスク収納部２３２に互いに逆向き作用した場合、ねじれの力が発生し、大きな変形や破壊が生じる可能性がある。【００５２】
この問題を解決するため、ディスクカートリッジ２０１は、支持ベース部材２０５を備え、支持ベース部材２０５の少なくとも一部は、第１のディスク収納部２３１および第２のディスク収納部２３２がディスク１０と垂直な方向へ移動するのを抑制するように第１のディスク収納部２３１および第２のディスク収納部２３２と重なっている。これにより、第１および第２のディスク収納部２３１、２３２にねじれの力が加わっても、少なくとも支持ベース部材２０５に挟持された部分において、第１および第２のディスク収納部２３１、２３２の変形を防止することができる。これにより、ディスクカートリッジ２０１全体の堅牢性を向上させることができる。また、以下において詳細に説明するように、第１および第２のディスク収納部２３１、２３２が閉塞した状態でこれらの回転を防止するロック構造を設けることができる。【００５３】
また、ディスク収納部２３０の開放および閉塞する動作に対して支持ベース部材２０５は静止している構成要素であるため、カートリッジ２０１をディスクドライブ装置へ挿入する場合において、操作者が手で持つホルダ部分として機能する。上部支持ベース部材２１０には、ディスク１０に記録されている情報の内容表示ラベル紙を貼付できるラベル用凹部２１０ｐを設けることが可能であり、これにより、ディスクカートリッジ２０１に収納されたディスク１０の情報の内容を表示することができる。【００５４】
支持ベース部材２０５と第１および第２のディスク収納部２３１、２３２とが重なる領域が大きいほど、ディスクカートリッジ２０１の堅牢性は高まる。しかし、閉塞した状態の第１および第２のディスク収納部２３１、２３２に収納されるディスク１０の中心を超えてヘッド開口部側にまで支持ベース部材２０５が伸びると、第１および第２のディスク収納部２３１、２３２が開放した時に形成する開口を覆ってしまうことになる。このため、支持ベース部材２０５は、閉塞した状態の第１および第２のディスク収納部２３１、２３２に収納されるディスク１０の中心よりも第１および第２のディスク収納部２３１、２３２の回転支持部側のみを覆っていることが好ましい。【００５５】
また、図２に示すように、下部支持ベース部材２２０には、ディスク装置（図示せず）内におけるディスク１０と平行な面内におけるディスクカートリッジ２０１の位置を決定するための位置決め穴２２５ａおよび２２５ｂが設けられている。【００５６】
さらに、下部支持ベース部材２２０の両側面部には、切り欠き部２２０ｔが設けられている。切り欠き部２２０ｔは、例えばトレイ方式のローディングにおけるディスクカートリッジ２０１の表裏を逆に装填することの防止に使用されたり、スロットローディング方式におけるディスクカートリッジ２０１を保持するための係合などに使用されたりする。【００５７】
図３に示すように、第１のディスク収納部２３１および第２のディスク収納部２３２は、それぞれ回動中心穴２３１ａ、２３２ａを有している。回動中心穴２３１ａ、２３２ａには、下部支持ベース部材２２０の回転支軸２２０ａ、２２０ｂが挿入され、これにより、第１のディスク収納部２３１および第２のディスク収納部２３２が、支持ベース部材２０５に回転可能に支持される。【００５８】
また、第１のディスク収納部２３１および第２のディスク収納部２３２は、互いに噛み合って係合する連動部２３１ｂおよび２３２ｂを備えている。この連動部２３１ｂおよび２３２ｂの係合によって、第１のディスク収納部２３１および第２のディスク収納部２３２は互いに逆方向へ連動して回動を行うことができる。【００５９】
また、第１および第２のディスク収納部２３１、２３２には、図１および図２に示すように切り欠き部２３１ｄおよび２３２ｄが設けられている。切り欠き部２３１ｄおよび２３２ｄは、外部からディスク収納部２２０の開放および閉塞の動作を行うために使用される。【００６０】
ディスクカートリッジ２０１はさらにロックユニット２５３を備える。ロックユニット２５３は、以下において詳細に説明するように支持ベース部材２０５とは別の部品によって構成されている。ロックユニット２５３は、支持ベース部材２０５に設けられた挿入口２０５ｔに挿入されることによって、支持ベース部材２０５に組み込まれ、第１および第２のディスク収納部２３１、２３２が閉塞した状態で、第１および第２のディスク収納部２３１、２３２が回動するのをロックする。【００６１】
図３に示すように、ロックユニット２５３は、ロックレバー支持部２５０、第１のロックレバー部２４１および第２のロックレバー部２４２を有する。本実施形態では、第１のおよび第２のロックレバー部２４１、２４２は、回動ヒンジ部２５０ａ、２５０ｂを介してロックレバー支持部２５０に取り付けられており、ロックレバー支持部２５０と第１のおよび第２のロックレバー部２４１、２４２とは、１つの部品として一体的に形成されている。【００６２】
第１のロックレバー部２４１は、係止レバー部２４１ｂと、操作部２４１ｃと弾性部２４１ｄとを含む。係止レバー部２４１ｂは、ディスク収納部２３０が閉塞した状態で、第１のディスク収納部２３１の係止部２３１ｃ（図６参照）に当接して、第１のディスク収納部２３１が開放状態へ回動するのを規制する。操作部２４１ｃを外部から押下することによって、回動ヒンジ部２５０ａを軸として回動するように第１のロックレバー部２４１を付勢することができる。弾性部２４１ｄ（図５参照）は、操作部２４１ｃによる付勢に抗して弾性変形することで、第１のロックレバー部２４１に付勢力を発生する。【００６３】
同様に、第２のロックレバー部２４２は、係止レバー部２４２ｂと、操作部２４２ｃと弾性部２４２ｄとを含む。係止レバー部２４２ｂは、ディスク収納部２３０が閉塞した状態で、第２のディスク収納部２３２の係止部２３２ｃ（図６参照）に当接して、第２のディスク収納部２３２が開放状態へ回動するのを規制する。操作部２４２ｃを外部から押下することによって、回動ヒンジ部２５０ｂを軸として回動するように第２のロックレバー部２４２を付勢することができる。弾性部２４２ｄ（図５参照）は、操作部２４２ｃによる付勢に抗して弾性変形することで、第２のロックレバー部２４２に付勢力を発生する。【００６４】
前述したように、ロックレバー支持部２５０と第１のおよび第２のロックレバー部２４１、２４２とを一体的に構成することによって、回動ヒンジ部２５０ａ、２５０ｂにヒンジ性を付与し、弾性部２４１ｄ、２４２ｄのバネ性を付与することが可能となる。【００６５】
ディスクカートリッジ２０１には、第１および第２のロックレバー部２４１、２４２を操作するための、ロック解除用溝２００ａ、２００ｂが、ディスクカートリッジ２０１の両側面に設けられている。第１および第２のロックレバー部２４１、２４２の操作部２４１ｃ、２４２ｃは、ロック解除用溝２００ａ、２００ｂの底部に設けられた開口からロック解除用溝２００ａ、２００ｂ内に突出している。ただし、操作部２４１ｃ、２４２ｃはディスクカートリッジ２０１の外形より突出しないように、つまり、操作部２４１ｃ、２４２ｃのロック解除用溝２００ａ、２００ｂの底部からの突出量が、ロック解除用溝２００ａ、２００ｂの深さより小さくなっている。このため、通常の操作では、外部から操作部２４１ｃ、２４２ｃを押下しにくくなっており、これにより、ディスク収納部２３０ロックが意図的に解除されることを防止している。【００６６】
次に、図４、図５を参照しながら、支持ベース部材２０５およびロックユニット２５３を説明する。【００６７】
図４は、ロックユニット２５３と支持ベース部材２０５の構造を示す斜視図であり、（ａ）は下部支持ベース部材２２０とロックユニット２５３とを示し、（ｂ）は上部支持ベース部材２１０とロックユニット２５３とを示している。【００６８】
図５は、ロックユニット２５３の構造を示す平面図であり、（ａ）は支持ベース部材２０５へ組み込む前の状態を示し、（ｂ）は支持ベース部材２０５へ組み込んだ後の状態を示し、（ｃ）は第１および第２のロックレバー部２４１、２４２の回動時の状態を示す。【００６９】
図４に示すように、ロックユニット２５３のロックレバー支持部２５０は、本体２５０ｔ、第１の保持ツメ部２５１ａ、２５１ｂおよび第２の保持ツメ部２５１ｃ、２５１ｄを有する。本体２５０ｔは、支持ベース部材２０５の挿入口２０５ｔに対応する略長方形状を有しており、ロックユニット２５３を支持ベース部材２０５の挿入口２０５ｔに挿入した状態では、本体２５０ｔが挿入口２０５ｔを完全に塞ぐ。本体２５０ｔは、補強リブ等を備えない略長方形の板状であるため弾性変形しやすい。このため、ロックユニット２５３を支持ベース部材２０５の挿入口２０５ｔに挿入する際、本体２５０ｔが弾性変形して、ロックユニット２５３全体が撓むことにより、第１の保持ツメ部２５１ａ、２５１ｂおよび第２の保持ツメ部２５１ｃ、２５１ｄが、支持ベース部材２０５に設けられた対応する係合部と係合しやすくなり、組立性が向上する。【００７０】
第１の保持ツメ部２５１ａ、２５１ｂおよび第２の保持ツメ部２５１ｃ、２５１ｄは、支持ベース部材２０５に対して、ロックユニット２５３を矢印２００Ａ方向に挿入して組み込んだ際の抜け止めとして機能する。第１の保持ツメ部２５１ａ、２５１ｂは、本体２５０ｔの長手方向における両端近傍設けられている。また、第２の保持ツメ部２５１ｃ、２５１ｄは、本体２５０ｔの長手方向の中央近傍に設けられている。【００７１】
また、ロックレバー支持部２５０には、支持ベース部材２０５に組み込んだ際に、下部支持ベース部材２２０に設けられた位置決め穴２２５ａ、２２５ｂを開口とする凹部を形成するように、位置決め穴２２５ａ、２２５ｂを覆う位置決め穴カバー部２５５ａ、２５５ｂが設けられている。これにより、位置決め穴２２５ａ、２２５ｂから支持ベース部材２０５内部への埃の進入を防止している。【００７２】
図４（ａ）に示すように、下部支持ベース部材２２０の内部には、ロックレバー支持部２５０の第１の保持ツメ部２５１ａ、２５１ｂとそれぞれ係合する第１の係合部２２１ａ、２２１ｂと、ロック支持部２５０の第２の保持ツメ部２５１ｃ、２５１ｄとそれぞれ係合する第２の係合部２２１ｃ、２２１ｄが設けられている。これらの係合部には、ロックレバー支持部２５０を矢印２００Ａ方向へ挿入し易くするためにテーパ面が設けられている。【００７３】
また、下部支持ベース部材２２０には、上部支持ベース部材２１０と重ね合わせる際の位置決めを行う位置決め穴２２２ａ、２２２ｂと、ロックユニット２５３を組み込んだ際の位置決めを行う位置決めボス２２４ａ、２２４ｂが設けられている。【００７４】
同様に、図４（ｂ）に示すように、上部支持ベース部材２１０の内部には、ロックホルダ２５０の第１の保持ツメ部２５１ａ、２５１ｂとそれぞれ係合する第１の係合部２１１ａ、２１１ｂと、ロックホルダ２５０の第２の保持ツメ部２５１ｃ、２５１ｄとそれぞれ係合する第２の係合部２１１ｃ、２１１ｄが設けられている。これらの係合部には、ロックレバー支持部２５０を矢印２００Ａ方向へ挿入し易くするためにテーパ面が設けられている。また、下部支持ベース部材２２０に設けられた位置決め穴２２２ａ、２２２ｂと係合して、位置決めを行う位置決めボス２１２ａ、２１２ｂが設けられている。【００７５】
また、上部支持ベース部材２１０の第２の係合部２１１ｃ、２１１ｄおよび下部支持ベース部材２２０の第２の係合部２２１ｃ、２２１ｄはそれぞれ、挿入口１０５の長手方向における中央近傍において、リブと一体的に構成されている。このため上部支持ベース部材２１０と下部支持ベース部材２２０を重ね合わせて溶着または接着する際、支持ベース部材２０５の側面部を構成するリブ部分に加えて、これらのリブを互いに溶着または接着することによって、支持ベース部材２０５の中央部が接合される。これにより、ロックユニット２５３が組み込まれていない状態でも支持ベース部材２０５の強度を向上させることができる。【００７６】
また、上述したように、ロックレバー支持部２５０の第１の保持ツメ部２５１ａ、２５１ｂおよび第２の保持ツメ部２５１ｃ、２５１ｄは、下部支持ベース部材２２０の第１の係合部２２１ａ、２２１ｂおよび第２の係合部２２１ｃ、２２１ｄと係合するとともに、上部支持ベース部材２１０の第１の係合部２１１ａ、２１１ｂおよび第２の係合部２１１ｃ、２１１ｄとも係合する。このため、ロックユニット２５３が支持ベース部材２０５に確実に保持される。【００７７】
図５に示すように、ロックユニット２５３において、第１および第２のロックレバー部２４１、２４２は、回転ヒンジ部２５０ａ、２５０ｂを介して、ロックレバー支持部２５０に一体的に構成されている。また、第１および第２のロックレバー部２４１、２４２は、回転ヒンジ部２５０ａ、２５０ｂの弾性変形を利用して、回転ヒンジ部２５０ａ、２５０ｂを略中心として回転可能に支持される。さらに弾性部２４１ｄ、２４２ｄは、操作部２４１ｃ、２４２ｃによる付勢に抗して弾性変形することで、第１および第２のロックレバー部２４１、２４２に付勢力を発生する。このため、回転ヒンジ部２５０ａ、２５０ｂおよび弾性部２４１ｄ、２４２ｄの端部にはこれらの弾性変形によって、ロックレバー支持部２５０の本体には応力が生じる。【００７８】
しかし、回転ヒンジ部２５０ａ、２５０ｂ近傍および弾性部２４１ｄ、２４２ｄの端部近傍には、第１の保持ツメ部２５１ａ、２５１ｂおよび第２の保持ツメ部２５１ｃ、２５１ｄが設けられており、これらによって、ロックレバー支持部２５０の本体２５０ｔが支持ベース部材２０５に保持されている。このため、応力によってロックレバー支持部２５０の本体２５０ｔが変形することなく、第１および第２のロックレバー部２４１、２４２は、回転ヒンジ部２５０ａ、２５０ｂを中心にそれぞれ矢印２４１Ａ方向、矢印２４２Ａ方向に回動し、操作部２４１ｃ、２４２ｃの押圧を解除すると、弾性変形した弾性部２４１ｄ、２４２ｄの弾性力を利用して、矢印２４１Ｂ方向、矢印２４２Ｂ方向に回動することができる。【００７９】
また、図５（ａ）に示すように、第１および第２のロックレバー部２４１、２４２は、支持ベース部材２０５に組み込む前の部品単体の状態では、図５（ｂ）に示す支持ベース部材２０５に挿入した状態に比較して、それぞれ角度θ１、θ２だけ、矢印２４１Ｂ方向、矢印２４２方向に傾いている。このため、図５（ｂ）に示すように、ロックレバー支持部２５０を支持ベース部材２０５に組み込んだ際には、第１および第２のロックレバー部２４１、２４２に設けられた当接部２４１ｅ、２４２ｅが、支持ベース部材２０５の内壁と当接し、第１および第２のロックレバー部２４１、２４２は、それぞれ矢印２４１Ｂ方向および矢印２４２Ｂ方向に付勢される。【００８０】
したがって、この当接部２４１ｅ、２４２ｅがストッパーとして機能するため、ロックユニット２５３を支持ベース部材２０５に組み込むことにより、ディスクカートリッジ２０１における第１および第２のロックレバー部２４１、２４２の位置精度が向上する。【００８１】
次に、ディスクカートリッジ２０１のディスク収納部２３０の開放または閉塞動作について図６を参照しがら説明する。図６は、ディスクカートリッジ２０１の部分断面図であり、（ａ）はディスク収納部２３０が閉塞した状態を示し、（ｂ）はディスク収納部２３０が開放した状態を示している。【００８２】
図６（ａ）に示すように、ディスク収納部２３０が閉塞した状態では、第１および第２のロックレバー部２４１、２４２の係止レバー部２４１ｂ、２４２ｂが、第１および第２のディスク収納部２３１、２３２に設けられた係止部２３１ｃ、２３２ｃと当接することによって、第１および第２のディスク収納部２３１、２３２の矢印２３１Ａ方向および矢印２３２Ａ方向への回転を規制して、ディスク収納部２３０が閉塞した状態で、第１および第２のディスク収納部２３１、２３２の回転をロックする。【００８３】
また、ディスクカートリッジ２０１の内部で、ディスク１０がガタつくのを防止するために、第１および第２のディスク収納部２３１、２３２の内壁には、閉塞している状態で、ディスク１０の外周側面に当接もしくは微少な距離を隔てて、ディスク１０の動きを規制する部位（図示せず）が設けられている。これによりディスク収納部２３０の閉塞時にはディスク１０が保持され、ディスク１０がガタつくのを防止している。【００８４】
図６（ａ）のディスク収納部２３０が閉塞した状態から、後述するようにディスク装置に設けられた部材により、第１および第２のロックレバー部２４１、２４２を同時に操作して、弾性部２４１ｄ、２４２ｄを弾性変形させながら、ディスク収納部２３０のロックを解除する。このとき、第１および第２のディスク収納部２３１、２３２の切り欠き部２３１ｄ、２３２ｄに、ディスク装置に設けられた開閉部材１５１、１５２が係合する。さらに、開閉部材１５１、１５２が第１および第２のディスク収納部２３１、２３２をそれぞれ矢印２３１Ａ方向、矢印２３２Ａ方向に回転させると、図６（ｂ）に示すように、ディスク収納部２３０が開放した第１の開放状態になる。【００８５】
このとき、第１および第２のディスク収納部２３１、２３２の係止部２３１ｃ、２３２ｃは、第１および第２のロックレバー部２４１、２４２の係止レバー部２４１ｂ、２４２ｂと操作部２３１ｃ、２３２ｃの間に移動する。このため、第１および第２のロックレバー部２４１、２４２は、図６（ａ）のディスク収納部２３０が閉塞した状態と同じ位置に戻る。したがって、ディスク収納部２３０が開放した第１の開放状態においても、第１および第２のロックレバー部２４１、２４２は、ロック解除方向（矢印２４１Ａ方向、矢印２４２Ｂ方向）へ回動できない。また、弾性部２４１ｄ、２４２ｄも元の状態に戻るため、弾性部２４１ｄ、２４２ｄが弾性変形した状態を維持することによるクリープを防止することができる。【００８６】
ディスク収納部２３０が開放した第１の開放状態では、第１および第２ディスク収納部２３１、２３２の内壁が、ディスク１０より離間する。このため、下部支持ベース部材２２０に設けられた位置規制部２２３ａ、２２３ｂと、ディスク装置に設けられた位置決め部材６５が、ディスク１０の外周側面と当接することによって、下部支持ベース部材２２０（支持ベース部材２０５）に対するディスク１０の位置決めが行われる。【００８７】
また、図６（ｂ）に示すように、ディスク収納部２３０が開放した第１の開放状態では、第１および第２のロックレバー部２４１、２４２が、第１および第２のディスク収納部２３１、２３２の矢印２３１Ａ方向、矢印２３２方向への回動を制限する。したがって、ディスク収納部２３０が開放した第１の開放状態では、第１および第２のディスク収納部２３１、２３２が回動して開口部２３０ｗがさらに大きくなり、ディスク１０が脱落するということが防止される。【００８８】
ディスク収納部２３０を閉塞するためには、上記動作の逆動作、すなわち、ディスク装置に設けられた開閉部材１５１、１５２が第１および第２のディスク収納部２３１、２３２を矢印２３１Ｂ、矢印２３２Ｂ方向に回転させることにより行う。このとき、第１および第２のロックレバー部２４１、２４２は、回動する第１および第２のディスク収納部２３１、２３２の係止部２３１ｃ、２３２ｃが当接することにより、それぞれ矢印２４１Ａ、２４２Ａ方向に回動される。図６（ａ）に示すように、ディスク収納部２３０が閉塞すると、第１および第２のロックレバー部２４１、２４２は、それぞれの弾性部２４１ｄ、２４２ｄの弾性力によって、それぞれ矢印２４１Ｂ、矢印２４２Ｂ方向に回動する。第１および第２のロック部材２４１、２４２の係止レバー部２４１ｂ、２４２ｂが、第１および第２のディスク収納部２３１、２３２の係止部２３１ｃ、２３２ｃと当接することにより、ディスク収納部２３０の回転がロックし、ディスク収納部２２０の閉塞動作が完了する。【００８９】
なお、ディスクカートリッジ２０１は、図６（ｂ）に示すように、ディスク収納部２３０が開放した第１の開放状態では、ディスク１０とディスク収納部２３０と支持ベース部材２０５とでディスク１０の回転軸方向に投影されるカートリッジ投影領域が、図６（ａ）に示す閉塞している状態よりも大きくなる。しかし、ディスクカートリッジ２０１の外形が小さくても開口部２３０ｗを大きくすることができ、ヘッドの設計自由度が大幅に向上するという利点がある。【００９０】
次に、ディスクカートリッジ２０１のロック解除の動作について図７を参照しがら説明する。図７は、ディスクカートリッジ２０１の部分断面図で、（ａ）は、第１および第２のディスク収納部２３１、２３２が第１および第２のロックレバー部２４１、２４２によりロックされた状態から第２のロックレバー部２４２のみを矢印２４２Ａ方向に回動させてロックを解除した状態を示しており、（ｂ）は、第１および第２のディスク収納部２３１、２３２が第１および第２のロックレバー部２４１、２４２によりロックされた状態から第１および第２のロック部材２３１、２３２を矢印２４１Ａ方向、矢印２４２Ａ方向にそれぞれ同時に回動させてロック解除した状態を示している。【００９１】
第１および第２のディスク収納部２３１、２３２を閉塞した状態では、図６（ａ）に示すように、第１および第２のロックレバー部２４１、２４２によって、第１および第２のディスク収納部２３１、２３２は、それぞれ矢印２３１Ａ方向および矢印２３２Ａ方向への回転がロックされている。【００９２】
図７（ａ）に示すように、図６（ａ）の状態から、外部よりディスク装置に設けられた部材により第２のロックレバー部２４２の操作部２４２ｃを押圧すると、弾性部２４２ｄが変形し、第２のロックレバー部２４２は矢印２４２Ａ方向に回転する。この状態において、第２のロックレバー部２４２の係止レバー部２４２ｂは、第２のディスク収納部２３２に設けられた係止部２３２ｃと離間して係止状態が解除される。しかしながら、第１および第２のディスク収納部２３１、２３２は連動部２３１ｂ、２３２ｂによって連動しており、第１のディスク収納部２３１は第１のロックレバー部２４１によって矢印２３１Ａ方向への回転がロックされている。このため、第１および第２のディスク収納部２３１、２３２を開放させることはできない。【００９３】
このように、第１および第２のロックレバー部２４１、２４２のいずれか一つが外部よりロック解除される場合、第１および第２のディスク収納部２２１、２２２を開放することはできない。【００９４】
次に、図７（ｂ）に示すように、図６（ａ）の状態から、外部より第１および第２のロック部材２４１、２４２の操作部２４１ｃ、２４２ｃを同時に押圧すると、弾性部２４１ｄ、２４２ｄが変形し、第１および第２のロックレバー部２４１、２４２はそれぞれ矢印２４１Ａ方向および矢印２４２Ａ方向に回転する。この状態において、第１および第２のロックレバー部２４１、２４２の係止レバー部２４１ｂ、２４２ｂは、第１および第２のディスク収納部２３１、２３２の係止部２３１ｃ、２３２ｃからそれぞれ離間し、ロックが解除される。その結果、第１および第２のディスク収納部２３１、２３２はそれぞれ矢印２３１Ａ方向および２３２Ａ方向に回転可能となる。【００９５】
このように、第１および第２のロックレバー部２４１、２４２の両方を同時解除する動作でのみ、第１および第２のディスク収納部２３１、２３２を開放させることができる。【００９６】
なお、連結部２３１ｂと連結部２３２ｂとの間にはバックラッシが設けられている。このため、第１および第２のロックレバー部２４１、２４２の両方を全く同時に解除せず、わずかな時間差をもって解除したとしても、両方の第１および第２のロックレバー部２４１、２４２を操作すれば、ディスク収納部２３０を開放することができる。【００９７】
次に、以上のように構成されるディスクカートリッジ２０１の組立動作方法を説明する。【００９８】
図８は、ディスク収納部２３０をディスク１０が取り出し可能な位置まで開放した第２の開放状態におけるディスクカートリッジ２０１に、ディスク１０とロックレバー支持部２５０を挿入する組立動作状態を示す斜視図である。【００９９】
まず、図３に示すように、第１および第２のディスク収納部２３１、２３２、上部支持ベース部材２１０、下部支持ベース部材２２０、ロックユニット２５３を用意する。これらの部材は、樹脂などによって成形することができる。【０１００】
次に、下部支持ベース部材２２０の回転支軸２２０ａ、２２０ｂを第１および第２のディスク収納部２３１、２３２の回動中心穴２３１ａ、２３２ｂに挿入し、上部支持ベース部材２１０を下部支持ベース部材２２０に溶着または接着する。これにより、図８に示す状態のディスクカートリッジ２０１’が組み立てられる。ディスクカートリッジ２０１’はロックユニット２５３がまだ挿入されていない。【０１０１】
以下、図９から図１３を参照しながら、ディスクカートリッジ２０１’にディスク１０とロックユニット２５３を組み込み、ディスクカートリッジ２０１を完成させる組立動作を説明する。【０１０２】
図９は、ディスクカートリッジ２０１の組立動作中の一状態を示す部分断面図であり、ディスクカートリッジ２０１’を第２の開放状態まで開放した状態を示す。図６に示す状態と異なり、第１および第２のロックレバー部２４１、２４２が存在しないため、第１および第２のディスク収納部２３１、２３２は、第１の状態よりも矢印２３１Ａ方向、矢印２３２Ａ方向へ回転し、下部支持ベース部材２２０（支持ベース部材２０５）に当接する。これにより、図６（ｂ）に示す第１の開放状態の開口部２３０ｗより大きい、第２の開放状態の開口部２３０ｗ’が形成される。第２の開放状態では、ディスク１０を矢印２００Ｂ方向に移動させて、ディスクカートリッジ２０１’内へ挿入したり、矢印２００Ａ方向に移動させてディスクカートリッジ２０１’内のディスク１０を取り出したりすることが可能である。【０１０３】
図９に示す状態から、ディスク１０を矢印２００Ｂ方向へ移動させると、図１０に示すように、ディスク収納部２３０は第２の開放状態まで開放しているので、ディスク１０は、開口部２３０ｗ’を通過してディスクカートリッジ’の内部に挿入される。【０１０４】
図１０に示す状態から、第１および第２のディスク収納部２３１、２３２をそれぞれ矢印２３１Ｂ方向、矢印２３２Ｂ方向に回動すると、図１１に示すように、ディスク収納部２３０は完全に閉塞し、ディスク１０がディスク収納部２３０内に収納される。この状態では、ロックユニット２５３がディスクカートリッジ２０１’に挿入されていないため、ディスク収納部２３０の開放／閉塞は自在である。また、閉塞しているディスク収納部２３０を第２の開放状態まで、開放し、ディスク１０を取り出すことも可能である。【０１０５】
また、図６に示すように、ディスク装置によるディスク収納部２３０の開放／閉塞は、第１および第２のディスク収納部２３１、２３２の切り欠き部２３１ｄ、２３２ｄに、ディスク装置に設けられた開閉部材１５１、１５２を係合させることで行うため、ディスクカートリッジ２０１’の状態でも、問題なくディスク装置に装填して、ディスク収納部２３０の開放／閉塞を行うことができる。したがって、ロックユニット２５３が挿入されていないディスクカートリッジ２０１’は、ディスク１０の挿入および取り出しが自在であるディスクカートリッジとして機能する。例えば、ディスクカートリッジ２０１が装填されるディスク装置の検査工程や、ゲームソフトの開発など、頻繁にディスク１０の交換が必要となる製造／開発工程にディスクカートリッジ２０１’を利用することができる。【０１０６】
図１１に示す状態から、矢印２００Ａ方向に従って、ロックユニット２５３を挿入口２０５ｔ（図４）から支持ベース部材２０５内に挿入すると、図１２に示すように、第１および第２のロックレバー部２４１、２４２の操作部２４１ｃ、２４２ｃが、下部支持ベース部材２２０（支持ベース部材２０５）の内壁に当接する。これにより、第１および第２のロックレバー部２４１、２４２が、それぞれ矢印２４１Ａ方向、矢印２４２Ａ方向に回動する。また、ロックレバー支持部２５０の本体２５０ｔが弾性変形し、ロックレバー支持部２５０全体が撓みながら、ロックユニット２５３が支持ベース部材２０５に挿入される。【０１０７】
第１および第２のロックレバー部２４１、２４２の回動に加え、ロックレバー支持部２５０の本体２５０ｔが撓むことにより、ロックユニット２５３を挿入する際、ロックユニット２５３全体を大きく変形させることができる。このため、ロックユニット２５３の挿入時における負荷を低減でき、ロックユニット２５３を挿入し易くなる。つまり、ディスクカートリッジ２０１を組み立て易くなる。【０１０８】
また、ロックユニット２５３全体が撓むことにより、ロックレバー支持部２５０の第１の保持ツメ部２５１ａ、２５１ｂが、第２の保持ツメ部２５１ｃ、２５１ｄより先に支持ベース部材２０５と係合する。このため、ロックレバー支持部２５０を挿入する際、４つの保持ツメ部のうち２つしか同時に係合せず、ロックユニット２５３を挿入する際に要する力を低減できる。このため、ディスクカートリッジ２０１の組立性が向上する。【０１０９】
図１２に示す状態から、ロックユニット２５３をさらに矢印２００Ａの方向に挿入すると、上述したようにロックユニット２５３全体が撓むため、先に第１の保持ツメ部２５１ａ、２５１ｂが下部支持ベース部材２２０の第１の係合部２２１ａ、２２１ｂ（および上部支持ベース部２１０の第１の係合部２１１ａ、２１１ｂ）と係合する。続いて、第２の保持ツメ部２５１ｃ、２５１ｃが下部支持ベース部材２２０の第２の係合部２２１ｃ、２２１ｄ（および上部支持ベース部２１０の第１の係合部２１１ｃ、２１１ｄ）と係合する。【０１１０】
その結果、図１３に示すように、ロックユニット２５３が完全に支持ベース部材２０５の内部に組み込まれる。第１および第２のロックレバー部２４１、２４２の係止レバー部２４１ｂ、２４２ｂは、第１および第２のディスク収納部２３１、２３２の係止部２３１ｃ、２３２ｃと係合し、第１および第２のディスク収納部２３１、２３２の矢印２３１Ａ方向、矢印２３２方向への回動を制限する。同時に、第１および第２のロックレバー部２４１、２４２の操作部２４１ｃ、２４２ｃは、支持ベース部材２０５の側面のロック解除用溝２００ａ、２００ｂ内に突出しする。これにより、ディスクカートリッジ２０１が完成する。【０１１１】
このように、ロックユニット２５３がディスクカートリッジ２０１’に組み込まれることにより、ディスク収納部２３０が閉塞している状態では、第１および第２のロックレバー部２４１、２４２によって、ディスク収納部２３０の回転をロックされる。また、ディスク収納部２３０が開放している状態では、図６（ｂ）に示すように、第１および第２のロックレバー部２４１、２４２またはロックレバー支持部２５０によって、第１および第２のディスク収納部２３１、２３２が矢印２３１Ａ方向、矢印２３２Ａ方向へ回動するのが制限され、ディスク１０の取り出しを防止する。【０１１２】
なお、前述した組立手順では、ロックユニット２５３をディスクカートリッジ２０１’に挿入する際、第１および第２のディスク収納部２３１、２３２を閉塞してから、支持ベース部材２０５に挿入していた。しかし、第１および第２のディスク収納部２３１、２３２を開放した状態でも組み立てることができる。【０１１３】
図１４は、第１および第２のディスク収納部２３１、２３２が開放した状態から、ロックユニット２５３を挿入した場合の一状態を示す部分断面図である。図１４に示すように、第１および第２のディスク収納部２３１、２３２が開放した状態で、ロックユニット２５３を挿入すると、第１および第２のロックレバー部２４１、２４２の操作部２４１ｃ、２４２ｃが、第１および第２のディスク収納部２３１、２３２の係止部２３１ｃ、２３２ｃと当接する。【０１１４】
このため、ロックユニット２５３を矢印２００Ａ方向に挿入すると、第１および第２のロックレバー部２４１、２４２の操作部２４１ｃ、２４２ｃの当接によって、第１および第２のディスク収納部２３１、２３２がそれぞれ矢印２３１Ｂ方向、矢印２３２Ｂ方向に回動する。これにより、第１および第２のディスク収納部２３１、２３２が開放した状態で、ロックユニット２５３を挿入した場合でも、ロックユニット２５３の挿入動作にともなって、第１および第２のディスク収納部２３１、２３２が閉塞し、なんら問題なくディスクカートリッジ２０１を組み立てることができる。このため、ロックユニット２５３を挿入する時のディスク収納部２３０の開放／閉塞の状態に左右されずに組立を行うことができ、組立時の作業ミスを低減できる。また、ロックユニット２５３を組み込む動作に連動してディスク収納部２３０が閉塞するので、組立工数を低減することも可能である。【０１１５】
ディスクカートリッジ２０１の前述した組み立ては、手動で行うことも可能であるし、組立装置を用いて自動的に行うことも可能である。以下、図１５から図１７を参照して、ディスクカートリッジ２００を組み立てる組立装置の一例を説明する。図１５、図１６および図１７は、ディスクカートリッジ２００の組立装置３００の主要な構成要素の斜視図であり、それぞれディスク１０を挿入する状態、ロックユニット２５３を挿入する状態およびディスクカートリッジ２００の組立完了状態における組立装置３００を示している。【０１１６】
図１５から図１７に示すように、ディスクカートリッジ２００の組立装置３００は、ロックユニット２５３を挿入する前のディスクカートリッジ２０１’を保持するカートリッジ保持部３１０と、ロックユニット２５３を保持し、ロックユニット２５３の移動をガイドする組立ベース部３２０と、ディスク１０の挿入口を有し、ロックユニット２５３の挿入動作時に押圧部材となるディスク挿入ガイド部３３０とを含む。また、組立ベース部３２０には、ロックユニット２５３の矢印３００Ａ方向および矢印３３０Ｂ方向への移動をガイドする組立ガイド部３２１、３２２が設けられている。カートリッジ保持部３１０は、図示しないロボットアームなどによって矢印３００Ａ方向および矢印３３０Ｂ方向に移動可能である。【０１１７】
次に、組立装置３００による組立動作を説明する。図１５に示すように、カートリッジ保持部３１０が組立ガイド部３２１、３２２の上方に位置した状態で、ディスクカートリッジ２０１’をカートリッジ保持部３１０に装填し、ロックユニット２５３を組立ベース部３２０に装填する。ディスクカートリッジ２０１’は支持ベース部材２０５が下側に位置するように垂直に保持される。このため、ディスクカートリッジ２０１’の第１および第２のディスク収納部２３１、２３２は、それぞれ自重によって矢印２３１Ａ方向、２３２方向に回動し、第２の開放状態の開口部２３０ｗ’が形成される。【０１１８】
ディスク挿入ガイド部３３０に設けられたディスク挿入口３３５よりディスク１０を挿入すると、ディスク１０はディスク挿入口３３５にガイドされながら、自重によって矢印３３０Ａ方向に移動（落下）し、ディスクカートリッジ２０１’内部に挿入される。【０１１９】
ディスク１０が挿入された状態（図１０参照）から、カートリッジ保持部３１０を矢印３００Ａ方向に移動させると、図１６に示すように、第１および第２のディスク収納部２３１、２３２が、組立ガイド部３２１、３２２に設けられたテーパ部３２１ａ、３２２ａと当接し、これにより、それぞれ矢印２３１Ｂ方向、矢印２３２Ｂ方向に回動し始める。一方、カートリッジ保持部３１０が矢印３００Ａ方向に移動することによって、ロックユニット２５３が支持ベース部材２０５の挿入口２０５ｔからディスクカートリッジ２０１’内に挿入される。このとき、図１２で説明したように、第１および第２のロックレバー部２４１、２４２がディスクカートリッジ２０１’の支持ベース部材２０５の内壁に当接して、ロックレバー支持部材２５０の本体２５０ｔが弾性変形して、ロックユニット２５３全体が撓む。これにより、ロックユニット２５３が、支持ベース部材２０５に挿入される。【０１２０】
さらにカートリッジ保持部３１０を矢印３００Ａ方向に移動すると、図１７に示すように、ロックユニット２５３が、完全に支持ベース部材２０５の内部に組み込まれる。このとき、ディスク挿入ガイド部３３０によってディスクカートリッジ２０１’上部を矢印３００Ａ方向に押圧することによって、図１３に示すように第１の保持ツメ部２５１ａ、２５１ｂおよび第２の保持ツメ部２５１ｃ、２５１ｄがそれぞれ第１の係合部２２１ａ、２２１ｂおよび第２の係合部２２１ｃ、２２１ｄと係合する。また、第１および第２のロックレバー部２４１、２４２の操作部２４１ｃ、２４２ｃが、支持ベース部材２０５の側面のロック解除用溝２００ａ、２００ｂ内突出する。これにより、ディスクカートリッジ２０１の組み立てが完了する。【０１２１】
このように、ディスクカートリッジ２０１を組み立てる場合、ディスク１０の挿入方向と、ロックレバー支持部材２５０の挿入方向は、同一（向きは逆）である。このため、一方向からの組立動作でディスクカートリッジ２０１を組み立てることができる。ディスクカートリッジ２０１の組立装置は、前述したように一方向への移動動作のみが必要であり、複雑なアームなどの動作を必要としない。このため、組立装置を簡素化することができる。【０１２２】
また、前述したようにディスク１０の挿入方向が垂直となるように組立装置を構成することによって、重力を利用した組立作業を行うことができる。これにより、例えば、前述したように第１および第２のディスク収納部２３１、２３２を回動させる動作を省くことができ、組立装置のさらなる簡略化を行うことができる。【０１２３】
また、垂直方向に装置を構成することによって、装置の構成面積を小さくできる。その結果、組立設備の空間利用効率を向上させ、限られた工場スペースの中に、複数の設備をより多く導入することができる。したがって、生産性の向上も図ることができる。【０１２４】
なお、本実施形態では、第１および第２のロックレバー部２４１、２４２は、図５に示すように、回転ヒンジ部２５０ａ、２５０ｂおよび弾性部２４１ｄ、２４２ｄを介して、それぞれ２ヶ所でロックレバー支持部２５０と一体的に構成されている。しかし、図１８（ａ）に示すように、弾性部２４１ｄ、２４２ｄの端部２４１ｄ’、２４２ｄ’とロックレバー支持部２５０との接合を切って、回転ヒンジ部２５０ａ、２５０ｂのみで、第１および第２のロックレバー部２４１、２４２とロックレバー支持部２５０とを一体的に構成してもよい。また、図１８（ｂ）に示すように、弾性部２４１ｄ、２４２ｄと回転ヒンジ部２５０ａ、２５０ｂを一体化し、回転ヒンジ部２５０ａ、２５０ｂのみで、第１および第２のロックレバー部２４１、２４２とロックレバー支持部２５０とを一体的に構成してもよい。【０１２５】
図１８（ａ）あるいは図１８（ｂ）に示すように、回転ヒンジ部２５０ａ、２５０ｂのみを介して、第１および第２のロックレバー部２４１、２４２を、それぞれ１ヶ所でロックレバー支持部２５０と一体的に構成することにより、第１および第２のロックレバー部２４１、２４２を矢印２４１Ａ方向、矢印２４２Ａ方向に回動させた場合、弾性部２４１ｄ、２４２ｄの弾性変形による弾性力の影響がロックレバー支持部２５０全体に作用しにくく、ロックレバー支持部２５０全体が弾性変形しにくくなる。このため、弾性部２４１ｄ、２４２ｄの弾性力を小さく設計することができる。言い換えれば、ディスク収納部２３０のロック解除力を小さく設定することができる。【０１２６】
また、本実施形態において、ディスクカートリッジ２０１に収納されるディスク１０には、直径が小さいディスクを収納するカートリッジ（例えば、ＭＤカートリッジ）とは異なり、ディスク１０に金属製のクランプ板を設けていない。しかし、クランプ機構を廃止することによるディスク装置の簡略化やディスクカートリッジ２０１のディスク１０上面の開口部２３０を塞ぐことによる補強などの目的で、ディスク１０にクランプ板を設けてもよい。【０１２７】
また、本実施形態では、第１および第２のロックレバー部２４１、２４２が第１および第２のディスク収納部２３１、２３２に当接することで、ロックレバー支持部２５０の挿入動作に連動してディスク収納部２３０が閉塞する。しかし、これに限定されることなく、例えば、ロックレバー支持部２５０が、第１および第２のディスク収納部２３１、２３２と当接することによって、ディスク収納部２３０が閉塞するようにディスクカートリッジを構成してもよい。【０１２８】
以上の説明から明らかなように、本実施形態のディスクカートリッジによれば、ディスク収納部２３０の開放量を制限し、閉塞時にはディスク収納部２３０のロックすることのできるロックユニット２５３を、ディスク収納部２３０および支持ベース部材２０５からなるディスクカートリッジ２０１’の組立完了後に、組み込むことができる。このため、ディスクカートリッジ２０１’単体の状態では、ディスク収納部２３０をディスク１０が取り出し可能な位置まで開放することができ、ディスクカートリッジ２０１’にディスク１０を挿入した後に、ロックユニット２５３を支持ベース部材２０５の挿入口から挿入することにより、ディスクカートリッジ２０１を完成させることができる。これにより、ディスク１０の製造とディスクカートリッジ２０１の組立工程とを完全に分離することができる。その結果、工法および検査方法などに大きな差があるディスク１０の製造とディスクカートリッジ２０１の組立とを別々の場所で行うとことが実現し、製造工程の自由度を高くするとともに製造コストを大幅に削減することができる。【０１２９】
また、ロックユニット２５３を挿入することにより、ディスク収納部２３０の閉塞時には、ディスク収納部２３０のロックを行うことができ、ディスク収納部２３０の開放時には、ディスク収納部２３０の開放量を制限し、するとともにディスクカートリッジ２０１からのディスク１０の取り出しを防止できる。【０１３０】
また、第１および第２のロックレバー部２４１、２４２とロックレバー支持部２５０とを一体的に構成することにより、部品点数の大幅な削減ができ、さらに、組立工数を削減することができる。よって、ディスクカートリッジ２０１の製造コストを低減することができる。【０１３１】
また、ロックユニット２５３を支持ベース部材２０１’に挿入する際、第１および第２のロックレバー部２４１、２４２またはロックレバー支持部２５０が、ディスク収納部２３０の一部と当接するため、ロックユニット２５３の挿入動作に同期してディスク収納部２３０が必ず閉塞させることができる。したがって、ディスク収納部２３０の開放状態には関係なくロックユニット２５３を支持ベース部材２５３に挿入することができる。これにより、ディスクカートリッジ組立時の作業ミスを低減することができる。さらに、ロックユニット２５３の挿入動作でディスク収納部２３０が閉塞するため、ディスクカートリッジ２０１の組立工数を削減することができ、ディスクカートリッジ２０１の製造コストを低減することができる。【０１３２】
また、ロックユニット２５３が挿入されていないディスクカートリッジ２０１’でも、ディスク装置に装填可能であるので、例えば、ディスク装置の検査工程やゲームソフト開発などで、頻繁にディスク１０の交換が必要となる製造および開発工程にディスクカートリッジ２０１’を使用することができる。このため、製造および開発を行うための専用冶具を製作することなく、実製品で代用ができ、製造および開発費の削減を図ることができる。【０１３３】
（第２の実施形態）
以下、本発明によるディスクカートリッジの第２の実施形態を説明する。【０１３４】
図１９は、ディスクカートリッジ２０２の構成部品を示す分解斜視図である。図１９に示すように、本実施形態では、第１および第２のロックレバー部２４１、２４２がロックレバー支持部２５０と別部品で構成されている点が、第１の実施形態のディスクカートリッジ２０１と異なっている。他の構成は第１の実施形態と同一であるので、第1の実施形態と同じ構成要素または対応する構成要素には同じ参照番号を付し、ディスクカートリッジ２０２の全体の構造およびディスク収納部２３０の開放／閉塞動作を省略する。【０１３５】
図１９に示すように、ロックユニット２５３’は、第１および第２のロックレバー部２４１’、２４２’と、ロックレバー支持部２５０とを含み、ロックユニット２５３’を支持ベース部材２０５に組み込むことにより、第１および第２のディスク収納部２３１、２３２が閉塞した状態でこれらの回動をロックする。【０１３６】
第１および第２のロックレバー部２４１’、２４２’は、ロックレバー支持部２５０に設けられている回転支軸２５０ａおよび２５０ｂを、第１のロックレバー部２４１’に設けられた回動中心穴２４１ａおよび第２のロックレバー部２４２’に設けられた回動中心穴２４２ａに挿入し、回動自在に取り付けられる。【０１３７】
第１のロックレバー部２４１’は、係止レバー部２４１ｂと、操作部２４１ｃと、弾性部２４１ｄとを含む。係止レバー部２４１ｂは、ディスク収納部２３０が閉塞した状態で、第１のディスク収納部２３１の係止部２３１ｃに当接して、第１のディスク収納部２３１の回動を規制する。操作部２４１は外部からの係止レバー部２４１ｂと、外部から第１のロックレバー部２４１を操作する操作部２４１ｃと、外部からの操作に抗して弾性変形することで付勢力を発生する弾性部２４１ｄを備えている。【０１３８】
第１のロックレバー部２４１’は、係止レバー部２４１ｂと、操作部２４１ｃと、弾性部２４１ｄとを含む。係止レバー部２４１ｂは、ディスク収納部２３０が閉塞した状態で、第１のディスク収納部２３１の係止部２３１ｃに当接して、第１のディスク収納部２３１が開放状態へ回動するのを規制する。操作部２４１ｃを外部から押下することによって、回動中心穴２４１ａを軸として回動するように第１のロックレバー部２４１’を付勢することができる。弾性部２４１ｄは、操作部２４１ｃによる付勢に抗して弾性変形することで、第１のロックレバー部２４１に付勢力を発生する。【０１３９】
同様に、第２のロックレバー部２４２’は、係止レバー部２４２ｂと、操作部２４２ｃと弾性部２４２ｄとを含む。係止レバー部２４２ｂは、ディスク収納部２３０が閉塞した状態で、第２のディスク収納部２３２の係止部２３２ｃに当接して、第２のディスク収納部２３２が開放状態へ回動するのを規制する。操作部２４２ｃを外部から押下することによって、回動中心穴２４１ｂを軸として回動するように第２のロックレバー部２４２’を付勢することができる。弾性部２４２ｄは、操作部２４２ｃによる付勢に抗して弾性変形することで、第２のロックレバー部２４２に付勢力を発生する。【０１４０】
また、ディスクカートリッジ２０２には、第１および第２のロックレバー部２４１、２４２を操作するための、ロック解除用溝２００ａ、２００ｂが、ディスクカートリッジ２０２の両側面に設けられている。第１および第２のロックレバー部２４１’、２４２’の操作部２４１ｃ、２４２ｃは、ロック解除用溝２００ａ、２００ｂの底部に設けられた開口から溝内に突出している。ただし、操作部２４１ｃ、２４２ｃはディスクカートリッジ２０２の外形より突出しないように構成されており、外部からの意図的な操作によって、ディスク収納部２３０ロックが解除されることを防止している。【０１４１】
さらに第１の実施形態で説明したように、ロックユニット２５３’を挿入するための挿入口２０５ｔが支持ベース部材２０５には形成されている。【０１４２】
次に、図２０および図２１を参照しながら支持ベース部材２０５およびのロックユニット２５３’の構造を説明する。【０１４３】
図２０は、ロックユニット２５３’と支持ベース部材２０５の構造を示す斜視図であり、（ａ）は下部支持ベース部材２２０とロックユニット２５３’とを示し、（ｂ）は上部支持ベース部材２１０とロックユニット２５３’とを示している。【０１４４】
図２１は、ロックユニット２５３’の構造を示す平面図であり、（ａ）は支持ベース部材２０５へ組み込む前の状態を示し、（ｂ）は支持ベース部材２０５へ組み込む途中の状態を示し、（ｃ）は支持ベース部材２０５へ組み込みこんだ後の状態を示す。【０１４５】
図２０に示すように、ロックレバー支持部２５０は、支持ベース部材２０５に対して、ロックユニット２５３’を矢印２００Ａ方向に挿入して組み込んだ際の抜け止め用の保持ツメ部２５１ａ、２５１ｂ、上部保持凸部２５１ｃ、２５１ｄおよび下部保持凸部２５１ｅ、２５１ｆを含む。【０１４６】
保持ツメ部２５１ａ、２５１ｂは、支持ベース部材２０５の挿入口２０５ｔの長手方向における両端近傍と係合する。上部保持凸部２５１ｃ、２５１ｄおよび下部保持凸部２５１ｅ、２５１ｆはそれぞれ上部支持ベース部材２１０および下部支持ベース部材２２０の挿入口２０５ｔを構成する縁部の中央部近傍と係合する。【０１４７】
また、ロックレバー支持部２５０に組み込んだ第１および第２のロックレバー部２４１、２４２が脱落するのを防止するために、ロックレバー支持部２５０には脱落防止部２５２ａ、２５２ｂが設けられており、第１および第２のロックレバー２４１’、２４２’には、脱落防止リブ２４１ｆ、２４２ｆが設けられている。【０１４８】
ロックレバー支持部２５０は弾性部材で構成されており、ロックレバー支持部２５０本体２５０ｔには、補強リブ等が設けられていない。このため、本体２５０ｔは弾性変形し易い。後述するように、ロックユニット２５３’を支持ベース部材２０５に対して、矢印２００Ａ方向に挿入する際、ロックレバー支持部２５０の本体２５０ｔが弾性変形して、ロックユニット２５３’全体が撓むことにより、組立性を向上している。【０１４９】
また、ロックレバー支持部２５０には、支持ベース部材２０５に組み込んだ際に、下部支持ベース部材２２０に設けられた位置決め穴２２５ａ、２２５ｂを開口とする凹部を形成するように、位置決め穴２２５ａ、２２５ｂを覆う位置決め穴カバー部２５５ａ、２５５ｂが設けられている。これにより、位置決め穴２２５ａ、２２５ｂから支持ベース部材２０５内部への埃の進入を防止している。【０１５０】
図２０（ａ）に示すように、下部支持ベース部材２２０の内部には、ロックレバー支持部２５０の保持ツメ部２５１ａ、２５１ｂとそれぞれ係合する係合部２２１ａ、２２１ｂと、ロックレバー支持部２５０の下部保持凸部２５１e、２５１fとそれぞれ係合する係合凹部２２１ｃ、２２１ｄが設けられており、係合部２２１ａ、２２１ｂには、ロックユニット２５３'を矢印２００Ａ方向へ挿入し易くするためのテーパ面が設けられている。【０１５１】
また、下部支持ベース部材２２０には、上部支持ベース部材２１０と重ね合わせる際の位置決めを行う位置決め穴２２２ａ、２２２ｂが設けられている。【０１５２】
同様に、図２０（ｂ）に示すように、上部支持ベース部材２１０の内部には、ロックホルダ２５０の上部保持凸部２５１ｃ、２５１ｄとそれぞれ係合する係合凹部２１１ｃ、２１１ｄが設けられている。【０１５３】
上部支持ベース部材２１０には、下部支持ベース部材２２０に設けられた位置決め穴２２２ａ、２２２ｂと係合して、位置決めを行う位置決めボス２１２ａ、２１２ｂが設けられている。【０１５４】
また、上部支持ベース部材２１０の係合凹部２１１ｃ、２１１ｄ近傍および下部支持ベース部材２２０の係合凹部２２１ｃ、２２１ｄの近傍であって、挿入口２０５ｔの長手方向の中央近傍にはそれぞれリブが設けられている。このため上部支持ベース部材２１０と下部支持ベース部材２２０を重ね合わせて溶着または接着する際、支持ベース部材２０５の側面部を構成するリブ部分に加えて、これらのリブを互いに溶着または接着することによって、支持ベース部材２０５の中央部が接合される。これにより、ロックユニット２５３’が組み込まれていない状態でも支持ベース部材２０５の強度を向上させることができる。【０１５５】
また、ロックレバー支持部２５０の保持ツメ部２５１ａ、２５１ｂが下部支持ベース部材２２０の係合部２２１ａ、２２１ｂと係合し、ロックレバー支持部２５０の上部保持凸部２５１ｃ、２５１ｄおよび下部保持凸部２５１ｅ、２５１ｆは、上部支持ベース部材２１０の係合凹部２１１ｃ、２１１ｄおよび下部支持ベース部材２２０の係合凹部２２１ｃ、２２１ｄとそれぞれ係合する。このため、ロックユニット２５３が支持ベース部材２５３に確実に保持される。【０１５６】
なお、本実施形態では、第１の実施形態とは異なり、支持ベース部材２０５の中央部近傍におけるロックレバー支持部２５０の保持を、支持ベース部材２５０の厚み方向に係合させている。このため、係合部における係り量は第１の実施形態に比べ大きくすることができない。しかし、上部支持ベース部材２１０、下部支持ベース部材２２０のそれぞれに係合する保持凸部を設け、係合箇所を増やすことにより、ロックユニット２５３’の保持強度を高めている。【０１５７】
次に、図２１を参照しながら、第１および第２ロックレバー部２４１’、２４２’とロックレバー支持部２５０によって構成されるロックユニット２５３’の組立を説明する。【０１５８】
図２１（ａ）に示すように、第１の実施形態と異なり、第１および第２のロックレバー部２４１’、２４２’は、ロックレバー支持部２５０と別の部品で構成されている。なお、本実施例では、第１および第２のロックレバー部２４１’、２４２’は同一部品（表裏同一の形状）で構成し、部品の金型コストの削減と、組立時による部品間違いの防止を図っている。【０１５９】
図２１（ａ）の状態から、第１および第２のロックレバー部２４１’、２４２’の弾性部２４１ｄ、２４２ｄを弾性変形させながら、それぞれ矢印２４１Ａ方向、矢印２４２Ａ方向に傾けた状態で、ロックレバー支持部２５０の回動支軸２５０ａ、２５０ｂに第１および第２のロックレバー部２４１’、２４２’の回動中心穴２４１ａ、２４２ａを挿入する。これにより、図２１（ｂ）に示すように、第１および第２のロックレバー部２４１’、２４２’の脱落防止リブ２４１e、２４２eとロックレバー支持部２５０の脱落防止部２５２ａ、２５２ｂが接触しない状態で、ロックレバー支持部２５０に第１および第２のロックレバー部２４１、２４２が組み込まれる。【０１６０】
図２１（ｂ）の状態から、第１および第２のロックレバー部２４１’、２４２’を弾性部２４１ｄ、２４２ｄの付勢力によって、矢印２４１Ｂ方向、矢印２４２Ｂ方向に回動させると、図２１（ｃ）に示すように、第１および第２のロックレバー部２４１’、２４２’の脱落防止リブ２４１ｆ、２４２ｆが、ロックレバー支持部２５０の脱落防止部２５２ａ、２５２ｂにそれぞれ係合してロックユニット２５３’が完成する。この脱落防止リブ２４１ｆ、２４２ｆと脱落防止部２５２ａ、２５２ｂとは、ロックレバー支持部２５０の回転支軸２５０ａ、２５０ｂの軸方向にオーバラップするため、第１および第２のロックレバー部２４１’、２４２’がロックレバー支持部２５０の回転支軸２５０ａ、２５０ｂから脱落するのを防止する。したがって、ねじ止めや別部材での締結などを行うことなく、ロックユニット２５３’を完成させることができ、部品点数、組立工数を削減できる。【０１６１】
なお、第１および第２のロックレバー部２４１’、２４２’には、当接部２４１ｅ、２４２ｅが設けられており、第１の実施形態と同様に、ロックユニット２５３’を支持ベース部材２０５に組み込むことにより、当接部２４１ｅ、２４２ｅが第１および第２のロックレバー２４１、２４２の弾性部２４１ｄ、２４２ｄの付勢力によって、支持ベース部材２０５内壁と当接する。この当接部２４１ｅ、２４２ｅがストッパーとして機能するため、ディスクカートリッジ２０１における第１および第２のロックレバー２４１’、２４２’の位置精度が向上する。【０１６２】
次に、ディスクカートリッジ２０２の組立を説明する。図２２は、ディスク収納部２３０をディスク１０の取り出し、挿入が可能な位置まで開放した第２の開放状態におけるディスクカートリッジ２０２’に、ディスク１０とロックユニット２５３’を挿入する組立動作を示す斜視図である。【０１６３】
第１の実施形態で説明したように、まず、下部支持ベース部材２２０の回転支軸２２０ａ、２２０ｂを第１および第２のディスク収納部２３１、２３２の回動中心穴２３１ａ、２３２ｂに挿入し、上部支持ベース部材２１０を下部支持ベース部材２２０に溶着または接着する。これにより、図２２に示す状態のディスクカートリッジ２０２’が組み立てられる。また、前述したようにロックユニット２５３’を組みたてる。【０１６４】
以下、図２３から図２７を参照しながら、ディスクカートリッジ２０２’にディスク１０とロックユニット２５３’を組み込み、ディスクカートリッジ２０２を完成させる組立動作を説明する。【０１６５】
図２３は、ディスクカートリッジ２０２の組立動作中の一状態を示す部分断面図で、ディスクカートリッジ２０２’を第２の開放状態まで開放した状態を示す。図２３に示すように、第１および第２のディスク収納部２３１、２３２は、下部支持ベース部材２２０（支持ベース部材２０５）によって、矢印２３１Ａ方向、矢印２３２Ａ方向へ回動しないように規制される。このため、第２の開放状態の開口部２３０ｗ’は、図６（ｂ）に示す第１の開放状態の開口部２３０ｗより大きく、ディスク１０を矢印２００Ａ方向または矢印２００Ｂ方向に従って、出し入れ可能である。【０１６６】
図２３に示す状態から、ディスク１０を矢印２００Ｂ方向に従って、ディスクカートリッジ２０２’に挿入する。図２４に示すように、ディスク収納部２３０が第２の開放状態まで開放しているので、ディスク１０は、開口部２３０ｗ’を通過してディスクカートリッジ２０２’の内部に挿入される。【０１６７】
図２４に示す状態から、第１および第２のディスク収納部２３１、２３２をそれぞれ矢印２３１Ｂ方向、矢印２３２Ｂ方向に回動すると、図２５に示すように、ディスク収納部２３０は完全に閉塞し、ディスク１０がディスク収納部２３０に収納される。この状態では、ロックユニット２５３’が挿入されていないため、ディスク収納部２３０の開放／閉塞は自在である。また、第２の開放状態まで、ディスク収納部２３０を開放し、ディスク１０を取り出すことも可能である。【０１６８】
図６を参照して説明したように、ディスク装置によるディスク収納部２３０の開放／閉塞は、第１および第２のディスク収納部２３１、２３２の切り欠き部２３１ｄ、２３２ｄに、ディスク装置に設けられた開閉部材１５１、１５２を係合させることで行う。このためロックユニット２５３’が組み込まれていないディスクカートリッジ２０２’でも、問題なくディスク装置に装填して、ディスク収納部２３０の開放／閉塞を行うことができる。したがって、ディスクカートリッジ２０２’は、カートリッジ内部からのディスク１０の取り出しが自在であり、例えば、ディスクカートリッジ２０２が装填されるディスク装置の検査工程や、ゲームソフト開発などで、頻繁にディスク１０の交換が必要となる製造／開発工程に用いることが可能である。【０１６９】
図２５の状態から、ロックユニット２５３’を矢印２００Ａ方向に従ってディスクカートリッジ２０２’に挿入すると、図２６に示すように、第１および第２のロックレバー部２４１’、２４２’の操作部２４１ｃ、２４２ｃは、下部支持ベース部材２２０（支持ベース部材２０５）の内壁に当接する。これにより、第１および第２のロックレバー部２４１、２４２が回動支軸２５０ａ、２５０ｂを中心にそれぞれ矢印２４１Ａ方向、矢印２４２Ａ方向に回動するとともに、ロックレバー支持部２５０の本体２５０ｔが弾性変形して、ロックユニット２５３’全体が撓みながら支持ベース部材２０５に挿入される。【０１７０】
第１および第２のロックレバー部２４１’、２４２’の回動に加え、ロックレバー支持部２５０の本体２５０ｔが撓むことにより、ロックユニット２５３’を挿入する際、ロックユニット２５３’全体を大きく変形させることができる。このため、ロックユニット２５３’の挿入時における負荷を低減でき、ロックユニット２５３’を挿入し易くなる。つまり、ディスクカートリッジ２０２を組み立て易くなる。【０１７１】
また、ロックユニット２５３’全体が撓むことにより、ロックレバー支持部２５０の保持ツメ部２５１ａ、２５１ｂが、保持凸部２５１ｃ〜２５１ｆより先に支持ベース部材２０５と係合する。ロックユニット２５３’を挿入する際、６つの保持ツメ部または保持凸部のうち２つしか同時に係合しないため、ロックユニット２５３’を挿入する際に要する力を低減できる。このため、ディスクカートリッジ２０２の組立性が向上する。【０１７２】
図２６の状態から、ロックユニット２５３’を矢印２００Ａ方向に挿入すると、前述したようにロックレバー支持部２５０全体が撓むため、先に保持ツメ部２５１ａ、２５１ｂが係合し、続いて保持凸部２５１ｃ〜２５１ｆが係合する。これにより、図２７に示すように、ロックユニット２５３’が完全に支持ベース部材２０５の内部に組み込まれる。第１および第２のロックレバー部２４１’、２４２’の係止レバー部２４１ｂ、２４２ｂは、第１および第２のディスク収納部２３１、２３２の係止部２３１ｃ、２３２ｃと係合して、第１および第２のディスク収納部２３１、２３２が矢印２３１Ａ方向、矢印２３２方向へ回動するのを規制する。同時に、第１および第２のロックレバー部２４１’、２４２’の操作部２４１ｃ、２４２ｃは、支持ベース部材２０５の側面のロック解除用溝２００ａ、２００ｂ内に突出する。これにより、ディスクカートリッジ２０２が完成する。【０１７３】
ロックユニット２５３’がディスクカートリッジ２０２’に組み込まれることにより、ディスク収納部２３０が閉塞している状態では、第１および第２のロックレバー部２４１、２４２によって、ディスク収納部２３０の回動がロックさる。またディスク収納部２３０が開放している状態では、図６（ｂ）を参照して説明したように、ロックユニット２５３’によって、第１および第２のディスク収納部２３１、２３２が矢印２３１Ａ方向、矢印２３２Ａ方向にさらに回動し、開口部が大きくなるのが規制される。これにより、ディスク１０の取り出しが防止される。【０１７４】
なお、前述した組立手順では、ロックユニット２５３’をディスクカートリッジ２０２’に組み込む際、第１および第２のディスク収納部２３１、２３２を閉塞してから、支持ベース部材２０５に挿入した。しかし第１および第２のディスク収納部２３１、２３２が開放した状態から、ロックユニット２５３’を組み込んでもよい。【０１７５】
図２８は、第１および第２のディスク収納部２３１、２３２が開放した状態から、ロックユニット２５３’を挿入した場合の一状態を示す部分断面図である。図２８に示すように、第１および第２のディスク収納部２３１、２３２が開放した状態で、ロックユニット２５３’を挿入すると、第１および第２のロックレバー部２４１’、２４２’の操作部２４１ｃ、２４２ｃが、第１および第２のディスク収納部２３１、２３２の係止部２３１ｃ、２３２ｃと当接する。このため、ロックユニット２５３’を矢印２００Ａ方向に挿入すると、第１および第２のロックレバー部２４１’、２４２’の操作部２４１ｃ、２４２ｃの当接によって、第１および第２のディスク収納部２３１、２３２がそれぞれ矢印２３１Ｂ方向、矢印２３２Ｂ方向に回動する。したがって、第１および第２のディスク収納部２３１、２３２が開放した状態で、ロックユニット２５３’を挿入した場合でも、ロックユニット２５３’を挿入動作に連動してディスク収納部２３０が閉塞し、なんら問題なくディスクカートリッジ２０２を組み立てることができる。このため、ロックユニット２５３’を挿入する時のディスク収納部２３０の開放／閉塞の状態に左右されずに組立を行うことができ、組立時の作業ミスを低減できる。また、ロックユニット２５３’を組み込む動作に連動してディスク収納部２３０が閉塞するので、組立工数の削減を行うことも可能である。【０１７６】
以上の説明から明らかなように、本実施形態のディスクカートリッジによれば、第１の実施形態と同様、ディスク収納部２３０の開放量を制限し、閉塞時にはディスク収納部２３０のロックすることのできるロックユニット２５３’を、ディスク収納部２３０および支持ベース部材２０５からなるディスクカートリッジ２０２’の組立完了後に、組み込むことができる。このため、ディスクカートリッジ２０２’単体の状態では、ディスク収納部２３０をディスク１０が取り出し可能な位置まで開放することができ、ディスクカートリッジ２０２’にディスク１０を挿入した後に、ロックユニット２５３’を支持ベース部材２０５の挿入口から挿入することにより、ディスクカートリッジ２０２を完成させることができる。これにより、ディスク１０の製造とディスクカートリッジ２０２の組立工程とを完全に分離することができる。その結果、工法および検査方法などに大きな差があるディスク１０の製造とディスクカートリッジ２０２の組立とを別々の場所で行うとことが実現し、製造工程の自由度を高くするとともに製造コストを大幅に削減することができる。【０１７７】
また、ロックユニット２５３’を挿入することにより、ディスク収納部２３０の閉塞時には、ディスク収納部２３０のロックを行うことができ、ディスク収納部２３０の開放時には、ディスク収納部２３０の開放量を制限し、するとともにディスクカートリッジ２０２からのディスク１０の取り出しを防止できる。【０１７８】
また、第１の実施形態と異なり、第１および第２のロックレバー部２４１’、２４２’をロックレバー支持部２５０と別部品で構成することにより、支軸を中心として第１および第２のロックレバー部２４１’、２４２’を回動させることができ、回転動作を安定化することができる。さらに、第１および第２のロックレバー部２４１’、２４２’とロックレバー支持部２５０を別材料で構成したり、第１および第２のロックレバー部２４１’、２４２’の弾性部２４１ｄ、２４２ｄのバネ性を最適に調整できるので、第１および第２のロックレバー部２４１’、２４２’およびロックレバー支持部２５０の設計自由度が向上する。【０１７９】
（第３の実施形態）
以下、本発明によるディスクカートリッジの第３の実施の形態を説明する。図２９（ａ）および（ｂ）は、本発明によるディスクカートリッジ２０３の全体構成を示す斜視図であり、図３０は図２９に示すディスクカートリッジ２０３の内部構成を示す分解斜視図である。図３１（ａ）および（ｂ）は図２９に示すディスクカートリッジ２０３の裏面側を示す斜視図である。これらの図に示すように、ディスクカートリッジ２０３は上部支持ベース部材９４１および下部支持ベース部材９４２より構成された支持ベース部材９４０、第１のディスク収納部上体９２１および第１のディスク収納部下体９２２で構成された第１のディスク収納部９２０、第２のディスク収納部上体９３１および第１のディスク収納部下体９３２で構成された第２のディスク収納部９３０を備える。また、第１および第２のロック部材９５０、９６０を備える。【０１８０】
支持ベース部材９４０、第１のディスク収納部９２０、および第２のディスク収納部９３０は、第１および第２の実施形態における支持ベース部材２０５、第１のディスク収納部２１０、および第２のディスク収納部２２０にそれぞれ対応しており、同様の機能を備える。【０１８１】
第１および第２のディスク収納部９２０、９３０は、ディスク９１０の厚み方向に隙間を有した袋形状であり、図２９（ａ）および図３１（ａ）に示すように第１および第２のディスク収納部９２０および９３０が閉塞した状態において、各々の袋形状の開口の縁部分が互いに密着し、ディスク９１０の全面が露出しないようにディスク９１０を覆って収納する。【０１８２】
また、図２９（ｂ）および図３１（ｂ）に示すように、第１および第２のディスク収納部９２０、９３０が開放した状態では、ディスクカートリッジ２０３の外部から、スピンドルモータ、クランプ部材などのディスク９１０を回転させる手段によりディスク９１０をチャックするため、および、記録および／または再生するヘッドが侵入し、ディスク９１０にアクセスするための略扇形領域の開口部９００Ａを支持ベース部材９４０、第１のディスク収納部９２０および第２のディスク収納部９３０とで構成する。【０１８３】
したがって、第１および第２のディスク収納部９２０、９３０は、ディスクカートリッジ２０３の外殻をなすハウジングの機能と、開口部９００Ａを開放および閉塞するシャッタ機能の２つの機能を兼ね備えている。【０１８４】
また、図３１に示すように、下部支持ベース部材９４２には、ディスクカートリッジ２０３を使用するディスク装置（不図示）内で回転可能に載置されたディスク９１０と平行な面内におけるディスクカートリッジ２０３を位置決めするための、第１および第２の位置決め穴９４０ＣＬおよび９４０ＣＲが設けられている。また、下部支持ベース部材９４２の両側面部には第１および第２の切り欠き部９４０ＤＬ、９４０ＤＲが設けられている。第１および第２の切り欠き部９４０ＤＬ、９４０ＤＲは、例えばトレイ方式のローディングにおいて、ディスクカートリッジ２０３が表裏逆向きに装填されることを防止するために使用されたり、スロットローディング方式におけるディスクカートリッジ２０３の把持のためなどに使用されたりする。【０１８５】
図３０に示すように、下部支持ベース部材９４２に設けられた第１および第２の回転支軸９４２Ａ、９４２Ｂに、第１ディスク収納部９２０に設けられた回動中心穴９２２Ａおよび第２のディスク収納部９３０に設けられた回動中心穴９３２Ａがそれぞれ、挿入されることによって、第１および第２のディスク収納部９２０、９３０は支持ベース部材９４０に対して回動可能に取り付けられる。【０１８６】
第１および第２のディスク収納部９２０、９３０は、互いに噛み合って係合する連動部９２２Ｃ、９３２Ｃをそれぞれ備える。これにより、第１のディスク収納部９２０と第２のディスク収納部９３０とは、互いに逆方向へ連動して回動を行うことができる。【０１８７】
また、第１および第２のディスク収納部９２０、９３０には、第１および第２の切り欠き部９２２Ｂ、９３２Ｂが設けられており、第１および第２のディスク収納部９２０、９３０の開放および閉塞の動作を行うために使用される。【０１８８】
第１および第２のロック部材９５０、９６０は、ロック回動中心穴９５１およびロック回動中心穴９６１をそれぞれ有し、これらの穴に下部支持ベース部材９４２に設けられている第１および第２の回動支軸９４２Ｄ、９４２Ｃが挿入される。これにより第１および第２のロック部材９５０、９６０は支持ベース部材９４０に回動自在に取り付けられる。【０１８９】
第１のロック部材９５０は、係止レバー部９５３と、操作部９５２と弾性部９５４とを含む。係止レバー部９５３は、ディスク収納部９３０が閉塞した状態で、第１のディスク収納部９２０の係止部９２３に当接して、第１のディスク収納部９２０が開放状態へ回動するのを規制する。操作部９５２を外部から押下することによって、ロック回動中心穴９５１を軸として回動するように第１のロック部材９５０を付勢することができる。弾性部９５４は、操作部９５２による付勢に抗して弾性変形することで、第１のロック部材９５０に付勢力を発生する。【０１９０】
同様に、第２のロック部材９６０は、係止レバー部９６３と、操作部９６２と弾性部９６４とを含む。係止レバー部９６３は、ディスク収納部９３０が閉塞した状態で、第２のディスク収納部９３０の係止部９３３に当接して、第２のディスク収納部９３０が開放状態へ回動するのを規制する。操作部９６２を外部から押下することによって、ロック回動中心穴９６１を軸として回動するように第１のロック部材９６０を付勢することができる。弾性部９６４は、操作部９６２による付勢に抗して弾性変形することで、第２のロック部材９６０に付勢力を発生する。【０１９１】
第１および第２のロック部材９５０、９６０の操作部９５２、９６２は、ディスクカートリッジ２０３をディスク装置に装填する際、ディスク装置に設けられた部材に押下される。ディスクカートリッジ２０３には、第１および第２のロック部材９５０、９６０の操作部９５２、９６２を押圧するための部材が通過するための、ロック解除用溝が設けられている。【０１９２】
具体的には、第１および第２のディスク収納部９２０、９３０および支持ベース部材９４０は、第１および第２のディスク収納部９２０、９３０の回転回動中心である回動中心穴９２２Ａ、９３２Ａを結ぶ線分に直交する側面にロック解除用溝を備えている。より具体的には、第１および第２のディスク収納部９２０、９３０には第１の収納部用溝９２０Ａおよび第２の収納部用溝９３０Ａがそれぞれ設けられている。支持ベース部材９４０には左本体溝９４０ＡＬおよび右本体溝９４０ＡＲが設けられている。第１および第２のディスク収納部９２０、９３０が閉塞した状態では、第１の収納部用溝９２０Ａと左本体溝９４０ＡＬならびに、第２の収納部用溝９３０Ａと右本体溝９４０ＡＲはそれぞれ連続した１つの溝を形成する。【０１９３】
図３２（ａ）および（ｂ）は、第１および第２のロック部材９５０、９６０の操作部９５２、９６２近傍の構造を示す断面図である。支持ベース部材９４０の左本体溝９４０ＡＬおよび右本体溝９４０ＡＲの底部には、それぞれ開口９４０ＧＬ、９４０ＧＲが設けられており、開口９４０ＧＬ、９４０ＧＲから第１および第２のロック部材９５０、９６０の操作部９５２、９６２がそれぞれ左本体溝９４０ＡＬおよび右本体溝９４０ＡＲ内へ突出している。ただし、ディスクカートリッジ２０３の外形より突出しないように、つまり、左本体溝９４０ＡＬおよび右本体溝９４０ＡＲからは突出しないように構成されている。これにより、外部から意図せずに操作部９５２、９６２が押下されることを防止している。【０１９４】
以下において詳細に説明するように、第１および第２のディスク収納部９２０、９３０をロックした状態では、９５２、９６２で示す第１の突出量Ｃ３、Ｃ４で開口９４０ＧＬ、９４０ＧＲから左本体溝９４０ＡＬおよび右本体溝９４０ＡＲ内に突出している。また、ロックが解除した状態では、９５２Ｂ、９６２Ｂで示す第２の突出量Ｃ１、Ｃ２で開口９４０ＧＬ、９４０ＧＲから左本体溝９４０ＡＬおよび右本体溝９４０ＡＲ内に突出している。【０１９５】
また、左本体溝９４０ＡＬおよび右本体溝９４０ＡＲのディスクカートリッジ２０３をディスク装置に挿入する際に先端となる側と反対側の底部上には突出部９４７Ｌ、９４７Ｒが設けられている。突出部９４７Ｌ、９４７Ｒの左本体溝９４０ＡＬおよび右本体溝９４０ＡＲの底部からの突出量は、Ｂ５、Ｂ６で示される。【０１９６】
突出量Ｂ５、Ｂ６は、第１の突出量Ｃ３、Ｃ４よりも小さく第２の突出量Ｃ１、Ｃ２よりも大きい。この関係を満たすことにより、第１および第２のロック解除部７６２ａ、７６２ｂにより、正しく第１および第２のディスク収納部９２０、９３０のロックを解除することができる。また、突出部９４７Ｌ、９４７Ｒを第１および第２のロック解除部７６２ａ、７６２ｂと当接させることにより、ディスクカートリッジ２０３を前後逆向きでディスク装置に挿入しようとした場合に、突出部９４７Ｌ、９４７Ｒがストッパーとして機能する。【０１９７】
次に、図３３から図３６を参照しながら、ディスクカートリッジ２０３における第１および第２のディスク収納部９２０、９３０の開放または閉塞動作を説明する。【０１９８】
図３３はディスクカートリッジ２０３に対応したディスク装置５００にディスクカートリッジ２０３を挿入する前の状態を示す斜視図である。図３３に示すように、ディスク装置５００は、トラバースベース７２０と、スピンドルモータ７３０と、光ヘッド７４０と、カートリッジホルダ７６０とを備える。【０１９９】
スピンドルモータ７３０には、ターンテーブル７３０ａが設けられており、ターンテーブル７３０ａにディスク９１０を載置することによって、スピンドルモータ７３０がディスク９１０を回転させる。【０２００】
光ヘッド７４０は、ディスク９１０に対して記録および／または再生行う。光ヘッド７４０は、第１および第２のガイド軸７４１および７４２に沿って、ターンテーブル７３０ａに載置されたディスク９１０の半径方向に、不図示の駆動源により移動可能に支持される。スピンドルモータ７３０および第１および第２のガイド軸７４１、７４２はトラバースベース７２０に固定支持される。【０２０１】
トラバースベース７２０には、ディスクカートリッジ２０３に設けられた位置決め穴９４０ＣＬおよび９４０ＣＲに嵌合する位置決めピン７２１、７２２が設けられている。位置決めピン７２１、７２２は、ディスクカートリッジ２０３をディスク９１０の情報記録面に平行な方向に関して位置決めする。また位置決めピン７２１、７２２は、座面７２１ａ、７２２ａを含んでおり、ディスクカートリッジ２０３をディスク９１０の情報記録面に直交する方向に関して位置決めする。【０２０２】
カートリッジホルダ７６０は、ディスクカートリッジ２０３を保持し、トラバースベース７２０に対して、回動中心孔７２０ａおよび７２０ｂを介して、軸付きビス７８１および７８２によって、矢印Ｄ７１０ａ方向および矢印Ｄ７１０ｂ方向へ回動自在に支持される。カートリッジホルダ７６０には、後述するように、ディスクカートリッジ２０３を挿入する際に第１および第２のロック部材９５０および９６０に設けられた第１および第２の操作部９５２および９６２を押下するための第１および第２のロック解除部７６２ａ、７６２ｂが設けられている。ロック解除部７６２ａ、７６２ｂのそれぞれは、ディスクカートリッジ２０３の挿入方向および排出方向に対して傾斜するテーパ面をそれぞれ両端に有するリブ形状を備える。また、トラバースベース７２０に設けられた位置決めピン７２１、７２２との干渉を防ぐために逃げ孔７６３ａ、７６３ｂが設けられている。位置決めピン７２１、７２２は、逃げ孔７６３ａ、７６３ｂを貫通して、カートリッジホルダ７６０に保持されたディスクカートリッジ２０３の位置決め穴９４０ＣＬおよび９４０ＣＲに挿入される。【０２０３】
カートリッジホルダ７６０には、さらに第１および第２の開閉レバー８５１、８５２が設けられている。第１および第２の開閉レバー８５１、８５２は、カートリッジホルダ７６０に設けられた回転支軸７６０ａおよび７６０ｂに対して、回動中心穴８５１ａおよび８５２ａを嵌合させることにより、カートリッジホルダ７６０に回動自在に支持されている。後述するように、第１および第２の開閉レバー８５１、８５２の係合部８５１ｃ、８５２ｃが第１および第２のディスク収納部９２０、９３０に設けられた第１および第２の切り欠き部９２２Ｂ、９３２Ｂに係合し、第１および第２のディスク収納部９２０、９３０の開閉動作を行う。第１および第２の開閉レバー８５１、８５２には矢印Ｄ７２０ａ方向および矢印Ｄ７２０ｂ方向に付勢するための第１および第２のレバー付勢バネ８５３、８５４が設けられている。【０２０４】
次に、図３４から図３７を参照しながら、ディスク装置５００の動作を説明する。【０２０５】
図３４は、ディスクカートリッジ２０３がディスク装置５００に挿入される前の状態、図３５は、第１および第２の切り欠き部９２２Ｂ、９３２Ｂが係合部８５１ｃ、８５２ｃに到達するまでディスクカートリッジ２０３がディスク装置５００に挿入された状態、図３６は、第１および第２のディスク収納部９２０、９３０が開放するまでディスクカートリッジ２０３がディスク装置５００に挿入された状態をそれぞれ示す図である。なお、図３４から図３６において、第１および第２のディスク収納部９２０、９３０が閉塞状態から開放される状態になるまでの動作に関与しないトラバースベース７２０に一体的に構成される一連の部品は、煩雑を避けるため、図示していない。【０２０６】
また同様に煩雑を回避するため、図３４から図３６においては、図２９に示された状態におけるディスクカートリッジ２０３の表側面の構造部、すなわち第１および第２のディスク収納部上体９３１、９３２、上部支持ベース部材９４１、ディスク９１０は示していない。【０２０７】
図３４に示すように、ディスクカートリッジ２０３が、カートリッジホルダ７６０のホルダ開口部から、ガイド壁７６１ａ、７６１ｂにガイドされて矢印Ｄ７６０Ａ方向に挿入される。このとき、ガイド壁７６１ａ、７６１ｂに設けられた第１および第２のロック解除部７６２ａ、７６２ｂは、第１および第２のディスク収納部９２０、９３０に設けられた第１の収納部用溝９２０Ａ、および、第２の収納部用溝９３０Ａに挿入され、これらの溝に沿って相対的に移動する。挿入が進むと、第１および第２のロック解除部７６２ａ、７６２ｂは左本体溝９４０ＡＬおよび右本体溝９４０ＡＲ内を移動する。【０２０８】
図３５に示すように、第１および第２のロック部材９５０、９６０に設けられた第１および第２の操作部９５２、９６２が、第１および第２のロック解除部７６２ａ、７６２ｂと当接し、押下される。これにより、第１および第２のロック部材９５０、９６０は矢印Ｄ９５１Ａ方向および矢印Ｄ９６１Ａ方向に回動する。この時、第１および第２のロック部材９５０、９６０に設けられた係止レバー部９５３、９６３が、それぞれ、第１および第２のディスク収納部９２０、９３０に設けられた第１および第２の係止部９２３、９３３から離間する。これにより、第１および第２のディスク収納部９２０、９３０のロックが解除され、矢印Ｄ９２２Ａ方向および矢印Ｄ９３２Ａ方向への回動可能となる。【０２０９】
この時、同時に、図３５に示すように、所定の状態で待機している第１および第２の開閉レバー８５１、８５２に設けられた第１および第２の係合部８５１ｃ、８５２ｃが、第１および第２のディスク収納部９２０、９３０に設けられた第１および第２の切り欠き部９２２Ｂ、９３２Ｂと係合する。【０２１０】
この後、引き続きディスクカートリッジ２０３を矢印Ｄ７６０Ａ方向に移動させると、第１および第２の係合部８５１ｃ、８５２ｃが、第１および第２の切り欠き部９２２Ｂ、９３２Ｂと係合した状態で、第１および第２の開閉レバー８５１、８５２がそれぞれ矢印Ｄ８５１Ａ方向および矢印Ｄ８５２Ａ方向に回動する。これに伴い、第１および第２のディスク収納部９２０、９３０はそれぞれ矢印Ｄ９２２Ａ方向および矢印Ｄ９３２Ａ方向に回動し、図３６に示すように、ディスクカートリッジ２０３は開放状態となる。この時、第１および操作部９５２、９６２は、第１および第２のロック解除部７６２ａ、７６２ｂの領域を通過し終えており、第１および第２のロック部材９５０、９６０は第１および第２の弾性部９５４および９６４の付勢力により矢印Ｄ９５１Ｂ方向および矢印Ｄ９６１Ｂ方向に回動し、第１および第２のロック部材９５０および９６０は、ロック解除状態となる前の状態に戻る。【０２１１】
これにより、例えば、第１および第２の弾性部９５４、９６４が第１および第２のロック部材９５０、９６０と樹脂材料で一体的に構成される場合においても、第１および第２の弾性部９５４、９６４に応力が加わった状態で長時間維持されることが回避され、樹脂材料のクリープ現象を回避することが可能である。【０２１２】
第１および第２のディスク収納部９２０、９３０を閉塞状態にするには、図３６に示す状態から上記の過程の逆の動作、すなわち、矢印Ｄ７６０Ｂ方向にディスクカートリッジ２０３を移動させることにより行う。【０２１３】
ディスクカートリッジ２０３を矢印Ｄ７６０Ｂ方向に移動させると、第１および第２の係合部８５１ｃ、８５２ｃが、第１および第２の切り欠き部９２２Ｂ、９３２Ｂと係合した状態で、第１および第２の開閉レバー８５１、８５２がそれぞれ矢印Ｄ８５１Ｂ方向および矢印Ｄ８５２Ｂ方向に回動する。これに伴い、第１および第２のディスク収納部９２０、９３０はそれぞれ矢印Ｄ９２２Ｂ方向および矢印Ｄ９３２Ｂ方向に回動し、図３５に示すようにディスクカートリッジ２０３は閉塞状態となる。【０２１４】
図３５に示す状態においては、第１および第２のロック解除部７６２ａ、７６２ｂは第１および操作部９５２、９６２と当接した状態であり、第１および第２のロック部材９５０、９６０はそれぞれ矢印Ｄ９５１Ａ方向およびＤ９６１Ａ方向に回動されている。これよりさらに図３４に示す状態となるまでディスクカートリッジ２０３を移動させると、第１および第２のロック部材９５０、９６０は、第１および第２の弾性部９５４、９６４のそれぞれの弾性力によって、それぞれ矢印Ｄ９５１Ｂ方向およびＤ９６１Ｂ方向に回動して戻される。これにより、第１および第２のロック部材９５０、９６０の第１および第２の係止レバー部９５３および９６３が、第１および第２のディスク収納９２０、９３０に設けられた第１および第２の係止部９２３、９３３と当接して、第１および第２のディスク収納部９２０、９３０の回転がロックされる。【０２１５】
次に、第１および第２のロック解除部７６２ａ、７６２ｂによる第１および第２のディスク収納部９２０、９３０のロックの解除について詳細に説明する。【０２１６】
なお図３７（ａ）および（ｂ）はロック部材９５０、９６０を解除する機能に関連するディスクホルダ７６０およびディスクカートリッジ２０３の寸法を示した図である。また、第１および操作部９５２、９６２近傍の構造は図３２（ａ）および（ｂ）に示している。図３７においては、ディスク９１０の外周を二点鎖線で示している。【０２１７】
上述したように支持ベース部材９４０の両側面には、左本体溝９４０ＡＬおよび９４０ＡＲが、第１および第２のディスク収納部９２０および９３０には第１および第２の収納部用溝９２０Ａ、９３０Ａがそれぞれ設けられている。これらは同等の深さを有している。また、支持ベース部材９４０の左本体溝９４０ＡＬおよび右本体溝９４０ＡＲのディスクカートリッジ２０３をディスク装置に挿入する際に先端となる側と反対側の底部上には、突出部９４７Ｌ、９４７Ｒが設けられている。【０２１８】
図３７において、ディスク９１０の中心を点ＯＤ、下部支持ベース部材９４２に設けられた第１の回転支軸９４２Ａと第２の回転支軸９４２Ｂの互いの中心点を結ぶ線分の中点を点Ｏ１２、第１および第２の切り欠き閉位置９２２Ｂ０および９３２Ｂ０から第１および第２の切り欠き開位置９２２Ｂ１および９３２Ｂ１に至るまでの、点ＯＤと点Ｏ１２とを結ぶ線分に平行な方向に関する寸法成分を寸法Ｍ１Ｌおよび寸法Ｍ１Ｒとする。さらに、図３７および図３２において、第１および第２のロック部材９５０、９６０が第１および第２のディスク収納部９２０、９３０の矢印Ｄ９２２Ａ方向および矢印Ｄ９３２Ａ方向への回動をロックしている状態における第１および操作部９５２、９６２の位置を、位置９５２Ｂ、９６２Ｂとする。【０２１９】
また、位置９５２、９６２にある時における第１および第２のロック解除部９５２、９６２の、左本体溝９４０ＡＬおよび右本体溝９４０ＡＲの溝底からに対して最も遠い箇所（頂点）を通り、点ＯＤと点Ｏ１２を結ぶ線分に平行な直線をそれぞれ直線Ｌ１およびＬ２とし、第１および第２のロック部材９５０および９６０がロック状態である際における第１および操作部９５２および９６２の外形部分のうち、左突出部９４７Ｌおよび右突出部９４７Ｒの設けられた側とは反対側における、直線Ｌ１およびＬ２との交点を点Ｐ３およびＰ４とする。さらに、左本体溝９４０ＡＬおよび右本体溝９４０Ｒの底と、左突出部９４７Ｌおよび右突出部とを連結する斜面９４７ＬＴおよび９４７ＲＴと、直線Ｌ１およびＬ２との交点をそれぞれＰ５およびＰ６とする。【０２２０】
この時、図３４から図３６に示すように、ディスクカートリッジ２０３をディスク装置５００へ挿入することにより、第１および第２のロック解除部７６２ａ、７６２ｂが確実に第１および第２のロック部材９５０、９６０による第１および第２のディスク収納部９２０、９３０のロック状態を解除して開放するためには、Ｍ１Ｌ＜Ｍ２Ｌ、および、Ｍ１Ｒ＜Ｍ２Ｒである必要がある。【０２２１】
これは、ディスクカートリッジ２０３の挿入動作のみで、まず第１および第２のロック解除部７６２ａ、７６２ｂが、第１および第２のロック操作部９５２、９６２の押圧を開始し、左突出部９４７Ｌおよび右突出部９４７Ｒの一部と干渉するまでの距離で、切り欠き部９２２Ｂ、９３２Ｂを、第１および第２の切り欠き閉位置９２２Ｂ０、９３２Ｂ０から第１および第２の切り欠き開位置９２２Ｂ１、９３２Ｂ１まで移動させる必要があるためである。【０２２２】
この時、斜面９４７ＬＴ、９４７ＲＴの、左本体溝９４０ＡＬおよび右本体溝９４０ＡＲとの結合部側を、第１および第２の操作部９５２、９６２側に近づける方向の斜面にすることで、ディスクカートリッジ２０３挿入完了後において第１および第２のロック解除部と左突出部９４７Ｌおよび右突出部９４７Ｒとの干渉を有効に回避することができ、ディスクカートリッジ２０３の、挿入方向に関する全長をより短くすることが可能となる。【０２２３】
なお、図３４から図３６に示すように、ディスクカートリッジ２０３が正しくディスク装置５００に挿入された場合、図３６に示すように、左突出部９４７Ｌおよび右突出部９４７Ｒが第１および第２のロック解除部７６２ａ、７６２ｂと干渉することはない。しかし、図３６に示す状態よりもさらにディスクカートリッジ２０３を挿入しようとした場合には、左突出部９４７Ｌおよび右突出部９４７Ｒが、第１および第２のロック解除部７６２ａ、７６２ｂと干渉することにより、ディスクカートリッジ２０３がこの状態からさらに奥へ移動するのを防止する。これにより、ディスクカートリッジ２０３が過度に奥へ挿入されることを防止することが可能となる。【０２２４】
また、ディスクカートリッジ２０３が、正しくディスク装置５００に挿入されない場合、たとえば、図３８に示すように、ディスクカートリッジ２０３の前後を逆にしてディスク装置５００に挿入し酔うとした場合、左突出部９４７Ｌが第２のロック解除部７６２ｂと干渉し、右突出部９４７Ｒが第１のロック解除部７６２ａと干渉することにより、ディスクカートリッジ２０３をさらに挿入されることを防止する。【０２２５】
この時、図３８に示すように、ディスクカートリッジ２０３の前後を逆向きにして挿入するのを防止することができる条件は、第１のロック解除部７６２ａと第２のロック解除部７６２ｂとの間隔、および、左突出部９４７Ｌと右突出部９４７Ｒの互いの最頂部同士の間隔を、図３７（ａ）および（ｂ）に示すように、それぞれＢ１およびＢ２とすると、Ｂ１＜Ｂ２の場合である。【０２２６】
ただし、Ｂ２の寸法をディスクカートリッジ２０３の全幅寸法と同一にすると、ディスク装置５００に挿入を完了した際の、第１および第２の操作部９５２、９６２と第１および第２のロック解除部７６２ａ、７６２ｂとの干渉を回避するための領域が確保できなくなる。このため、ディスクカートリッジ２０３の挿入が完了した後、第１および第２の操作部９５２、９６２と第１および第２のロック解除部７６２ａ、７６２ｂとが干渉した状態が維持される。その結果、第１および第２の操作部９５２、９６２が押圧され続け、第１および第２の弾性部９５４、９６４にストレスがかかった状態で維持されることとなる。【０２２７】
この場合、第１および第２のロック部材９５０、９６０が、第１および第２の弾性部９５４、９６４、第１および第２の操作部９５２、９６２とともに一体的に樹脂材料などで構成されていると、第１および第２の弾性部９５４、９６４には長時間ストレスがかかった状態が維持され、クリープ変形を起こす。【０２２８】
また、ただし、Ｂ２の寸法をディスクカートリッジ２０３の全幅寸法と同一にした上で、ディスクカートリッジ２０３の挿入が完了した際の第１および第２の操作部９５２、９６２と第１および第２のロック解除部７６２ａ、７６２ｂとの干渉を回避するための領域を確保しようとすると、左突出部９４７Ｌおよび右突出部９４７Ｒを、ディスクカートリッジ２０３の挿入方向と反対側へ後退させなければならない。つまり、ディスクカートリッジ２０３の挿入方向の全長寸法を大きくする必要がある。また、またこれに伴いディスク装置５００の寸法も大きくなり、ディスクカートリッジ２０３およびディスク装置５００を小型化することが困難となる。【０２２９】
これらのことから、Ｂ２の寸法は、Ｂ１＜Ｂ２の条件を満たし、かつ、可能な範囲で狭く設定することが好ましい。また、寸法Ｍ２Ｌおよび寸法Ｍ２Ｒは大きくし過ぎると、ディスクカートリッジ２０３の全体の寸法が大きくなり過ぎる。このため、概ねディスク９１０の半径寸法よりも小さく設定するのが好ましい。【０２３０】
以上のように、本実施形態のディスクカートリッジによれば、シャッタ機能とハウジング機能を兼ねた２つのディスク収納部を両方向に回動させることにより、開口部を開放および閉塞する構造をとるディスクカートリッジにおいて、左突出部９４７Ｌあるいは右突出部９４７Ｒを設けることにより、ディスクカートリッジ２０３が正規の挿入方向とは逆の方向に挿入されることを防止することが可能となる。つまり、ディスクカートリッジ２０３が逆方向に誤って挿入され、第１および第２のディスク収納部２２１および２２２がディスク装置５００から突出した状態で、ロック状態が解除され、開放されうる状態になることが回避される。このため、収納されるディスク９１０が不用意に露出したり、さらには脱落したりすることがなく、ディスク９１０が損傷を受けることを防止することが可能となる。【０２３１】
また、正規の挿入量以上の過度に挿入されることを防止することが可能であり、収納されたディスク、ディスクカートリッジあるいはディスク装置を破損してしまうことを回避できる。【０２３２】
本実施形態のディスクカートリッジ２０３では、上述した効果に加えて、左突出部９４７Ｌあるいは右突出部９４７Ｒをディスクカートリッジ２０３の挿入方向に直交する幅方向に関する位置決め部位として利用し、ディスクカートリッジ２０３のディスク装置５００ないにおける位置決めを容易にしている。この効果を図３９および図４０を参照して説明する。【０２３３】
図３９は、ディスクカートリッジ２０３をカートリッジホルダ６０へ挿入し、左突出部９４７Ｌおよび右突出部９４７Ｒが、第１および第２のロック解除部７６２ａ、７６２ｂと当接する直前の状態を示す模式図であり、図４０は、これらが当接した状態を示す模式図である。図３９に示すように、ディスクカートリッジがカートリッジホルダ６０へ挿入される際にディスクカートリッジ２０３の中央付近に矢印３０１に示す位置へ力が加えられると、姿勢がほぼ安定した状態でディスクカートリッジ２０３は矢印３０２Ａ方向に移動する。【０２３４】
一方、この時に中央からずれて、矢印３０５に示す位置へ力が加えられると、第１および第２の係合部１５１Ｃ、１５２Ｃが第１および第２の切り欠き部２２１ｄ、２２２ｄに係合しているものの、ディスクカートリッジ２０３はカートリッジホルダ６０に対して、矢印３０２方向に自由度を有しているため姿勢が不安定となり、矢印３０２Ｂ方向に力が発生する。このため、ディスクカートリッジは挿入方向の直交方向における位置が不安定となる。【０２３５】
この後、図４０に示す状態までディスクカートリッジ２０３をカートリッジホルダ６０に対してさらに挿入すると、左突出部９４７Ｌおよび右突出部９４７Ｒに設けられた斜面９４７ＬＴ／９４７ＲＴが、第１および第２のロック解除部７６２ａ、７６２ｂに設けられた解除部斜面７６２ａｔ、７６２ｂｔと当接する。この時、ディスクカートリッジ２０３が矢印３０１方向に力を加えられた場合には、図３９で示した場合と同様、ほぼ安定して矢印３０２Ａ方向に移動する。一方、中央からずれて矢印３０５に示す位置へ力が加えられた場合でも、やはりほぼ安定して矢印３０２Ａ方向にしか力が発生しない。【０２３６】
これは以下の理由による。まず、ディスクカートリッジ２０３に矢印３０５Ｂ方向の力が加えられると、図４０に示すように斜面９４７ＬＴ、９４７ＲＴが解除部斜面７６２ａｔ、７６２ｂｔと当接している状態では、両者の界面において矢印３１０Ｒ、３１０Ｌに示す力が加わる。この反力としてディスクカートリッジ２０３は矢印３２０Ｒ、３２０Ｌに示す力を受ける。この矢印３２０Ｒ、３２０Ｌに示す力のディスクカートリッジの挿入方向の直交方向と、界面に平行な方向に関する分力は、それぞれ３２１Ｌ、３２１Ｒ、および３２２Ｌ、３２２Ｒとなる。ディスクカートリッジ２０３に矢印３０５方向に示す位置へ力が加えられた場合においても、矢印３１０Ｌ、３１０Ｒに示す力は互いに等しいため、矢印３２１Ｌ、３２１Ｒに示す力も当然等しくなる。すなわち、ディスクカートリッジ２０３を挿入する方向の直交方向には力の不釣り合いが生じない。したがって、図４０に示す状態、つまり、左突出部９４７Ｌおよび右突出部９４７Ｒが、第１および第２のロック解除部７６２ａ、７６２ｂと当接する状態においては、ディスクカートリッジ２０３の位置が安定する。【０２３７】
本実施形態のディスクカートリッジ２０３は、左突出部９４７Ｌあるいは右突出部９４７Ｒを備えることにより、上述した効果を発揮するが、左突出部９４７Ｌあるいは右突出部９４７Ｒを利用する構造をディスク装置側にさらに設けることにより、ディスクカートリッジ２０３を装填した状態における位置あわせ精度をより高めることができる。【０２３８】
図４１は、ディスク装置５００において、第１のロック解除部７６２ａに第１位置決め当接部位７６２ｃをさらに設けた例を示している。図４１は、ディスクカートリッジ２０３の第１のロック部材９５０が設けられた側の構造のみを示しているが、第２のロック部材９６０が設けられた側についても、図４１に示す構造と対称な同様の構造を備えている。【０２３９】
図４１に示すように、第１のロック部材９５０が第１のロック解除部７６２ａによりロック状態を解除され、第１および第２のディスク収納部９２０、９３０が開放された後、再び第１のロック部材９５０がロック解除前の状態に復帰するまで、ディスクカートリッジ２０３が矢印Ｄ７６０Ａ方向に挿入されると、第１の位置決め当接部７６２ｃは、左本体溝９４０ＡＬの末端に設けられた副溝部９４７Ｌｂに侵入し、左突出部９４７Ｌの頂部９４７Ｌａと当接する。第２のロック部材９６０が設けられた側も同様の状態となる。【０２４０】
この状態では、第１の位置決め当接部７６２ｃが、左突出部９４７Ｌの頂部と当接し、挿入方向と直交する方向に関する位置決めを行うことが可能となる。このため、より高い位置精度を確保することが可能である。また同時に、副溝部９４７Ｌｂにおいて、ディスクカートリッジ２０３の厚み方向に溝の幅を狭くしておけば、第１の位置決め当接部７６２ｃが副溝部９４７Ｌｂに潜入することにより、ディスクカートリッジ２０３の厚み方向に関しても、副溝部９４７Ｌｂにおいて位置決めを行うことが可能である。【０２４１】
このような位置決めは、ディスクカートリッジ２０３の挿入が完了する直前に行われる。このため、位置決め動作に入るまでのディスクカートリッジ２０３の挿入動作においては多少のズレに対する自由度を確保でき、挿入性を損ねることなく、最終的に確実な位置決めを行うことが可能となる。【０２４２】
ディスクカートリッジ２０３の挿入方向の直交方向に関する位置決めを支持ベース部材の側面の左外形面９４９Ｌで行う場合、精度を確保するためには、部品精度として左外形面９４９Ｌの全面を高精度な面とする必要がある。これに対し、左突出部９４７Ｌの頂部９４７Ｌａを位置決めのために使用する場合と、頂部となる面だけを高精度な面とするだけで良い。このため支持ベース部材９４０を製造する際において、精度管理が必要な面が小さくなり、製造時の精度管理を容易にすることが可能となる。さらに、左突出部９４７Ｌの頂部９４７Ｌａの面は、突出した面であるため、例えば切削などにより最終的な仕上げを行うことが容易である。【０２４３】
また、左突出部９４７Ｌは左本体溝９４０ＡＬの底面に対して非直交する方向ｎ傾斜した斜面９４７ＬＴを有しているため、左突出部９４７Ｌの頂部９４７Ｌａの面と第１の位置決め当接部７６２ｃとの当接は円滑に行われる。【０２４４】
また、ディスク装置５００内におけるガタが除去されるため、特に携帯機器等で使用する場合などにおいては、機器に対する外部振動あるいは機器自体が発する内部振動などにより、ディスクカートリッジ２０３がディスク装置５００に対して振動して、振動音を発することを防止することに対しても有効である。【０２４５】
また、図４１に示すように、非常に高度な精度を必要とする左突出部９４７Ｌの頂部９４７Ｌａは左本体溝９４０ＡＬ内にあり、溝から突出せず、左外形面９４９Ｌに防護されることにより、容易に外部と接触あるいは衝突することがない。このため、位置決めを行うための面に対する傷つきや変形を防止でき、精度を損なうことを回避することが可能となる。【０２４６】
また、支持ベース部材９４０は、図３０に示すように上部支持ベース部材９４１および下部支持ベース部材９４２を接合させることにより構成される。この接合を例えば超音波溶着あるいは接着剤による接着などの方法を用いた場合、溶着の際に溶融してはみ出した材料が、ディスクカートリッジ２０３の左外形面９４９Ｌに突出してくることを防止することが可能であり、外観を損ねることを回避できる。【０２４７】
図４２は、ディスクカートリッジ２０３が、対応するカートリッジケース６００に収納された状態を示す図である。カートリッジケース６００にディスクカートリッジ２０３を収納する場合にも、図４１を参照して説明したように、ディスクカートリッジ２０３のディスク装置５００に対する位置決めと同様の構造により、位置決めを行うことができる。図４２に示すように、左突出部９４７Ｌおよび右突出部９４７Ｒの頂上部９４７Ｌａ、９４７Ｒａに左幅位置決め部６１０Ｌおよび右幅位置決め部６１０Ｒを当接させることにより、カートリッジケース６００に収納された状態におけるディスクカートリッジ２０３の、挿入方向に直交する方向に関する位置決めを行うことが可能である。【０２４８】
この場合においても、ディスクカートリッジ２０３はカートリッジケース６００の中で確実に位置決めがされ、また、当接面における摩擦力で、保持力を向上させることも可能である。また同時に、左位置決め部６１０Ｌおよび右位置決め部６１０Ｒは、副溝部９４７Ｌｂ、９４７Ｒｂに侵入するため、ディスクカートリッジ２０３の厚み方向についても位置決めを行うことが可能である。【０２４９】
また、図４１および図４２に示すように、左本体溝９４０ＡＬおよび右本体溝９４０ＡＲ、あるいは、副溝部９４７Ｌｂ、９４７Ｒｂのディスクカートリッジ２０３をディスク装置に挿入する際に先端となる側と反対側は開放状態となっている。このためディスクカートリッジ２０３を図４３に示すようなカートリッジ立て８００に装着することができる。副溝部９４７Ｌｂおよび９４７Ｒｂが開放状態であると、図４３（ａ）に示すように開放部位にガイドリブ８５０および８６０を挿入させることが可能であり、これによりディスクカートリッジ２０３を厚み方向に拘束してガイドを行うことができる。【０２５０】
ガイドリブ８５０、８６０によりガイドされた状態で、カートリッジ立て８００に対してディスクカートリッジ２０３をさらに矢印Ｄ８００方向に押し込むと、支持壁８３０、８４０が矢印Ｄ８１０方向および矢印Ｄ８２０方向にそれぞれ撓み、副溝部９４７Ｌｂ、９４７Ｒｂがガイドリブ８５０および８６０を通過し終えた後、支持壁８３０、８４０の撓みが開放される。これにより、図４３（ｂ）に示すようにディスクカートリッジ２０３がカートリッジ立てに把持される。【０２５１】
この時、ガイドリブ８５０は、第１および第２の操作部９５２、９６２には干渉しないように構成されている。このようにして、ディスクカートリッジ２０３はカートリッジ立て８００に対して、収納されているディスク９１０の情報記録面に平行な面方向、および、ディスク９１０の中心軸に平行な方向に拘束された状態で軽く固定される。【０２５２】
図４３に示したカートリッジ立て８００をさらに複数個並列に連結する場合には、図４４に示すように構成することが可能である。図４４に示すような場合においても、図４３で示す場合と同様、ディスクカートリッジ２０３は複数枚カートリッジ立て８０１に対してガイドリブ８５０および８６０によりディスク９１０の中心軸に平行な方向に対して拘束されている。このため、上部支持ベース部材９４１および下部支持ベース部材９４２の外観面９４１Ｐおよび９４２Ｐを支持しなくても、ディスクカートリッジ２０３は複数枚カートリッジ立て８０１に自立することができる。これにより、部材を介在させることなく複数のディスクカートリッジ２０３を並列させることが可能となり、全体の厚さを抑えることができる。【０２５３】
なお、本実施形態においては、ディスクカートリッジ２０３の両側に第１および第２のロック部材９５０、９６０を設け、各々のロックに対して解除を行うための第１および第２のロック解除部７６２ａ、７６２ｂを設けている。しかし、第１および第２のディスク収納部９２０、９３０に設けられた連動部９２２Ｃ、９３２Ｃにより各ディスク収納部は連動する構成を備えているため、ロックを行うための部材は何れか一方でも、最低限のロック機能は果たすことが可能である。【０２５４】
例えば図４５に示すように、第２のロック部材９６０を設けない場合においても、第１のロック部材９５０により第１のディスク収納部９２０の回動を拘束し、また第２のディスク収納部９３０は連動部９３２Ｃが連動部９２２Ｃに係合することで拘束される。この場合においても、カートリッジホルダ７６０に第１のロック解除部と７６２ａ対称形状の第２のロック解除部７６２ｂを設け、図４５に示す寸法Ｂ１１と寸法Ｂ１２をＢ１１＜Ｂ１２となるようにすれば、上記と同様、ディスクカートリッジ２０３の逆方向からの挿入や、ディスク装置５００への過度な量の挿入を回避するという効果を得ることが可能である。【０２５５】
また、本実施形態においては、左突出部９４７Ｌおよび右突出部９４７Ｒをディスクカートリッジ２０３の両側に設けている。しかし、上記の最低限の機能を得るためには、何れか一方でもディスクカートリッジ２０３の逆方向からの挿入や、ディスク装置５００への過度な量の挿入を回避することは可能である。上記のように、ロックを行うための部材を何れか一方とした場合においては、左本体溝９４０ＡＬあるいは右本体溝９４０ＡＲのうち、ロック部材の設けられていない側の溝は設ける必要はない。【０２５６】
また、上記のように、ロックを行うための部材を何れか一方とし、かつ、ロック部材の設けられない側に溝を設けない場合においては、これに対応する第１のロック解除部７６２ａあるいは第２のロック解除部７６２ｂをカートリッジホルダ７６０に設ける必要はない。【０２５７】
例えば、図４６に示すように、ディスクカートリッジ２０３に第２のロック部材９６０を設けず、これに伴い、右本体溝９４７Ｒおよび右突出部９４０ＡＲを設けないで、右壁９４０ＢＲを封鎖する構造を採用する場合、カートリッジホルダ７６０には第２のロック解除部７６２ｂを設けず、右ガイド壁７６２ｃだけを設ければよい。この場合、第１のロック解除部７６２ａと右ガイド壁７６２ｃとの間隔をＢ１１、左突出部９４７Ｌの最頂部と右壁９４０ＢＲの外殻との間隔をＢ１２とすると、Ｂ２１＜Ｂ２２という寸法条件であれば、上記と同様の効果を得ることが可能である。図４６に示すように、第２のロック解除部７６２ｂが設けられない場合には、第１の位置決め当接部７６２ｃに相当する部位は設ける必要はない。【０２５８】
以上説明したように、本発明のディスクカートリッジによれば、カートリッジ外形を規定していた従来のハウジングをなくし、カートリッジ外形を規定し、かつシャッタ機能も有する一対のディスク収納部を備える。【０２５９】
一対のディスク収納部は、開放することにより、従来のシャッタ付きのディスクカートリッジの開口部に必要であったシャッタの移動ガイドを行うブリッジ部が存在しない大きな開口部を構成できる。したがって、小型カートリッジにおいても大型カートリッジと同等の開口部を設けることができ、ヘッドの設計自由度の向上を図ることができる。【０２６０】
また、ディスク収納部は、カートリッジ外形を規定するハウジング機能を兼ね備えたシャッタ構造であることから、従来のシャッタに比べ、厚み配分を大きくして剛性を高めることができる。したがって、落下衝撃や誤って踏まれた場合においても、情報が入ったディスクを外乱から完全に防御できる安全性が高いシャッタの機能を実現することができる。【０２６１】
また、ディスク収納部の開放量を制限し、閉塞時にはディスク収納部の回転をロックする機能を兼ね備えたロックユニットを、ディスク収納部および支持ベース部材とからなる支持ベース部材の組立完了後に組み込むことができる。このため、支持ベース部材を組み立てた状態では、ディスク収納部をディスクが取り出し可能な位置まで開放することができる。したがって、支持ベース部材までの組立が完了した後にディスクを挿入し、さらにロックユニットを支持ベース部材の挿入口から挿入して、最終的なディスクカートリッジの組立を完了することができる。これにより、ディスクの製造とディスクカートリッジの組立工程を完全に分離することができる。その結果、工法および検査方法などに大きな差があるディスクの製造とディスクカートリッジの組立工程を別々の場所で行うディスクカートリッジの製造方法が実現し、製造工程の自由度を高くするとともに製造コストを大幅に削減することができる。【０２６２】
また、ロックユニットを挿入口から挿入することにより、ディスク収納部の閉塞時には、ディスク収納部の回転のロックを行い、ディスク収納部の開放時には、ディスク収納部の開放量を制限し、ディスクカートリッジからのディスク取り出しを防止できる。【０２６３】
また、ロックレバー部とロックレバー支持部を一体的に構成することにより、部品点数の大幅な削減ができ、さらに、組立工数を削減することができるので、ディスクカートリッジの低コスト化を図ることができる。【０２６４】
また、外部からディスクカートリッジの位置決めを行うために、支持ベース部材に設けられた位置決め穴を覆うカバー部をロックユニットに設けることにより、ロックユニットを挿入することで、外部から位置決め穴を通過して埃が進入するのを防止し、ディスクカートリッジの防塵性の向上を図ることができる。【０２６５】
また、ロックユニットを挿入口から支持ベース部材に挿入する際、ロックレバー部またはロックレバー支持部が、ディスク収納部の一部と当接しながら、ディスク収納部を閉塞させるため、ディスク収納部の開放状態には関係なくロックユニットを支持ベース部材に挿入することができる。これにより、ディスクカートリッジ組立時の作業ミスを低減することができ、さらに、ロックユニットの挿入動作でディスク収納部が閉塞するため、ディスクカートリッジの組立工数を削減することができる。よって、ディスクカートリッジの低コスト化を図ることができる。【０２６６】
また、ロックユニットを支持ベース部材に挿入した状態において、ロックユニットのロックレバー支持部に、支持ベース部材の両側面部に設けられた第１の係止部と係合する一対の第１の保持部および支持ベース部材の中央部に設けられた第２の係止部と係合する第２の保持部を構成することにより、ロックユニットを支持ベース部材に挿入した際の保持力の向上を図ることができる。また、ロックレバー支持部は、ロックレバーの回転軸近傍および弾性部の端部近傍をそれぞれ第１および第２の保持部と支持ベース部材の係合により強固に保持されているので、外部からロックレバーを操作する外力に対してロックユニット全体が弾性変形することなく、ロックレバーは安定して動作することができる。【０２６７】
また、ロックユニットを弾性部材で構成し、さらにロックレバー支持部の本体に補強リブ等を設けず弾性変形しやすい形状で構成することより、ロックユニットを支持ベース部材に挿入する際、ロックユニットのロックレバー支持部が弾性変形する。このため、ロックレバー支持部に設けられた第１および第２の保持部が支持ベース部材に設けられた第１および第２の係止部と係合することができる。また、ロックユニットを挿入する際、ロックユニット全体が撓むために、挿入口の両側面部に設けられた第１の保持部と挿入口の中央部に設けられた第２の保持部が別々に支持ベース部材と係合することができる。したがって、ロックユニットを挿入する際に、第１および第２の保持部に対して、同時に支持ベース部材と係合する際の力が作用しない。このため、ロックレバー支持部の挿入時における挿入力を低減することができ、さらには、ディスクカートリッジの組立性の向上を図ることができる。【０２６８】
また、ロックユニットが挿入されていないディスク収納部および支持ベース部材とからなるディスクカートリッジでも、ディスク装置に装填可能であるので、ディスク装置の検査工程や例えばゲームソフト開発などで、頻繁にディスクの交換が必要となる製造／開発工程にこのようなロック部材のないディスクカートリッジを使用することができる。これにより、製造および開発を行うための専用冶具を製作することなく、実製品で代用ができるので、製造および開発費の削減を図ることができる。【０２６９】
また、本発明のディスクカートリッジによれば、ディスク装置に対する正規の挿入方向と逆方向に挿入することを防止することが可能となる。このため、逆挿入が行われることにより、ディスク装置に設けられたロック解除部が、ディスク収納部の閉塞状態を拘束するためのロック部材を解除するためのロック操作部に到達し、ディスク側が装置から突出した状態でディスク収納部が開放してしまうのを防止することができる。【０２７０】
また、ディスクカートリッジをディスク装置に挿入した際に、過度に挿入することにより、ディスクカートリッジ、ディスク、およびディスク装置内のデバイスなどに損傷を与えることを防止することが可能となる。【０２７１】
また、副溝部が主溝の末端部に設けられることにより、ディスクカートリッジの外形寸法を小さく構成することが可能となる。【０２７２】
また、末端部がディスク収納部の開放動作を妨げないため、ディスクカートリッジの挿入動作に支障をきたすことを防止することが可能となる。【０２７３】
また、主溝の底面と副溝の底面を結ぶ面をテーパ面とすることにより、ディスクカートリッジをディスク装置に挿入した後に、ロック解除部がディスクカートリッジとの干渉箇所を有効に回避することが可能となり、ディスクカートリッジおよびディスク装置の寸法を小さく構成することが可能となる。【０２７４】
また、ロック部材、主溝および副溝をディスクカートリッジの片側だけに設ける構成とすることにより、構成を簡略化することが可能となる。【０２７５】
また、主溝および副溝をディスクカートリッジの両側に設け、ロック部材を片側だけに設ける構成とすることにより、ディスクの誤挿入の防止を確実に行いつつ、部品点数を削減することが可能となる。【０２７６】
また、ロック部材、主溝および副溝をディスクカートリッジの両側に設ける構成とすることにより、ディスクカートリッジの誤挿入を確実に行い、さらにディスク収納部の閉塞状態の拘束も確実に行うことが可能となる。【０２７７】
また、ロック部材をロック解除状態から復帰させる付勢力を与える付勢部材を設けることにより、外部よりロック部材を復帰させるための操作を行う必要がない。【０２７８】
また、ディスク収納部が開放した後にはロック部材を、付勢部材にストレスの加わったロック解除状態から復帰させることができる構成とすることにより、付勢部へのストレスを解放することが可能となり、付勢部への負担を軽減することが可能となる。【０２７９】
また、ロック部材と付勢部材を一体的に構成することにより、部品点数および組立工数を削減することが可能となる。【０２８０】
また、ロック部材を樹脂材料で構成することにより、部品コストを削減することが可能となる。【０２８１】
また、簡便な構成でディスクカートリッジの誤挿入を防止することが可能となる。【０２８２】
また、ロック解除部が主溝内を通過してロックを解除する構成とすることにより、ディスク装置の外形寸法を小さく構成することが可能となる。【０２８３】
また、ロック解除部をロック部材の設けられた側に１カ所だけ設けられることにより、構成を簡便にすることが可能となる。【０２８４】
また、ロック解除部と反対側の壁との間隔を、ディスクカートリッジの副溝と反対側の外形面との寸法より狭く構成することにより、確実にディスクカートリッジの誤挿入を防止することが可能となる。【０２８５】
また、ロック解除部を、ロック部材の設けられている両側に設けることにより、より確実にディスクカートリッジの誤挿入を防止することが可能となる。【０２８６】
また、両側に設けられたロック解除部の間隔を、ディスクカートリッジに設けられた副溝の溝底の間隔よりも狭くすることにより、より確実にディスクカートリッジの誤挿入を防止することが可能となる。【０２８７】
また、ロック解除部が、テーパ面を有するリブ形状であることにより、ディスクカートリッジが挿入された際に、有効に副溝部およびロック操作部を回避することが可能であり、回避できた分だけディスクカートリッジあるいはディスク装置の外形寸法を小さく構成することが可能となる。【０２８８】
また、ディスクカートリッジが正規に挿入された際に、ディスク収納部の開放後にロック解除部がロック部材の復帰を妨害しないため、ロック部材がクリープ変形することを防止することが可能となる。
【産業上の利用可能性】
【０２８９】
本発明は、ディスクへの記録方式には依存せず、光ディスクのみならず、磁気や光磁気など他の記録方式のディスク状記録媒体を収納するディスクカートリッジに好適に用いられ、特に小型のディスク状記録媒体を収納したディスクカートリッジに好適に用いられる。
【図１】
2008044743.tif 000003
【図２】
2008044743.tif 000004
【図３】
2008044743.tif 000005
【図４】
2008044743.tif 000006
【図５】
2008044743.tif 000007
【図６】
2008044743.tif 000008
【図７】
2008044743.tif 000009
【図８】
2008044743.tif 000010
【図９】
2008044743.tif 000011
【図１０】
2008044743.tif 000012
【図１１】
2008044743.tif 000013
【図１２】
2008044743.tif 000014
【図１３】
2008044743.tif 000015
【図１４】
2008044743.tif 000016
【図１５】
2008044743.tif 000017
【図１６】
2008044743.tif 000018
【図１７】
2008044743.tif 000019
【図１８】
2008044743.tif 000020
【図１９】
2008044743.tif 000021
【図２０】
2008044743.tif 000022
【図２１】
2008044743.tif 000023
【図２２】
2008044743.tif 000024
【図２３】
2008044743.tif 000025
【図２４】
2008044743.tif 000026
【図２５】
2008044743.tif 000027
【図２６】
2008044743.tif 000028
【図２７】
2008044743.tif 000029
【図２８】
2008044743.tif 000030
【図２９】
2008044743.tif 000031
【図３０】
2008044743.tif 000032
【図３１】
2008044743.tif 000033
【図３２】
2008044743.tif 000034
【図３３】
2008044743.tif 000035
【図３４】
2008044743.tif 000036
【図３５】
2008044743.tif 000037
【図３６】
2008044743.tif 000038
【図３７】
2008044743.tif 000039
【図３８】
2008044743.tif 000040
【図３９】
2008044743.tif 000041
【図４０】
2008044743.tif 000042
【図４１】
2008044743.tif 000043
【図４２】
2008044743.tif 000044
【図４３】
2008044743.tif 000045
【図４４】
2008044743.tif 000046
【図４５】
2008044743.tif 000047
【図４６】
2008044743.tif 000048
【図４７】
2008044743.tif 000049
【図４８】
2008044743.tif 000050
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
少なくとも片面に情報記録面を有するディスクの一部を収納する空間をそれぞれ有し、互いに接合させることにより、ディスク全体を収納する第１および第２のディスク収納部と、
前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、
前記第１および第２のディスク収納部が閉塞した状態において、前記第１および第２のディスク収納部の回転をそれぞれ防止する第１および第２のロックレバー部、および、前記第１および第２のロックレバー部を回動自在に支持し、前記支持ベース部材に取り付けられるロックレバー支持部を含むロックユニットと、
を備え、
前記支持ベース部材は、前記ロックユニットを挿入可能な挿入口を有しており、
前記ロックユニットを前記挿入口から前記支持ベース部材に挿入しない状態では、前記第１および第２のディスク収納部は、前記ディスクの取り出しが可能な回転角度まで前記開口を開放し、
前記ロックレバー支持部を前記挿入口から前記支持ベース部材に挿入した状態では、前記第１および第２のディスク収納部は、ロックユニットと当接することにより回転角度が制限され、前記ディスクが取り出せないように開口の大きさを制限するディスクカートリッジ。
【請求項２】
前記ロックユニットを前記挿入口から前記支持ベース部材に挿入する際、前記ロックユニットが、前記第１および第２のディスク収納部の一部と当接しながら前記第１および第２のディスク収納部を回転させて前記開口を閉塞させる請求項１に記載のディスクカートリッジ。
【請求項３】
前記支持ベース部材の挿入口は略長方形形状を有し、
前記ロックレバー支持部は、前記ロックユニットを前記支持ベース部材に挿入した状態において、前記挿入口全体を塞ぐ本体を含む請求項２に記載のディスクカートリッジ。
【請求項４】
前記支持ベース部材は前記本体の長手方向の両端近傍に第１の係止部を有しており、
前記ロックレバー支持部は、前記ロックユニットを前記支持ベース部材に挿入した状態において、前記第１の係止部と係合する第１の保持部を有する請求項３に記載のディスクカートリッジ。
【請求項５】
前記支持ベース部材は前記本体の長手方向の中央近傍に第２の係止部を有しており、
前記ロックレバー支持部は、前記ロックユニットを前記支持ベース部材に挿入した状態において、前記第２の係止部と係合する第２の保持部を有する請求項４に記載のディスクカートリッジ。
【請求項６】
前記ロックレバー支持部は弾性部材によって構成されており、前記ロックレバー支持部を前記挿入口から弾性変形させて、前記支持ベース部材に挿入することにより、前記第１および第２の保持部を前記第１および第２の係止部に係合させる請求項５に記載のディスクカートリッジ。
【請求項７】
前記第１および第２のロックレバー部は、回動する方向に付勢力を与える弾性部をそれぞれ有する請求項１から６のいずれかに記載のディスクカートリッジ。
【請求項８】
前記第１および第２のロックレバー部と前記ロックレバー支持部とは一体的に構成されており、前記第１および第２のロックレバー部は、ヒンジ部を介して回動可能に前記ロックレバー支持部に取り付けられている請求項７に記載のディスクカートリッジ。
【請求項９】
前記支持ベース部材は、外部から前記支持ベース部材の位置決めを行うための位置決め穴を有し、
前記ロックレバー支持部は、前記ロックユニットを前記支持ベース部材に挿入した状態において、前記位置決め穴を開口とする凹部を形成するように前記位置決め穴を覆うカバー部を有する請求項８に記載のディスクカートリッジ。
【請求項１０】
前記支持ベース部材の少なくとも一部は、前記第１および第２のディスク収納部が前記ディスクと垂直な方向へ移動するのを抑制するように前記第１および第２のディスク収納部と重なっている請求項９にディスクカートリッジ。
【請求項１１】
少なくとも片面に情報記録面を有するディスクの一部を収納する空間をそれぞれ有し、互いに接合させることにより、ディスク全体を収納する第１および第２のディスク収納部と、
前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、
前記第１および第２のディスク収納部が閉塞した状態において、前記第１および第２のディスク収納部の回転をロックするロック部材と、
を備え、
前記支持ベース部材は、前記第１のディスク収納部の回転中心と前記第２のディスク収納部の回転中心とを結ぶ線分に直交する少なくとも１つの側面を有し、
前記側面は、前記第１および第２のディスク収納部に収納された前記ディスクと平行な方向に伸び、底部と、前記底部に設けられた開口と、前記底部に設けられた突出部とを有する主溝を備え、
前記ロック部材は、外部より前記第１および第２のディスク収納部のロックを解除する操作を行うためのロック操作部を有し、
前記ロック操作部は、前記第１および第２のディスク収納部をロックした状態において、前記主溝の開口から第１の突出量で突出し、前記ロック状態を解除した状態において、前記主溝の開口から第１の突出量よりも小さい第２の突出量で突出し、前記主溝の突出部の底部からの突出量は、前記第１の突出量よりも小さく、前記第２の突出量よりも大きいディスクカートリッジ。
【請求項１２】
前記突出部は、前記主溝の端部近傍に位置しいている請求項１１に記載のディスクカートリッジ。
【請求項１３】
前記突出部は、前記主溝の底面に対して非直交する方向に傾斜した傾斜面を有する請求項１２に記載のディスクカートリッジ。
【請求項１４】
請求項１１から１３のいずれかに規定されるディスクカートリッジを装填することが可能なディスク装置であって、
前記ディスクカートリッジを支持するカートリッジホルダであって、前記ディスクカートリッジを外部から前記カートリッジホルダ内へ挿入し、前記カートリッジホルダ内の前記ディスカートリッジを前記外部へ排出するためのホルダ開口部を有するカートリッジホルダと、
前記カートリッジホルダの前記ホルダ開口部近傍に配置されており、前記ディスクカートリッジの挿入方向を規定する一対のガイド壁と、
前記ディスクを載置し、回転するディスクモータと、
前記ディスクに情報を記録することおよび前記ディスクに記録された情報を再生することの少なくとも一方を行うヘッドと、
前記ヘッドおよび前記ディスクモータを支持するベースと、
を備え、
前記ガイド壁に設けられたロック解除部が前記ロック操作部を押圧することにより、前記第１および第２のディスク収納部のロックを解除するディスク装置。
【請求項１５】
前記ディスクカートリッジを前記カートリッジホルダに挿入し、前記第１および第２のディスク収納部を開放する際に、前記ロック解除部は、前記主溝内を通過し、前記主溝内の前記突出部と当接することによって、前記ディスクカートリッジの前記カートリッジホルダへの挿入量を規定する請求項１４に記載のディスク装置。
【請求項１６】
前記ディスクカートリッジは一対の側面を有し、前記主溝は前記１対の側面の１つのみ設けられており、
前記ロック解除部は前記一対のガイド壁の一方にのみ設けられており、前記ロック解除部と前記ロック解除部が設けられていないガイド壁との最小幅寸法は、前記主溝の突出部の頂上部と前記主溝が設けられていない側面との幅寸法よりも小さい、請求項１５に記載のディスク装置。
【請求項１７】
前記ディスクカートリッジは一対の側面を有し、前記主溝は前記１対の側面のそれぞれに設けられており、
前記ロック解除部は前記一対のガイド壁のそれぞれに設けられており、
前記ロック解除部を含めた幅規制ガイド部の最小幅寸法は、前記一対の主溝の突出部の頂上部間の幅寸法よりも小さい、請求項１５に記載のディスク装置。
【請求項１８】
前記ロック解除部は、前記ディスクカートリッジの挿入方向および排出方向に対して傾斜するテーパ面をそれぞれ両端部に有するリブである請求項１４から１７に記載のディスク装置。
【手続補正２】
【補正対象書類名】明細書
【補正対象項目名】全文
【補正方法】変更
【補正の内容】
【発明の詳細な説明】
【技術分野】
【０００１】
本発明は、光ディスク、磁気ディスク等のディスク状のデータ記憶媒体を収納するディスクカートリッジに関する。
【背景技術】
【０００２】
光ビームを用いて記録あるいは再生を行うＣＤやＤＶＤ等、また、磁気を用いて記録あるいは再生を行うフロッピー（登録商標）ディスク等、さらに光ビームと磁気を用いて記録あるいは再生を行うＭＯやＭＤ等のディスク状のデータ記憶媒体が広く世の中に普及している。特に、ＤＶＤ−ＲＡＭ、ＭＯなどの書換型のデータ記憶媒体は、データを記憶した記録面を保護する観点から、例えば特許文献１に開示されるようなカートリッジ型の収納ケースに収納されている。
【０００３】
図４７は、特許文献１に開示されたディスクカートリッジを模式的に表す斜視図である。図４７において、ディスクカートリッジ１００は、記録および／または再生可能なデータ記憶媒体であるディスク１０を収納し、ディスクカートリッジ１００の外殻をなす支持ベース部材１０１を備える。
【０００４】
支持ベース部材１０１は、上ハウジング１０１ａと下ハウジング１０１ｂとによって構成され、これらを重ね合わせることにより、内部にディスク１０を収納している。
【０００５】
また、支持ベース部材１０１は、スピンドルモータなどのディスク１０を回転させる手段、および、光ヘッドなどの記録および／または再生する手段が支持ベース部材１０１に侵入し、ディスク１０に接近するための開口１０１ｗを有する。開口１０１ｗは、上ハウジング１０１ａおよび下ハウジング１０１ｂの主面に設けられ、支持ベース部材１０１に収納されたディスク１０は、開口１０１ｗにおいて外部に対して露出している。
【０００６】
また、ディスクカートリッジ１００は、支持ベース部材１０１の上面および下面に設けられた開口１０１ｗを覆い、開口１０１ｗより露出したディスク１０の面を保護するために、支持ベース部材１０１を挟持するよう、Ｃ字形に折り曲げられたカートリッジシャッタ１０３を備えている。
【０００７】
カートリッジシャッタ１０３は、図４７に示す矢印Ｐ方向へ平行移動可能であり、バネにより開口１０１ｗが閉じられた状態に戻るように付勢されている。このため、カートリッジシャッタ１０３に外力が加わらない時にはディスク１０が開口１０１ｗから外部に露出しないように構成されている。
【０００８】
支持ベース部材１０１は、開口１０１ｗの外周部分に架橋されたブリッジ部１０４を有する。ブリッジ部１０４は、支持ベース部材１０１の剛性を保ち、かつ、カートリッジシャッタ１０３の矢印Ｐ方向への移動をガイドする。
【０００９】
ディスクカートリッジ１００では、このカートリッジシャッタ１０３により、ディスクカートリッジ１００を携帯して搬送する場合に、開口１０１ｗからの埃の侵入やディスク１０への指紋付着を防止している。
【００１０】
ディスクカートリッジ１００をディスク装置に装填し、ディスク１０にデータの記録を行ったり、ディスク１０に記録されたデータを再生する場合、ディスクをクランプして、スピンドルモータで回転させ、光ヘッドをディスク１０に接近させる必要がある。このため、図４８に示すように、ディスクカートリッジ１００をディスク装置へ挿入する矢印Ｑ方向への移動を利用し、カートリッジシャッタ１０３のノッチ部１０３ａにシャッタオープナ１０４の突起１０４ａを係合させ、移動に伴うシャッタオープナ１０４の回動中心１０４ｂを中心とした矢印Ｒ方向への回動により、カートリッジシャッタ１０３を矢印Ｐ方向へ移動させる。これにより、カートリッジシャッタ１０３を開放し、開口１０１ｗからディスク１０を露出させる。
【特許文献１】特開平９−１５３２６４号公報
【発明の開示】
【発明が解決しようとする課題】
【００１１】
しかし、上述のディスクカートリッジ１００において、カートリッジシャッタ１０３はＣ字型に折り曲げられた構造を有している。このため、高精度な加工を施さないと、形状誤差の小さいカートリッジシャッタ１０３を量産することが難しい。このため、製造コストが高くつく。また、近年、薄型の製品が好まれる傾向にあるが、構造上カートリッジシャッタ１０３を薄くするのは困難である。
【００１２】
また、上述の構造のカートリッジシャッタ１０３を用いる場合、カートリッジシャッタ１０３と支持ベース部材１０１との間に生じる隙間を小さくするのは難しい。このため、支持ベース部材１０１内へ塵埃が侵入するのを完全に防止することは困難であり、ディスク１０への記録あるいはディスク１０からの再生に悪影響が生じる可能性がある。
【００１３】
また、カートリッジシャッタ１０３を構成する板材を厚くすることは、ディスクカートリッジ１００の厚さの制限から難しく、これにより、カートリッジシャッタ１０３は、構造的に脆弱である。その結果、ディスクカートリッジ１００に衝撃を与えた場合や、誤ってカートリッジを踏んだ場合には、ディスクの情報記録面に致命的な損傷ダメージを与える問題が生じる。
【００１４】
また、上記のようなディスクカートリッジ１００では、カートリッジシャッタ１０３の開閉を行うためのガイドとなるブリッジ部１０４を開口部１０１ｗに架橋するように上ハウジング１０１ａもしくは下ハウジング１０１ｂに設ける必要がある。このため、ディスク１０にアクセスする光ヘッドが高さ方向に厚い場合、ブリッジ部１０４と干渉し、ディスク１０に接近できないという問題が生じる。
【００１５】
また、カートリッジシャッタ１０３の開閉動作が直線的であるため、小型のディスクを収納するようにディスクカートリッジ１００の外形を小さくした場合、開口部１０１ｗの面積は極めて小さくなる。このため、小型のカートリッジが使用される小型機器もしくはディスクビデオカメラにおいては、ヘッドの大きさも極め小さくする必要があり、ヘッドの設計上に問題点が生じる。
【００１６】
また、ディスクカートリッジ１００をディスク装置に挿入し、回転するディスク１０に対して記録および／または再生を行うためには、ディスク装置内におけるディスクカートリッジ１００の位置決め誤差を許容するための空間を、支持ベース部材１０１内部に確保する必要がある。このため、ディスク１０は、支持ベース部材１０１内部において、位置決め誤差を許容するための空間で、ディスクカートリッジ１００内で保持されることなく自由に移動し得る。その結果、支持ベース部材１０１内部においてディスク１０がガタつくことになり、ディスク１０の情報記録面が傷ついたり、ディスク１０と支持ベース部材１０１の内壁との衝突により、粉塵を生じ、その粉塵がディスク１０に付着するという問題点が生じる。
【００１７】
また、ディスクカートリッジ１００を製造する場合、ディスク１０の製造と、ディスクカートリッジ１００の構成部品の製造およびディスクカートリッジ１００の組立工程とには、工法または検査工程などに大きな差がある。一方、ディスク１０を支持ベース部材１０１内部に収納するには、上ハウジング１０１ａと下ハウジング１０１ｂを重ね合わせる際に行うため、ディスクカートリッジ１００の製造工程の途中でディスク１０の収納を行う必要がある。このため、ディスク１０単体の製造とディスクカートリッジ１００単体の組立工程とを完全に分離し、別々の場所で行うことができず、製造コストの削減を図れないという問題が生じる。
【００１８】
本発明は上記の課題の少なくとも１つを解決し、外形が小さくても大きなヘッド開口部を設けることが可能なディスクカートリッジを提供することを目的とする。また、ディスクの製造とディスクカートリッジ単体の組立工程を別々の場所で行うことのできるディスクカートリッジを提供することを目的とする。
【課題を解決するための手段】
【００１９】
本発明のディスクカートリッジは、少なくとも片面に情報記録面を有するディスクの一部を収納する空間をそれぞれ有し、互いに接合させることにより、ディスク全体を収納する第１および第２のディスク収納部と、前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、前記第１および第２のディスク収納部が閉塞した状態において、前記第１および第２のディスク収納部の回転をそれぞれ防止する第１および第２のロックレバー部、および、前記第１および第２のロックレバー部を回動自在に支持し、前記支持ベース部材に取り付けられるロックレバー支持部を含むロックユニットとを備え、前記支持ベース部材は、前記ロックユニットを挿入可能な挿入口を有しており、前記ロックユニットを前記挿入口から前記支持ベース部材に挿入しない状態では、前記第１および第２のディスク収納部は、前記ディスクの取り出しが可能な回転角度まで前記開口を開放し、前記ロックレバー支持部を前記挿入口から前記支持ベース部材に挿入した状態では、前記第１および第２のディスク収納部は、ロックユニットと当接することにより回転角度が制限され、前記ディスクが取り出せないように開口の大きさを制限する。
【００２０】
ある好ましい実施形態において、前記ロックユニットを前記挿入口から前記支持ベース部材に挿入する際、前記ロックユニットが、前記第１および第２のディスク収納部の一部と当接しながら前記第１および第２のディスク収納部を回転させて前記開口を閉塞させる。
【００２１】
ある好ましい実施形態において、前記支持ベース部材の挿入口は略長方形形状を有し、前記支持ベース部材の前記ロックレバー支持部は、前記ロックユニットを前記支持ベース部材に挿入した状態において、前記挿入口全体を塞ぐ本体を含む。
【００２２】
ある好ましい実施形態において、  前記支持ベース部材は前記本体の長手方向の両端近傍に第１の係止部を有しており、前記ロックレバー支持部は、前記ロックユニットを前記支持ベース部材に挿入した状態において、前記第１の係止部と係合する第１の保持部を有する。
【００２３】
ある好ましい実施形態において、前記支持ベース部材は前記本体の長手方向の中央近傍に第２の係止部を有しており、前記ロックレバー支持部は、前記ロックユニットを前記支持ベース部材に挿入した状態において、前記第２の係止部と係合する第２の保持部を有する。
【００２４】
ある好ましい実施形態において、前記ロックレバー支持部は弾性部材によって構成されており、前記ロックレバー支持部を前記挿入口から弾性変形させて、前記支持ベース部材に挿入することにより、前記第１および第２の保持部を前記第１および第２の係止部に係合させる。
【００２５】
ある好ましい実施形態において、前記第１および第２のロックレバー部は、回動する方向に付勢力を与える弾性部をそれぞれ有する。
【００２６】
ある好ましい実施形態において、前記第１および第２のロックレバー部とロックレバー支持部とは一体的に構成されており、前記第１および第２のロックレバー部は、ヒンジ部を介して回動可能に前記ロックレバー支持部に取り付けられている。
【００２７】
ある好ましい実施形態において、  前記支持ベース部材は、外部から前記支持ベース部材の位置決めを行うための位置決め穴を有し、前記ロックレバー支持部は、前記ロックユニットを前記支持ベース部材に挿入した状態において、前記位置決め穴を開口とする凹部を形成するように前記位置決め穴を覆うカバー部を有する。
【００２８】
ある好ましい実施形態において、前記支持ベース部材の少なくとも一部は、前記第１および第２のディスク収納部が前記ディスクと垂直な方向へ移動するのを抑制するように前記第１および第２のディスク収納部と重なっている。
【００２９】
本発明のディスクカートリッジは、少なくとも片面に情報記録面を有するディスクの一部を収納する空間をそれぞれ有し、互いに接合させることにより、ディスク全体を収納する第１および第２のディスク収納部と、前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、前記第１および第２のディスク収納部が閉塞した状態において、前記第１および第２のディスク収納部の回転をロックするロック部材とを備え、前記支持ベース部材は、前記第１のディスク収納部の回転中心と前記第２のディスク収納部の回転中心とを結ぶ線分に直交する少なくとも１つの側面を有し、前記側面は、前記第１および第２のディスク収納部に収納された前記ディスクと平行な方向に伸び、底部と、前記底部に設けられた開口と、前記底部に設けられた突出部とを有する主溝を備え、前記ロック部材は、外部より前記第１および第２のディスク収納部のロックを解除する操作を行うためのロック操作部を有し、前記ロック操作部は、前記第１および第２のディスク収納部をロックした状態において、前記主溝の開口から第１の突出量で突出し、前記ロック状態を解除した状態において、前記主溝の開口から第１の突出量よりも小さい第２の突出量で突出し、前記主溝の突出部の底部からの突出量は、前記第１の突出量よりも小さく、前記第２の突出量よりも大きい。
【００３０】
ある好ましい実施形態において、前記突出部は、前記主溝の端部近傍に位置しいている。
【００３１】
ある好ましい実施形態において、前記突出部は、前記主溝の底面に対して非直交する方向に傾斜した傾斜面を有する。
【００３２】
本発明のディスク装置は、上記いずれかに規定されるディスクカートリッジを装填することが可能なディスク装置であって、前記ディスクカートリッジを支持するカートリッジホルダであって、前記ディスクカートリッジを外部から前記カートリッジホルダ内へ挿入し、前記カートリッジホルダ内の前記ディスカートリッジを前記外部へ排出するためのホルダ開口部を有するカートリッジホルダと、前記カートリッジホルダの前記ホルダ開口部近傍に配置されており、前記ディスクカートリッジの挿入方向を規定する一対のガイド壁と、前記ディスクを載置し、回転するディスクモータと、前記ディスクに情報を記録することおよび前記ディスクに記録された情報を再生することの少なくとも一方を行うヘッドと、前記ヘッドおよび前記ディスクモータを支持するベースとを備え、前記ガイド壁に設けられたロック解除部が前記ロック操作部を押圧することにより、前記第１および第２のディスク収納部のロックを解除する。
【００３３】
ある好ましい実施形態において、前記ディスクカートリッジを前記カートリッジホルダに挿入し、前記第１および第２のディスク収納部を開放する際に、前記ロック解除部は、前記主溝内を通過し、前記主溝内の前記突出部と当接することによって、前記ディスクカートリッジの前記カートリッジホルダへの挿入量を規定する。
【００３４】
ある好ましい実施形態において、前記ディスクカートリッジは一対の側面を有し、前記主溝は前記１対の側面の１つのみ設けられており、前記ロック解除部は前記一対のガイド壁の一方にのみ設けられており、前記ロック解除部と前記ロック解除部が設けられていないガイド壁との最小幅寸法は、前記主溝の突出部の頂上部と前記主溝が設けられていない側面との幅寸法よりも小さい。
【００３５】
ある好ましい実施形態において、前記ディスクカートリッジは一対の側面を有し、前記主溝は前記１対の側面のそれぞれに設けられており、前記ロック解除部は前記一対のガイド壁のそれぞれに設けられており、前記ロック解除部を含めた幅規制ガイド部の最小幅寸法は、前記一対の主溝の突出部の頂上部間の幅寸法よりも小さい。
【００３６】
ある好ましい実施形態において、前記ロック解除部は、前記ディスクカートリッジの挿入方向および排出方向に対して傾斜するテーパ面をそれぞれ両端部に有するリブである。
【００３７】
本発明のディスクカートリッジの製造方法は、少なくとも片面に情報記録面を有するディスクの一部を収納する空間をそれぞれ有し、互いに接合させることにより、ディスク全体を収納する第１および第２のディスク収納部と、前記ディスクを外部からチャッキングし、前記ディスクの情報記録面に対して情報の記録および再生の少なくとも一方を行うヘッドがアクセスするための開口を、前記ディスクに対して形成または閉塞するように前記第１および第２のディスク収納部をそれぞれ回転支持するディスク収納部用回転支持部を有する支持ベース部材と、前記第１および第２のディスク収納部が閉塞した状態において、前記第１および第２のディスク収納部の回転をそれぞれ防止する第１および第２のロックレバー部、および、前記第１および第２のロックレバー部を回動自在に支持し、前記支持ベース部材に取り付けられるロックレバー支持部を含むロック部材とを備え、前記支持ベース部材は、前記ロック部材を挿入可能な挿入口を有しており、前記ロック部材を前記挿入口から前記支持ベース部材に挿入しない状態では、前記第１および第２のディスク収納部は、前記ディスクの取り出しが可能な回転角度まで前記開口を開放し、前記ロックレバー支持部を前記挿入口から前記支持ベース部材に挿入した状態では、前記第１および第２のディスク収納部は、ロック部材と当接することにより回転角度が制限され、前記ディスクが取り出せないように開口の大きさを制限するディスクカートリッジの製造方法であって、前記第１および第２のディスク収納部がそれぞれ回転可能なように支持された支持ベース部材を用意する工程（Ａ）と、前記第１および第２のディスク収納部が前記ディスクの取り出しが可能な回転角度まで開放した状態となるように前記支持ベース部材を保持する工程（Ｂ）と、前記第１のディスク収納部および第２のディスク収納部の開口から前記ディスクを内部へ挿入する工程（Ｃ）と、前記支持ベース部材に前記ロック部材を挿入する工程（Ｄ）と、を包含する。
【００３８】
ある好ましい実施形態において、前記第１および第２のディスク収納部を支持した支持ベース部材を、前記支持ベース部材が下方に位置し、かつ前記第１および第２のディスク収納部を支持した支持ベース部材を垂直方向に保持した状態で前記工程（Ａ）、（Ｂ）、（Ｃ）および（Ｄ）を行う。
【００３９】
ある好ましい実施形態において、前記工程（Ｂ）において、前記第１および第２のディスク収納部を重力によって回動させる。
【００４０】
ある好ましい実施形態において、前記工程（Ｄ）において、前記ロック部材を弾性変形させながら挿入を行う。
【発明の効果】
【００４１】
本発明のディスクカートリッジによれば、カートリッジ外形を規定していた従来のハウジングをなくし、カートリッジ外形を規定し、かつシャッタ機能も有する一対のディスク収納部を備える。一対のディスク収納部は開放することにより、従来のシャッタ付きのディスクカートリッジの開口部に必要であったシャッタ用の移動ガイド部が存在しない大きなヘッド開口部を構成できる。従って小型カートリッジにおいても大型カートリッジと同等のヘッド開口部を設けることができる。また、一対のディスク収納部の一部と重なる支持ベース部材を備えているため、収納したディスクと垂直な方向への変形にも強い堅牢なディスクカートリッジが実現する。
【００４２】
また、ディスク収納部の開放量を制限し、閉塞時にはディスク収納部の回転をロックする機能を兼ね備えたロック部材を、ディスク収納部および支持ベース部材とからなる支持ベース部材の組立完了後に組み込むことができる。このため、支持ベース部材を組み立てた状態では、ディスク収納部をディスクが取り出し可能な位置まで開放することができる。したがって、支持ベース部材までの組立が完了した後にディスクを挿入し、さらにロック部材を支持ベース部材の挿入口から挿入して、最終的なディスクカートリッジの組立を完了することができる。これにより、ディスクの製造とディスクカートリッジの組立工程を完全に分離することができる。その結果、工法および検査方法などに大きな差があるディスクの製造とディスクカートリッジの組立工程を別々の場所で行うディスクカートリッジの製造方法が実現し、製造工程の自由度を高くするとともに製造コストを大幅に削減することができる。
【００４３】
また、本発明のディスクカートリッジによれば、ディスク装置に対する正規の挿入方向と逆方向に挿入することを防止することが可能となる。このため、逆挿入が行われることにより、ディスク装置に設けられたロック解除部が、ディスク収納部の閉塞状態を拘束するためのロック部材を解除するためのロック操作部に到達し、ディスク側が装置から突出した状態でディスク収納部が開放してしまうのを防止することができる。
【発明を実施するための最良の形態】
【００４４】
（第１の実施形態）
以下、本発明の第１の実施形態について図面を参照しながら詳細に説明する。まず、図１から図３を参照しながら、本発明によるディスクカートリッジの第１の実施形態の構成および構造を説明する。
【００４５】
図１は、ディスクカートリッジ２０１全体を示す斜視図であり、（ａ）はディスク収納部２３０が閉塞した状態を示し、（ｂ）はディスク収納部２３０が開放した状態を示す。図２は、ディスクカートリッジ２０１全体の裏面側を示す斜視図で、（ａ）はディスク収納部２３０が閉塞した状態を示し、（ｂ）はディスク収納部２３０が開放した状態を示す。図３は、ディスクカートリッジ２０１の構成部品を示す分解斜視図である。
【００４６】
これらの図に示すようにディスクカートリッジ２０１は、ディスク収納部２３０を構成する第１のディスク収納部２３１および第２のディスク収納部２３２と支持ベース部材２０５とを備える。支持ベース部材２０５は、上部支持ベース部材２１０と下部支持ベース部材２２０とを有し、これらを重ね合わせることにより、第１のディスク収納部２３１および第２のディスク収納部２３２の一部をそれぞれ挟むよう回転可能に支持している。図１および図２に示すように、支持ベース部材２０５より一部露出したディスク収納部２３０と支持ベース部材２０５とにより、ディスクカートリッジ２０１の外殻が構成される。
【００４７】
ディスク収納部２３０は、前述したように、第１のディスク収納部２３１と第２のディスク収納部２３２とによって構成され、それぞれディスク１０の厚み方向に隙間を有した袋形状の空間を有する。この空間はディスク１０のそれぞれ一部を収納できる大きさである。図１（ａ）および図２（ａ）に示すように、ディスク収納部２３０が閉塞した状態では、第１のディスク収納部２３１と第２のディスク収納部２３２の袋形状の開口の縁部分が互いに密着させる。これにより、ディスク１０全体を収納し、全面が露出しないようにディスク１０を覆う。
【００４８】
また、図１（ｂ）および図２（ｂ）に示すように、ディスク収納部２３０が開放した状態では、ディスクカートリッジ２０１の外部から、スピンドルモータ、クランプ部材などのディスク１０を回転させる手段がディスク１０をチャッキングしディスク１０を回転させるととともに、記録および／または再生するヘッドがディスクカートリッジ２０１内に侵入し、ディスク１０にアクセスするための略扇形領域の開口部２３０ｗを支持ベース部材２０５とディスク収納部２２０とで形成する。
【００４９】
したがって、ディスク収納部２３０は、ディスクカートリッジ２０１の外殻をなすハウジングの機能および開口部２３０ｗを開放および閉塞するシャッタの機能の２つの機能を兼ね備えている。
【００５０】
なお、ディスク１０を外部に対して開放もしくは閉塞する機能は、例えば第１および第２のディスク収納部２３１、２３２のみでも原理的には実現する。しかしながら、第１および第２のディスク収納部２３１、２３２のみを備える構造では、閉塞している状態でディスク１０と垂直な方向、に働く外乱の力が第１のディスク収納部２３１および第２のディスク収納部２３２に互いに逆向き作用した場合、ねじれの力が発生し、大きな変形や破壊が生じる可能性がある。
【００５１】
この問題を解決するため、ディスクカートリッジ２０１は、支持ベース部材２０５を備え、支持ベース部材２０５の少なくとも一部は、第１のディスク収納部２３１および第２のディスク収納部２３２がディスク１０と垂直な方向へ移動するのを抑制するように第１のディスク収納部２３１および第２のディスク収納部２３２と重なっている。これにより、第１および第２のディスク収納部２３１、２３２にねじれの力が加わっても、少なくとも支持ベース部材２０５に挟持された部分において、第１および第２のディスク収納部２３１、２３２の変形を防止することができる。これにより、ディスクカートリッジ２０１全体の堅牢性を向上させることができる。また、以下において詳細に説明するように、第１および第２のディスク収納部２３１、２３２が閉塞した状態でこれらの回転を防止するロック構造を設けることができる。
【００５２】
また、ディスク収納部２３０の開放および閉塞する動作に対して支持ベース部材２０５は静止している構成要素であるため、カートリッジ２０１をディスクドライブ装置へ挿入する場合において、操作者が手で持つホルダ部分として機能する。上部支持ベース部材２１０には、ディスク１０に記録されている情報の内容表示ラベル紙を貼付できるラベル用凹部２１０ｐを設けることが可能であり、これにより、ディスクカートリッジ２０１に収納されたディスク１０の情報の内容を表示することができる。
【００５３】
支持ベース部材２０５と第１および第２のディスク収納部２３１、２３２とが重なる領域が大きいほど、ディスクカートリッジ２０１の堅牢性は高まる。しかし、閉塞した状態の第１および第２のディスク収納部２３１、２３２に収納されるディスク１０の中心を超えてヘッド開口部側にまで支持ベース部材２０５が伸びると、第１および第２のディスク収納部２３１、２３２が開放した時に形成する開口を覆ってしまうことになる。このため、支持ベース部材２０５は、閉塞した状態の第１および第２のディスク収納部２３１、２３２に収納されるディスク１０の中心よりも第１および第２のディスク収納部２３１、２３２の回転支持部側のみを覆っていることが好ましい。
【００５４】
また、図２に示すように、下部支持ベース部材２２０には、ディスク装置（図示せず）内におけるディスク１０と平行な面内におけるディスクカートリッジ２０１の位置を決定するための位置決め穴２２５ａおよび２２５ｂが設けられている。
【００５５】
さらに、下部支持ベース部材２２０の両側面部には、切り欠き部２２０ｔが設けられている。切り欠き部２２０ｔは、例えばトレイ方式のローディングにおけるディスクカートリッジ２０１の表裏を逆に装填することの防止に使用されたり、スロットローディング方式におけるディスクカートリッジ２０１を保持するための係合などに使用されたりする。
【００５６】
図３に示すように、第１のディスク収納部２３１および第２のディスク収納部２３２は、それぞれ回動中心穴２３１ａ、２３２ａを有している。回動中心穴２３１ａ、２３２ａには、下部支持ベース部材２２０の回転支軸２２０ａ、２２０ｂが挿入され、これにより、第１のディスク収納部２３１および第２のディスク収納部２３２が、支持ベース部材２０５に回転可能に支持される。
【００５７】
また、第１のディスク収納部２３１および第２のディスク収納部２３２は、互いに噛み合って係合する連動部２３１ｂおよび２３２ｂを備えている。この連動部２３１ｂおよび２３２ｂの係合によって、第１のディスク収納部２３１および第２のディスク収納部２３２は互いに逆方向へ連動して回動を行うことができる。
【００５８】
また、第１および第２のディスク収納部２３１、２３２には、図１および図２に示すように切り欠き部２３１ｄおよび２３２ｄが設けられている。切り欠き部２３１ｄおよび２３２ｄは、外部からディスク収納部２２０の開放および閉塞の動作を行うために使用される。
【００５９】
ディスクカートリッジ２０１はさらにロックユニット２５３を備える。ロックユニット２５３は、以下において詳細に説明するように支持ベース部材２０５とは別の部品によって構成されている。ロックユニット２５３は、支持ベース部材２０５に設けられた挿入口２０５ｔに挿入されることによって、支持ベース部材２０５に組み込まれ、第１および第２のディスク収納部２３１、２３２が閉塞した状態で、第１および第２のディスク収納部２３１、２３２が回動するのをロックする。
【００６０】
図３に示すように、ロックユニット２５３は、ロックレバー支持部２５０、第１のロックレバー部２４１および第２のロックレバー部２４２を有する。本実施形態では、第１のおよび第２のロックレバー部２４１、２４２は、回動ヒンジ部２５０ａ、２５０ｂを介してロックレバー支持部２５０に取り付けられており、ロックレバー支持部２５０と第１のおよび第２のロックレバー部２４１、２４２とは、１つの部品として一体的に形成されている。
【００６１】
第１のロックレバー部２４１は、係止レバー部２４１ｂと、操作部２４１ｃと弾性部２４１ｄとを含む。係止レバー部２４１ｂは、ディスク収納部２３０が閉塞した状態で、第１のディスク収納部２３１の係止部２３１ｃ（図６参照）に当接して、第１のディスク収納部２３１が開放状態へ回動するのを規制する。操作部２４１ｃを外部から押下することによって、回動ヒンジ部２５０ａを軸として回動するように第１のロックレバー部２４１を付勢することができる。弾性部２４１ｄ（図５参照）は、操作部２４１ｃによる付勢に抗して弾性変形することで、第１のロックレバー部２４１に付勢力を発生する。
【００６２】
同様に、第２のロックレバー部２４２は、係止レバー部２４２ｂと、操作部２４２ｃと弾性部２４２ｄとを含む。係止レバー部２４２ｂは、ディスク収納部２３０が閉塞した状態で、第２のディスク収納部２３２の係止部２３２ｃ（図６参照）に当接して、第２のディスク収納部２３２が開放状態へ回動するのを規制する。操作部２４２ｃを外部から押下することによって、回動ヒンジ部２５０ｂを軸として回動するように第２のロックレバー部２４２を付勢することができる。弾性部２４２ｄ（図５参照）は、操作部２４２ｃによる付勢に抗して弾性変形することで、第２のロックレバー部２４２に付勢力を発生する。
【００６３】
前述したように、ロックレバー支持部２５０と第１のおよび第２のロックレバー部２４１、２４２とを一体的に構成することによって、回動ヒンジ部２５０ａ、２５０ｂにヒンジ性を付与し、弾性部２４１ｄ、２４２ｄのバネ性を付与することが可能となる。
【００６４】
ディスクカートリッジ２０１には、第１および第２のロックレバー部２４１、２４２を操作するための、ロック解除用溝２００ａ、２００ｂが、ディスクカートリッジ２０１の両側面に設けられている。第１および第２のロックレバー部２４１、２４２の操作部２４１ｃ、２４２ｃは、ロック解除用溝２００ａ、２００ｂの底部に設けられた開口からロック解除用溝２００ａ、２００ｂ内に突出している。ただし、操作部２４１ｃ、２４２ｃはディスクカートリッジ２０１の外形より突出しないように、つまり、操作部２４１ｃ、２４２ｃのロック解除用溝２００ａ、２００ｂの底部からの突出量が、ロック解除用溝２００ａ、２００ｂの深さより小さくなっている。このため、通常の操作では、外部から操作部２４１ｃ、２４２ｃを押下しにくくなっており、これにより、ディスク収納部２３０ロックが意図的に解除されることを防止している。
【００６５】
次に、図４、図５を参照しながら、支持ベース部材２０５およびロックユニット２５３を説明する。
【００６６】
図４は、ロックユニット２５３と支持ベース部材２０５の構造を示す斜視図であり、（ａ）は下部支持ベース部材２２０とロックユニット２５３とを示し、（ｂ）は上部支持ベース部材２１０とロックユニット２５３とを示している。
【００６７】
図５は、ロックユニット２５３の構造を示す平面図であり、（ａ）は支持ベース部材２０５へ組み込む前の状態を示し、（ｂ）は支持ベース部材２０５へ組み込んだ後の状態を示し、（ｃ）は第１および第２のロックレバー部２４１、２４２の回動時の状態を示す。
【００６８】
図４に示すように、ロックユニット２５３のロックレバー支持部２５０は、本体２５０ｔ、第１の保持ツメ部２５１ａ、２５１ｂおよび第２の保持ツメ部２５１ｃ、２５１ｄを有する。本体２５０ｔは、支持ベース部材２０５の挿入口２０５ｔに対応する略長方形状を有しており、ロックユニット２５３を支持ベース部材２０５の挿入口２０５ｔに挿入した状態では、本体２５０ｔが挿入口２０５ｔを完全に塞ぐ。本体２５０ｔは、補強リブ等を備えない略長方形の板状であるため弾性変形しやすい。このため、ロックユニット２５３を支持ベース部材２０５の挿入口２０５ｔに挿入する際、本体２５０ｔが弾性変形して、ロックユニット２５３全体が撓むことにより、第１の保持ツメ部２５１ａ、２５１ｂおよび第２の保持ツメ部２５１ｃ、２５１ｄが、支持ベース部材２０５に設けられた対応する係合部と係合しやすくなり、組立性が向上する。
【００６９】
第１の保持ツメ部２５１ａ、２５１ｂおよび第２の保持ツメ部２５１ｃ、２５１ｄは、支持ベース部材２０５に対して、ロックユニット２５３を矢印２００Ａ方向に挿入して組み込んだ際の抜け止めとして機能する。第１の保持ツメ部２５１ａ、２５１ｂは、本体２５０ｔの長手方向における両端近傍設けられている。また、第２の保持ツメ部２５１ｃ、２５１ｄは、本体２５０ｔの長手方向の中央近傍に設けられている。
【００７０】
また、ロックレバー支持部２５０には、支持ベース部材２０５に組み込んだ際に、下部支持ベース部材２２０に設けられた位置決め穴２２５ａ、２２５ｂを開口とする凹部を形成するように、位置決め穴２２５ａ、２２５ｂを覆う位置決め穴カバー部２５５ａ、２５５ｂが設けられている。これにより、位置決め穴２２５ａ、２２５ｂから支持ベース部材２０５内部への埃の進入を防止している。
【００７１】
図４（ａ）に示すように、下部支持ベース部材２２０の内部には、ロックレバー支持部２５０の第１の保持ツメ部２５１ａ、２５１ｂとそれぞれ係合する第１の係合部２２１ａ、２２１ｂと、ロック支持部２５０の第２の保持ツメ部２５１ｃ、２５１ｄとそれぞれ係合する第２の係合部２２１ｃ、２２１ｄが設けられている。これらの係合部には、ロックレバー支持部２５０を矢印２００Ａ方向へ挿入し易くするためにテーパ面が設けられている。
【００７２】
また、下部支持ベース部材２２０には、上部支持ベース部材２１０と重ね合わせる際の位置決めを行う位置決め穴２２２ａ、２２２ｂと、ロックユニット２５３を組み込んだ際の位置決めを行う位置決めボス２２４ａ、２２４ｂが設けられている。
【００７３】
同様に、図４（ｂ）に示すように、上部支持ベース部材２１０の内部には、ロックホルダ２５０の第１の保持ツメ部２５１ａ、２５１ｂとそれぞれ係合する第１の係合部２１１ａ、２１１ｂと、ロックホルダ２５０の第２の保持ツメ部２５１ｃ、２５１ｄとそれぞれ係合する第２の係合部２１１ｃ、２１１ｄが設けられている。これらの係合部には、ロックレバー支持部２５０を矢印２００Ａ方向へ挿入し易くするためにテーパ面が設けられている。また、下部支持ベース部材２２０に設けられた位置決め穴２２２ａ、２２２ｂと係合して、位置決めを行う位置決めボス２１２ａ、２１２ｂが設けられている。
【００７４】
また、上部支持ベース部材２１０の第２の係合部２１１ｃ、２１１ｄおよび下部支持ベース部材２２０の第２の係合部２２１ｃ、２２１ｄはそれぞれ、挿入口１０５の長手方向における中央近傍において、リブと一体的に構成されている。このため上部支持ベース部材２１０と下部支持ベース部材２２０を重ね合わせて溶着または接着する際、支持ベース部材２０５の側面部を構成するリブ部分に加えて、これらのリブを互いに溶着または接着することによって、支持ベース部材２０５の中央部が接合される。これにより、ロックユニット２５３が組み込まれていない状態でも支持ベース部材２０５の強度を向上させることができる。
【００７５】
また、上述したように、ロックレバー支持部２５０の第１の保持ツメ部２５１ａ、２５１ｂおよび第２の保持ツメ部２５１ｃ、２５１ｄは、下部支持ベース部材２２０の第１の係合部２２１ａ、２２１ｂおよび第２の係合部２２１ｃ、２２１ｄと係合するとともに、上部支持ベース部材２１０の第１の係合部２１１ａ、２１１ｂおよび第２の係合部２１１ｃ、２１１ｄとも係合する。このため、ロックユニット２５３が支持ベース部材２０５に確実に保持される。
【００７６】
図５に示すように、ロックユニット２５３において、第１および第２のロックレバー部２４１、２４２は、回転ヒンジ部２５０ａ、２５０ｂを介して、ロックレバー支持部２５０に一体的に構成されている。また、第１および第２のロックレバー部２４１、２４２は、回転ヒンジ部２５０ａ、２５０ｂの弾性変形を利用して、回転ヒンジ部２５０ａ、２５０ｂを略中心として回転可能に支持される。さらに弾性部２４１ｄ、２４２ｄは、操作部２４１ｃ、２４２ｃによる付勢に抗して弾性変形することで、第１および第２のロックレバー部２４１、２４２に付勢力を発生する。このため、回転ヒンジ部２５０ａ、２５０ｂおよび弾性部２４１ｄ、２４２ｄの端部にはこれらの弾性変形によって、ロックレバー支持部２５０の本体には応力が生じる。
【００７７】
しかし、回転ヒンジ部２５０ａ、２５０ｂ近傍および弾性部２４１ｄ、２４２ｄの端部近傍には、第１の保持ツメ部２５１ａ、２５１ｂおよび第２の保持ツメ部２５１ｃ、２５１ｄが設けられており、これらによって、ロックレバー支持部２５０の本体２５０ｔが支持ベース部材２０５に保持されている。このため、応力によってロックレバー支持部２５０の本体２５０ｔが変形することなく、第１および第２のロックレバー部２４１、２４２は、回転ヒンジ部２５０ａ、２５０ｂを中心にそれぞれ矢印２４１Ａ方向、矢印２４２Ａ方向に回動し、操作部２４１ｃ、２４２ｃの押圧を解除すると、弾性変形した弾性部２４１ｄ、２４２ｄの弾性力を利用して、矢印２４１Ｂ方向、矢印２４２Ｂ方向に回動することができる。
【００７８】
また、図５（ａ）に示すように、第１および第２のロックレバー部２４１、２４２は、支持ベース部材２０５に組み込む前の部品単体の状態では、図５（ｂ）に示す支持ベース部材２０５に挿入した状態に比較して、それぞれ角度θ１、θ２だけ、矢印２４１Ｂ方向、矢印２４２方向に傾いている。このため、図５（ｂ）に示すように、ロックレバー支持部２５０を支持ベース部材２０５に組み込んだ際には、第１および第２のロックレバー部２４１、２４２に設けられた当接部２４１ｅ、２４２ｅが、支持ベース部材２０５の内壁と当接し、第１および第２のロックレバー部２４１、２４２は、それぞれ矢印２４１Ｂ方向および矢印２４２Ｂ方向に付勢される。
【００７９】
したがって、この当接部２４１ｅ、２４２ｅがストッパーとして機能するため、ロックユニット２５３を支持ベース部材２０５に組み込むことにより、ディスクカートリッジ２０１における第１および第２のロックレバー部２４１、２４２の位置精度が向上する。
【００８０】
次に、ディスクカートリッジ２０１のディスク収納部２３０の開放または閉塞動作について図６を参照しがら説明する。図６は、ディスクカートリッジ２０１の部分断面図であり、（ａ）はディスク収納部２３０が閉塞した状態を示し、（ｂ）はディスク収納部２３０が開放した状態を示している。
【００８１】
図６（ａ）に示すように、ディスク収納部２３０が閉塞した状態では、第１および第２のロックレバー部２４１、２４２の係止レバー部２４１ｂ、２４２ｂが、第１および第２のディスク収納部２３１、２３２に設けられた係止部２３１ｃ、２３２ｃと当接することによって、第１および第２のディスク収納部２３１、２３２の矢印２３１Ａ方向および矢印２３２Ａ方向への回転を規制して、ディスク収納部２３０が閉塞した状態で、第１および第２のディスク収納部２３１、２３２の回転をロックする。
【００８２】
また、ディスクカートリッジ２０１の内部で、ディスク１０がガタつくのを防止するために、第１および第２のディスク収納部２３１、２３２の内壁には、閉塞している状態で、ディスク１０の外周側面に当接もしくは微少な距離を隔てて、ディスク１０の動きを規制する部位（図示せず）が設けられている。これによりディスク収納部２３０の閉塞時にはディスク１０が保持され、ディスク１０がガタつくのを防止している。
【００８３】
図６（ａ）のディスク収納部２３０が閉塞した状態から、後述するようにディスク装置に設けられた部材により、第１および第２のロックレバー部２４１、２４２を同時に操作して、弾性部２４１ｄ、２４２ｄを弾性変形させながら、ディスク収納部２３０のロックを解除する。このとき、第１および第２のディスク収納部２３１、２３２の切り欠き部２３１ｄ、２３２ｄに、ディスク装置に設けられた開閉部材１５１、１５２が係合する。さらに、開閉部材１５１、１５２が第１および第２のディスク収納部２３１、２３２をそれぞれ矢印２３１Ａ方向、矢印２３２Ａ方向に回転させると、図６（ｂ）に示すように、ディスク収納部２３０が開放した第１の開放状態になる。
【００８４】
このとき、第１および第２のディスク収納部２３１、２３２の係止部２３１ｃ、２３２ｃは、第１および第２のロックレバー部２４１、２４２の係止レバー部２４１ｂ、２４２ｂと操作部２３１ｃ、２３２ｃの間に移動する。このため、第１および第２のロックレバー部２４１、２４２は、図６（ａ）のディスク収納部２３０が閉塞した状態と同じ位置に戻る。したがって、ディスク収納部２３０が開放した第１の開放状態においても、第１および第２のロックレバー部２４１、２４２は、ロック解除方向（矢印２４１Ａ方向、矢印２４２Ｂ方向）へ回動できない。また、弾性部２４１ｄ、２４２ｄも元の状態に戻るため、弾性部２４１ｄ、２４２ｄが弾性変形した状態を維持することによるクリープを防止することができる。
【００８５】
ディスク収納部２３０が開放した第１の開放状態では、第１および第２ディスク収納部２３１、２３２の内壁が、ディスク１０より離間する。このため、下部支持ベース部材２２０に設けられた位置規制部２２３ａ、２２３ｂと、ディスク装置に設けられた位置決め部材６５が、ディスク１０の外周側面と当接することによって、下部支持ベース部材２２０（支持ベース部材２０５）に対するディスク１０の位置決めが行われる。
【００８６】
また、図６（ｂ）に示すように、ディスク収納部２３０が開放した第１の開放状態では、第１および第２のロックレバー部２４１、２４２が、第１および第２のディスク収納部２３１、２３２の矢印２３１Ａ方向、矢印２３２方向への回動を制限する。したがって、ディスク収納部２３０が開放した第１の開放状態では、第１および第２のディスク収納部２３１、２３２が回動して開口部２３０ｗがさらに大きくなり、ディスク１０が脱落するということが防止される。
【００８７】
ディスク収納部２３０を閉塞するためには、上記動作の逆動作、すなわち、ディスク装置に設けられた開閉部材１５１、１５２が第１および第２のディスク収納部２３１、２３２を矢印２３１Ｂ、矢印２３２Ｂ方向に回転させることにより行う。このとき、第１および第２のロックレバー部２４１、２４２は、回動する第１および第２のディスク収納部２３１、２３２の係止部２３１ｃ、２３２ｃが当接することにより、それぞれ矢印２４１Ａ、２４２Ａ方向に回動される。図６（ａ）に示すように、ディスク収納部２３０が閉塞すると、第１および第２のロックレバー部２４１、２４２は、それぞれの弾性部２４１ｄ、２４２ｄの弾性力によって、それぞれ矢印２４１Ｂ、矢印２４２Ｂ方向に回動する。第１および第２のロック部材２４１、２４２の係止レバー部２４１ｂ、２４２ｂが、第１および第２のディスク収納部２３１、２３２の係止部２３１ｃ、２３２ｃと当接することにより、ディスク収納部２３０の回転がロックし、ディスク収納部２２０の閉塞動作が完了する。
【００８８】
なお、ディスクカートリッジ２０１は、図６（ｂ）に示すように、ディスク収納部２３０が開放した第１の開放状態では、ディスク１０とディスク収納部２３０と支持ベース部材２０５とでディスク１０の回転軸方向に投影されるカートリッジ投影領域が、図６（ａ）に示す閉塞している状態よりも大きくなる。しかし、ディスクカートリッジ２０１の外形が小さくても開口部２３０ｗを大きくすることができ、ヘッドの設計自由度が大幅に向上するという利点がある。
【００８９】
次に、ディスクカートリッジ２０１のロック解除の動作について図７を参照しがら説明する。図７は、ディスクカートリッジ２０１の部分断面図で、（ａ）は、第１および第２のディスク収納部２３１、２３２が第１および第２のロックレバー部２４１、２４２によりロックされた状態から第２のロックレバー部２４２のみを矢印２４２Ａ方向に回動させてロックを解除した状態を示しており、（ｂ）は、第１および第２のディスク収納部２３１、２３２が第１および第２のロックレバー部２４１、２４２によりロックされた状態から第１および第２のロック部材２３１、２３２を矢印２４１Ａ方向、矢印２４２Ａ方向にそれぞれ同時に回動させてロック解除した状態を示している。
【００９０】
第１および第２のディスク収納部２３１、２３２を閉塞した状態では、図６（ａ）に示すように、第１および第２のロックレバー部２４１、２４２によって、第１および第２のディスク収納部２３１、２３２は、それぞれ矢印２３１Ａ方向および矢印２３２Ａ方向への回転がロックされている。
【００９１】
図７（ａ）に示すように、図６（ａ）の状態から、外部よりディスク装置に設けられた部材により第２のロックレバー部２４２の操作部２４２ｃを押圧すると、弾性部２４２ｄが変形し、第２のロックレバー部２４２は矢印２４２Ａ方向に回転する。この状態において、第２のロックレバー部２４２の係止レバー部２４２ｂは、第２のディスク収納部２３２に設けられた係止部２３２ｃと離間して係止状態が解除される。しかしながら、第１および第２のディスク収納部２３１、２３２は連動部２３１ｂ、２３２ｂによって連動しており、第１のディスク収納部２３１は第１のロックレバー部２４１によって矢印２３１Ａ方向への回転がロックされている。このため、第１および第２のディスク収納部２３１、２３２を開放させることはできない。
【００９２】
このように、第１および第２のロックレバー部２４１、２４２のいずれか一つが外部よりロック解除される場合、第１および第２のディスク収納部２２１、２２２を開放することはできない。
【００９３】
次に、図７（ｂ）に示すように、図６（ａ）の状態から、外部より第１および第２のロック部材２４１、２４２の操作部２４１ｃ、２４２ｃを同時に押圧すると、弾性部２４１ｄ、２４２ｄが変形し、第１および第２のロックレバー部２４１、２４２はそれぞれ矢印２４１Ａ方向および矢印２４２Ａ方向に回転する。この状態において、第１および第２のロックレバー部２４１、２４２の係止レバー部２４１ｂ、２４２ｂは、第１および第２のディスク収納部２３１、２３２の係止部２３１ｃ、２３２ｃからそれぞれ離間し、ロックが解除される。その結果、第１および第２のディスク収納部２３１、２３２はそれぞれ矢印２３１Ａ方向および２３２Ａ方向に回転可能となる。
【００９４】
このように、第１および第２のロックレバー部２４１、２４２の両方を同時解除する動作でのみ、第１および第２のディスク収納部２３１、２３２を開放させることができる。
【００９５】
なお、連結部２３１ｂと連結部２３２ｂとの間にはバックラッシが設けられている。このため、第１および第２のロックレバー部２４１、２４２の両方を全く同時に解除せず、わずかな時間差をもって解除したとしても、両方の第１および第２のロックレバー部２４１、２４２を操作すれば、ディスク収納部２３０を開放することができる。
【００９６】
次に、以上のように構成されるディスクカートリッジ２０１の組立動作方法を説明する。
【００９７】
図８は、ディスク収納部２３０をディスク１０が取り出し可能な位置まで開放した第２の開放状態におけるディスクカートリッジ２０１に、ディスク１０とロックレバー支持部２５０を挿入する組立動作状態を示す斜視図である。
【００９８】
まず、図３に示すように、第１および第２のディスク収納部２３１、２３２、上部支持ベース部材２１０、下部支持ベース部材２２０、ロックユニット２５３を用意する。これらの部材は、樹脂などによって成形することができる。
【００９９】
次に、下部支持ベース部材２２０の回転支軸２２０ａ、２２０ｂを第１および第２のディスク収納部２３１、２３２の回動中心穴２３１ａ、２３２ｂに挿入し、上部支持ベース部材２１０を下部支持ベース部材２２０に溶着または接着する。これにより、図８に示す状態のディスクカートリッジ２０１’が組み立てられる。ディスクカートリッジ２０１’はロックユニット２５３がまだ挿入されていない。
【０１００】
以下、図９から図１３を参照しながら、ディスクカートリッジ２０１’にディスク１０とロックユニット２５３を組み込み、ディスクカートリッジ２０１を完成させる組立動作を説明する。
【０１０１】
図９は、ディスクカートリッジ２０１の組立動作中の一状態を示す部分断面図であり、ディスクカートリッジ２０１’を第２の開放状態まで開放した状態を示す。図６に示す状態と異なり、第１および第２のロックレバー部２４１、２４２が存在しないため、第１および第２のディスク収納部２３１、２３２は、第１の状態よりも矢印２３１Ａ方向、矢印２３２Ａ方向へ回転し、下部支持ベース部材２２０（支持ベース部材２０５）に当接する。これにより、図６（ｂ）に示す第１の開放状態の開口部２３０ｗより大きい、第２の開放状態の開口部２３０ｗ’が形成される。第２の開放状態では、ディスク１０を矢印２００Ｂ方向に移動させて、ディスクカートリッジ２０１’内へ挿入したり、矢印２００Ａ方向に移動させてディスクカートリッジ２０１’内のディスク１０を取り出したりすることが可能である。
【０１０２】
図９に示す状態から、ディスク１０を矢印２００Ｂ方向へ移動させると、図１０に示すように、ディスク収納部２３０は第２の開放状態まで開放しているので、ディスク１０は、開口部２３０ｗ’を通過してディスクカートリッジ’の内部に挿入される。
【０１０３】
図１０に示す状態から、第１および第２のディスク収納部２３１、２３２をそれぞれ矢印２３１Ｂ方向、矢印２３２Ｂ方向に回動すると、図１１に示すように、ディスク収納部２３０は完全に閉塞し、ディスク１０がディスク収納部２３０内に収納される。この状態では、ロックユニット２５３がディスクカートリッジ２０１’に挿入されていないため、ディスク収納部２３０の開放／閉塞は自在である。また、閉塞しているディスク収納部２３０を第２の開放状態まで、開放し、ディスク１０を取り出すことも可能である。
【０１０４】
また、図６に示すように、ディスク装置によるディスク収納部２３０の開放／閉塞は、第１および第２のディスク収納部２３１、２３２の切り欠き部２３１ｄ、２３２ｄに、ディスク装置に設けられた開閉部材１５１、１５２を係合させることで行うため、ディスクカートリッジ２０１’の状態でも、問題なくディスク装置に装填して、ディスク収納部２３０の開放／閉塞を行うことができる。したがって、ロックユニット２５３が挿入されていないディスクカートリッジ２０１’は、ディスク１０の挿入および取り出しが自在であるディスクカートリッジとして機能する。例えば、ディスクカートリッジ２０１が装填されるディスク装置の検査工程や、ゲームソフトの開発など、頻繁にディスク１０の交換が必要となる製造／開発工程にディスクカートリッジ２０１’を利用することができる。
【０１０５】
図１１に示す状態から、矢印２００Ａ方向に従って、ロックユニット２５３を挿入口２０５ｔ（図４）から支持ベース部材２０５内に挿入すると、図１２に示すように、第１および第２のロックレバー部２４１、２４２の操作部２４１ｃ、２４２ｃが、下部支持ベース部材２２０（支持ベース部材２０５）の内壁に当接する。これにより、第１および第２のロックレバー部２４１、２４２が、それぞれ矢印２４１Ａ方向、矢印２４２Ａ方向に回動する。また、ロックレバー支持部２５０の本体２５０ｔが弾性変形し、ロックレバー支持部２５０全体が撓みながら、ロックユニット２５３が支持ベース部材２０５に挿入される。
【０１０６】
第１および第２のロックレバー部２４１、２４２の回動に加え、ロックレバー支持部２５０の本体２５０ｔが撓むことにより、ロックユニット２５３を挿入する際、ロックユニット２５３全体を大きく変形させることができる。このため、ロックユニット２５３の挿入時における負荷を低減でき、ロックユニット２５３を挿入し易くなる。つまり、ディスクカートリッジ２０１を組み立て易くなる。
【０１０７】
また、ロックユニット２５３全体が撓むことにより、ロックレバー支持部２５０の第１の保持ツメ部２５１ａ、２５１ｂが、第２の保持ツメ部２５１ｃ、２５１ｄより先に支持ベース部材２０５と係合する。このため、ロックレバー支持部２５０を挿入する際、４つの保持ツメ部のうち２つしか同時に係合せず、ロックユニット２５３を挿入する際に要する力を低減できる。このため、ディスクカートリッジ２０１の組立性が向上する。
【０１０８】
図１２に示す状態から、ロックユニット２５３をさらに矢印２００Ａの方向に挿入すると、上述したようにロックユニット２５３全体が撓むため、先に第１の保持ツメ部２５１ａ、２５１ｂが下部支持ベース部材２２０の第１の係合部２２１ａ、２２１ｂ（および上部支持ベース部２１０の第１の係合部２１１ａ、２１１ｂ）と係合する。続いて、第２の保持ツメ部２５１ｃ、２５１ｃが下部支持ベース部材２２０の第２の係合部２２１ｃ、２２１ｄ（および上部支持ベース部２１０の第１の係合部２１１ｃ、２１１ｄ）と係合する。
【０１０９】
その結果、図１３に示すように、ロックユニット２５３が完全に支持ベース部材２０５の内部に組み込まれる。第１および第２のロックレバー部２４１、２４２の係止レバー部２４１ｂ、２４２ｂは、第１および第２のディスク収納部２３１、２３２の係止部２３１ｃ、２３２ｃと係合し、第１および第２のディスク収納部２３１、２３２の矢印２３１Ａ方向、矢印２３２方向への回動を制限する。同時に、第１および第２のロックレバー部２４１、２４２の操作部２４１ｃ、２４２ｃは、支持ベース部材２０５の側面のロック解除用溝２００ａ、２００ｂ内に突出しする。これにより、ディスクカートリッジ２０１が完成する。
【０１１０】
このように、ロックユニット２５３がディスクカートリッジ２０１’に組み込まれることにより、ディスク収納部２３０が閉塞している状態では、第１および第２のロックレバー部２４１、２４２によって、ディスク収納部２３０の回転をロックされる。また、ディスク収納部２３０が開放している状態では、図６（ｂ）に示すように、第１および第２のロックレバー部２４１、２４２またはロックレバー支持部２５０によって、第１および第２のディスク収納部２３１、２３２が矢印２３１Ａ方向、矢印２３２Ａ方向へ回動するのが制限され、ディスク１０の取り出しを防止する。
【０１１１】
なお、前述した組立手順では、ロックユニット２５３をディスクカートリッジ２０１’に挿入する際、第１および第２のディスク収納部２３１、２３２を閉塞してから、支持ベース部材２０５に挿入していた。しかし、第１および第２のディスク収納部２３１、２３２を開放した状態でも組み立てることができる。
【０１１２】
図１４は、第１および第２のディスク収納部２３１、２３２が開放した状態から、ロックユニット２５３を挿入した場合の一状態を示す部分断面図である。図１４に示すように、第１および第２のディスク収納部２３１、２３２が開放した状態で、ロックユニット２５３を挿入すると、第１および第２のロックレバー部２４１、２４２の操作部２４１ｃ、２４２ｃが、第１および第２のディスク収納部２３１、２３２の係止部２３１ｃ、２３２ｃと当接する。
【０１１３】
このため、ロックユニット２５３を矢印２００Ａ方向に挿入すると、第１および第２のロックレバー部２４１、２４２の操作部２４１ｃ、２４２ｃの当接によって、第１および第２のディスク収納部２３１、２３２がそれぞれ矢印２３１Ｂ方向、矢印２３２Ｂ方向に回動する。これにより、第１および第２のディスク収納部２３１、２３２が開放した状態で、ロックユニット２５３を挿入した場合でも、ロックユニット２５３の挿入動作にともなって、第１および第２のディスク収納部２３１、２３２が閉塞し、なんら問題なくディスクカートリッジ２０１を組み立てることができる。このため、ロックユニット２５３を挿入する時のディスク収納部２３０の開放／閉塞の状態に左右されずに組立を行うことができ、組立時の作業ミスを低減できる。また、ロックユニット２５３を組み込む動作に連動してディスク収納部２３０が閉塞するので、組立工数を低減することも可能である。
【０１１４】
ディスクカートリッジ２０１の前述した組み立ては、手動で行うことも可能であるし、組立装置を用いて自動的に行うことも可能である。以下、図１５から図１７を参照して、ディスクカートリッジ２００を組み立てる組立装置の一例を説明する。図１５、図１６および図１７は、ディスクカートリッジ２００の組立装置３００の主要な構成要素の斜視図であり、それぞれディスク１０を挿入する状態、ロックユニット２５３を挿入する状態およびディスクカートリッジ２００の組立完了状態における組立装置３００を示している。
【０１１５】
図１５から図１７に示すように、ディスクカートリッジ２００の組立装置３００は、ロックユニット２５３を挿入する前のディスクカートリッジ２０１’を保持するカートリッジ保持部３１０と、ロックユニット２５３を保持し、ロックユニット２５３の移動をガイドする組立ベース部３２０と、ディスク１０の挿入口を有し、ロックユニット２５３の挿入動作時に押圧部材となるディスク挿入ガイド部３３０とを含む。また、組立ベース部３２０には、ロックユニット２５３の矢印３００Ａ方向および矢印３３０Ｂ方向への移動をガイドする組立ガイド部３２１、３２２が設けられている。カートリッジ保持部３１０は、図示しないロボットアームなどによって矢印３００Ａ方向および矢印３３０Ｂ方向に移動可能である。
【０１１６】
次に、組立装置３００による組立動作を説明する。図１５に示すように、カートリッジ保持部３１０が組立ガイド部３２１、３２２の上方に位置した状態で、ディスクカートリッジ２０１’をカートリッジ保持部３１０に装填し、ロックユニット２５３を組立ベース部３２０に装填する。ディスクカートリッジ２０１’は支持ベース部材２０５が下側に位置するように垂直に保持される。このため、ディスクカートリッジ２０１’の第１および第２のディスク収納部２３１、２３２は、それぞれ自重によって矢印２３１Ａ方向、２３２方向に回動し、第２の開放状態の開口部２３０ｗ’が形成される。
【０１１７】
ディスク挿入ガイド部３３０に設けられたディスク挿入口３３５よりディスク１０を挿入すると、ディスク１０はディスク挿入口３３５にガイドされながら、自重によって矢印３３０Ａ方向に移動（落下）し、ディスクカートリッジ２０１’内部に挿入される。
【０１１８】
ディスク１０が挿入された状態（図１０参照）から、カートリッジ保持部３１０を矢印３００Ａ方向に移動させると、図１６に示すように、第１および第２のディスク収納部２３１、２３２が、組立ガイド部３２１、３２２に設けられたテーパ部３２１ａ、３２２ａと当接し、これにより、それぞれ矢印２３１Ｂ方向、矢印２３２Ｂ方向に回動し始める。一方、カートリッジ保持部３１０が矢印３００Ａ方向に移動することによって、ロックユニット２５３が支持ベース部材２０５の挿入口２０５ｔからディスクカートリッジ２０１’内に挿入される。このとき、図１２で説明したように、第１および第２のロックレバー部２４１、２４２がディスクカートリッジ２０１’の支持ベース部材２０５の内壁に当接して、ロックレバー支持部材２５０の本体２５０ｔが弾性変形して、ロックユニット２５３全体が撓む。これにより、ロックユニット２５３が、支持ベース部材２０５に挿入される。
【０１１９】
さらにカートリッジ保持部３１０を矢印３００Ａ方向に移動すると、図１７に示すように、ロックユニット２５３が、完全に支持ベース部材２０５の内部に組み込まれる。このとき、ディスク挿入ガイド部３３０によってディスクカートリッジ２０１’上部を矢印３００Ａ方向に押圧することによって、図１３に示すように第１の保持ツメ部２５１ａ、２５１ｂおよび第２の保持ツメ部２５１ｃ、２５１ｄがそれぞれ第１の係合部２２１ａ、２２１ｂおよび第２の係合部２２１ｃ、２２１ｄと係合する。また、第１および第２のロックレバー部２４１、２４２の操作部２４１ｃ、２４２ｃが、支持ベース部材２０５の側面のロック解除用溝２００ａ、２００ｂ内突出する。これにより、ディスクカートリッジ２０１の組み立てが完了する。
【０１２０】
このように、ディスクカートリッジ２０１を組み立てる場合、ディスク１０の挿入方向と、ロックレバー支持部材２５０の挿入方向は、同一（向きは逆）である。このため、一方向からの組立動作でディスクカートリッジ２０１を組み立てることができる。ディスクカートリッジ２０１の組立装置は、前述したように一方向への移動動作のみが必要であり、複雑なアームなどの動作を必要としない。このため、組立装置を簡素化することができる。
【０１２１】
また、前述したようにディスク１０の挿入方向が垂直となるように組立装置を構成することによって、重力を利用した組立作業を行うことができる。これにより、例えば、前述したように第１および第２のディスク収納部２３１、２３２を回動させる動作を省くことができ、組立装置のさらなる簡略化を行うことができる。
【０１２２】
また、垂直方向に装置を構成することによって、装置の構成面積を小さくできる。その結果、組立設備の空間利用効率を向上させ、限られた工場スペースの中に、複数の設備をより多く導入することができる。したがって、生産性の向上も図ることができる。
【０１２３】
なお、本実施形態では、第１および第２のロックレバー部２４１、２４２は、図５に示すように、回転ヒンジ部２５０ａ、２５０ｂおよび弾性部２４１ｄ、２４２ｄを介して、それぞれ２ヶ所でロックレバー支持部２５０と一体的に構成されている。しかし、図１８（ａ）に示すように、弾性部２４１ｄ、２４２ｄの端部２４１ｄ’、２４２ｄ’とロックレバー支持部２５０との接合を切って、回転ヒンジ部２５０ａ、２５０ｂのみで、第１および第２のロックレバー部２４１、２４２とロックレバー支持部２５０とを一体的に構成してもよい。また、図１８（ｂ）に示すように、弾性部２４１ｄ、２４２ｄと回転ヒンジ部２５０ａ、２５０ｂを一体化し、回転ヒンジ部２５０ａ、２５０ｂのみで、第１および第２のロックレバー部２４１、２４２とロックレバー支持部２５０とを一体的に構成してもよい。
【０１２４】
図１８（ａ）あるいは図１８（ｂ）に示すように、回転ヒンジ部２５０ａ、２５０ｂのみを介して、第１および第２のロックレバー部２４１、２４２を、それぞれ１ヶ所でロックレバー支持部２５０と一体的に構成することにより、第１および第２のロックレバー部２４１、２４２を矢印２４１Ａ方向、矢印２４２Ａ方向に回動させた場合、弾性部２４１ｄ、２４２ｄの弾性変形による弾性力の影響がロックレバー支持部２５０全体に作用しにくく、ロックレバー支持部２５０全体が弾性変形しにくくなる。このため、弾性部２４１ｄ、２４２ｄの弾性力を小さく設計することができる。言い換えれば、ディスク収納部２３０のロック解除力を小さく設定することができる。
【０１２５】
また、本実施形態において、ディスクカートリッジ２０１に収納されるディスク１０には、直径が小さいディスクを収納するカートリッジ（例えば、ＭＤカートリッジ）とは異なり、ディスク１０に金属製のクランプ板を設けていない。しかし、クランプ機構を廃止することによるディスク装置の簡略化やディスクカートリッジ２０１のディスク１０上面の開口部２３０を塞ぐことによる補強などの目的で、ディスク１０にクランプ板を設けてもよい。
【０１２６】
また、本実施形態では、第１および第２のロックレバー部２４１、２４２が第１および第２のディスク収納部２３１、２３２に当接することで、ロックレバー支持部２５０の挿入動作に連動してディスク収納部２３０が閉塞する。しかし、これに限定されることなく、例えば、ロックレバー支持部２５０が、第１および第２のディスク収納部２３１、２３２と当接することによって、ディスク収納部２３０が閉塞するようにディスクカートリッジを構成してもよい。
【０１２７】
以上の説明から明らかなように、本実施形態のディスクカートリッジによれば、ディスク収納部２３０の開放量を制限し、閉塞時にはディスク収納部２３０のロックすることのできるロックユニット２５３を、ディスク収納部２３０および支持ベース部材２０５からなるディスクカートリッジ２０１’の組立完了後に、組み込むことができる。このため、ディスクカートリッジ２０１’単体の状態では、ディスク収納部２３０をディスク１０が取り出し可能な位置まで開放することができ、ディスクカートリッジ２０１’にディスク１０を挿入した後に、ロックユニット２５３を支持ベース部材２０５の挿入口から挿入することにより、ディスクカートリッジ２０１を完成させることができる。これにより、ディスク１０の製造とディスクカートリッジ２０１の組立工程とを完全に分離することができる。その結果、工法および検査方法などに大きな差があるディスク１０の製造とディスクカートリッジ２０１の組立とを別々の場所で行うとことが実現し、製造工程の自由度を高くするとともに製造コストを大幅に削減することができる。
【０１２８】
また、ロックユニット２５３を挿入することにより、ディスク収納部２３０の閉塞時には、ディスク収納部２３０のロックを行うことができ、ディスク収納部２３０の開放時には、ディスク収納部２３０の開放量を制限し、するとともにディスクカートリッジ２０１からのディスク１０の取り出しを防止できる。
【０１２９】
また、第１および第２のロックレバー部２４１、２４２とロックレバー支持部２５０とを一体的に構成することにより、部品点数の大幅な削減ができ、さらに、組立工数を削減することができる。よって、ディスクカートリッジ２０１の製造コストを低減することができる。
【０１３０】
また、ロックユニット２５３を支持ベース部材２０１’に挿入する際、第１および第２のロックレバー部２４１、２４２またはロックレバー支持部２５０が、ディスク収納部２３０の一部と当接するため、ロックユニット２５３の挿入動作に同期してディスク収納部２３０が必ず閉塞させることができる。したがって、ディスク収納部２３０の開放状態には関係なくロックユニット２５３を支持ベース部材２５３に挿入することができる。これにより、ディスクカートリッジ組立時の作業ミスを低減することができる。さらに、ロックユニット２５３の挿入動作でディスク収納部２３０が閉塞するため、ディスクカートリッジ２０１の組立工数を削減することができ、ディスクカートリッジ２０１の製造コストを低減することができる。
【０１３１】
また、ロックユニット２５３が挿入されていないディスクカートリッジ２０１’でも、ディスク装置に装填可能であるので、例えば、ディスク装置の検査工程やゲームソフト開発などで、頻繁にディスク１０の交換が必要となる製造および開発工程にディスクカートリッジ２０１’を使用することができる。このため、製造および開発を行うための専用冶具を製作することなく、実製品で代用ができ、製造および開発費の削減を図ることができる。
【０１３２】
（第２の実施形態）
以下、本発明によるディスクカートリッジの第２の実施形態を説明する。
【０１３３】
図１９は、ディスクカートリッジ２０２の構成部品を示す分解斜視図である。図１９に示すように、本実施形態では、第１および第２のロックレバー部２４１、２４２がロックレバー支持部２５０と別部品で構成されている点が、第１の実施形態のディスクカートリッジ２０１と異なっている。他の構成は第１の実施形態と同一であるので、第1の実施形態と同じ構成要素または対応する構成要素には同じ参照番号を付し、ディスクカートリッジ２０２の全体の構造およびディスク収納部２３０の開放／閉塞動作を省略する。
【０１３４】
図１９に示すように、ロックユニット２５３’は、第１および第２のロックレバー部２４１’、２４２’と、ロックレバー支持部２５０とを含み、ロックユニット２５３’を支持ベース部材２０５に組み込むことにより、第１および第２のディスク収納部２３１、２３２が閉塞した状態でこれらの回動をロックする。
【０１３５】
第１および第２のロックレバー部２４１’、２４２’は、ロックレバー支持部２５０に設けられている回転支軸２５０ａおよび２５０ｂを、第１のロックレバー部２４１’に設けられた回動中心穴２４１ａおよび第２のロックレバー部２４２’に設けられた回動中心穴２４２ａに挿入し、回動自在に取り付けられる。
【０１３６】
第１のロックレバー部２４１’は、係止レバー部２４１ｂと、操作部２４１ｃと、弾性部２４１ｄとを含む。係止レバー部２４１ｂは、ディスク収納部２３０が閉塞した状態で、第１のディスク収納部２３１の係止部２３１ｃに当接して、第１のディスク収納部２３１の回動を規制する。操作部２４１は外部からの係止レバー部２４１ｂと、外部から第１のロックレバー部２４１を操作する操作部２４１ｃと、外部からの操作に抗して弾性変形することで付勢力を発生する弾性部２４１ｄを備えている。
【０１３７】
第１のロックレバー部２４１’は、係止レバー部２４１ｂと、操作部２４１ｃと、弾性部２４１ｄとを含む。係止レバー部２４１ｂは、ディスク収納部２３０が閉塞した状態で、第１のディスク収納部２３１の係止部２３１ｃに当接して、第１のディスク収納部２３１が開放状態へ回動するのを規制する。操作部２４１ｃを外部から押下することによって、回動中心穴２４１ａを軸として回動するように第１のロックレバー部２４１’を付勢することができる。弾性部２４１ｄは、操作部２４１ｃによる付勢に抗して弾性変形することで、第１のロックレバー部２４１に付勢力を発生する。
【０１３８】
同様に、第２のロックレバー部２４２’は、係止レバー部２４２ｂと、操作部２４２ｃと弾性部２４２ｄとを含む。係止レバー部２４２ｂは、ディスク収納部２３０が閉塞した状態で、第２のディスク収納部２３２の係止部２３２ｃに当接して、第２のディスク収納部２３２が開放状態へ回動するのを規制する。操作部２４２ｃを外部から押下することによって、回動中心穴２４１ｂを軸として回動するように第２のロックレバー部２４２’を付勢することができる。弾性部２４２ｄは、操作部２４２ｃによる付勢に抗して弾性変形することで、第２のロックレバー部２４２に付勢力を発生する。
【０１３９】
また、ディスクカートリッジ２０２には、第１および第２のロックレバー部２４１、２４２を操作するための、ロック解除用溝２００ａ、２００ｂが、ディスクカートリッジ２０２の両側面に設けられている。第１および第２のロックレバー部２４１’、２４２’の操作部２４１ｃ、２４２ｃは、ロック解除用溝２００ａ、２００ｂの底部に設けられた開口から溝内に突出している。ただし、操作部２４１ｃ、２４２ｃはディスクカートリッジ２０２の外形より突出しないように構成されており、外部からの意図的な操作によって、ディスク収納部２３０ロックが解除されることを防止している。
【０１４０】
さらに第１の実施形態で説明したように、ロックユニット２５３’を挿入するための挿入口２０５ｔが支持ベース部材２０５には形成されている。
【０１４１】
次に、図２０および図２１を参照しながら支持ベース部材２０５およびのロックユニット２５３’の構造を説明する。
【０１４２】
図２０は、ロックユニット２５３’と支持ベース部材２０５の構造を示す斜視図であり、（ａ）は下部支持ベース部材２２０とロックユニット２５３’とを示し、（ｂ）は上部支持ベース部材２１０とロックユニット２５３’とを示している。
【０１４３】
図２１は、ロックユニット２５３’の構造を示す平面図であり、（ａ）は支持ベース部材２０５へ組み込む前の状態を示し、（ｂ）は支持ベース部材２０５へ組み込む途中の状態を示し、（ｃ）は支持ベース部材２０５へ組み込みこんだ後の状態を示す。
【０１４４】
図２０に示すように、ロックレバー支持部２５０は、支持ベース部材２０５に対して、ロックユニット２５３’を矢印２００Ａ方向に挿入して組み込んだ際の抜け止め用の保持ツメ部２５１ａ、２５１ｂ、上部保持凸部２５１ｃ、２５１ｄおよび下部保持凸部２５１ｅ、２５１ｆを含む。
【０１４５】
保持ツメ部２５１ａ、２５１ｂは、支持ベース部材２０５の挿入口２０５ｔの長手方向における両端近傍と係合する。上部保持凸部２５１ｃ、２５１ｄおよび下部保持凸部２５１ｅ、２５１ｆはそれぞれ上部支持ベース部材２１０および下部支持ベース部材２２０の挿入口２０５ｔを構成する縁部の中央部近傍と係合する。
【０１４６】
また、ロックレバー支持部２５０に組み込んだ第１および第２のロックレバー部２４１、２４２が脱落するのを防止するために、ロックレバー支持部２５０には脱落防止部２５２ａ、２５２ｂが設けられており、第１および第２のロックレバー２４１’、２４２’には、脱落防止リブ２４１ｆ、２４２ｆが設けられている。
【０１４７】
ロックレバー支持部２５０は弾性部材で構成されており、ロックレバー支持部２５０本体２５０ｔには、補強リブ等が設けられていない。このため、本体２５０ｔは弾性変形し易い。後述するように、ロックユニット２５３’を支持ベース部材２０５に対して、矢印２００Ａ方向に挿入する際、ロックレバー支持部２５０の本体２５０ｔが弾性変形して、ロックユニット２５３’全体が撓むことにより、組立性を向上している。
【０１４８】
また、ロックレバー支持部２５０には、支持ベース部材２０５に組み込んだ際に、下部支持ベース部材２２０に設けられた位置決め穴２２５ａ、２２５ｂを開口とする凹部を形成するように、位置決め穴２２５ａ、２２５ｂを覆う位置決め穴カバー部２５５ａ、２５５ｂが設けられている。これにより、位置決め穴２２５ａ、２２５ｂから支持ベース部材２０５内部への埃の進入を防止している。
【０１４９】
図２０（ａ）に示すように、下部支持ベース部材２２０の内部には、ロックレバー支持部２５０の保持ツメ部２５１ａ、２５１ｂとそれぞれ係合する係合部２２１ａ、２２１ｂと、ロックレバー支持部２５０の下部保持凸部２５１e、２５１fとそれぞれ係合する係合凹部２２１ｃ、２２１ｄが設けられており、係合部２２１ａ、２２１ｂには、ロックユニット２５３'を矢印２００Ａ方向へ挿入し易くするためのテーパ面が設けられている。
【０１５０】
また、下部支持ベース部材２２０には、上部支持ベース部材２１０と重ね合わせる際の位置決めを行う位置決め穴２２２ａ、２２２ｂが設けられている。
【０１５１】
同様に、図２０（ｂ）に示すように、上部支持ベース部材２１０の内部には、ロックホルダ２５０の上部保持凸部２５１ｃ、２５１ｄとそれぞれ係合する係合凹部２１１ｃ、２１１ｄが設けられている。
【０１５２】
上部支持ベース部材２１０には、下部支持ベース部材２２０に設けられた位置決め穴２２２ａ、２２２ｂと係合して、位置決めを行う位置決めボス２１２ａ、２１２ｂが設けられている。
【０１５３】
また、上部支持ベース部材２１０の係合凹部２１１ｃ、２１１ｄ近傍および下部支持ベース部材２２０の係合凹部２２１ｃ、２２１ｄの近傍であって、挿入口２０５ｔの長手方向の中央近傍にはそれぞれリブが設けられている。このため上部支持ベース部材２１０と下部支持ベース部材２２０を重ね合わせて溶着または接着する際、支持ベース部材２０５の側面部を構成するリブ部分に加えて、これらのリブを互いに溶着または接着することによって、支持ベース部材２０５の中央部が接合される。これにより、ロックユニット２５３’が組み込まれていない状態でも支持ベース部材２０５の強度を向上させることができる。
【０１５４】
また、ロックレバー支持部２５０の保持ツメ部２５１ａ、２５１ｂが下部支持ベース部材２２０の係合部２２１ａ、２２１ｂと係合し、ロックレバー支持部２５０の上部保持凸部２５１ｃ、２５１ｄおよび下部保持凸部２５１ｅ、２５１ｆは、上部支持ベース部材２１０の係合凹部２１１ｃ、２１１ｄおよび下部支持ベース部材２２０の係合凹部２２１ｃ、２２１ｄとそれぞれ係合する。このため、ロックユニット２５３が支持ベース部材２５３に確実に保持される。
【０１５５】
なお、本実施形態では、第１の実施形態とは異なり、支持ベース部材２０５の中央部近傍におけるロックレバー支持部２５０の保持を、支持ベース部材２５０の厚み方向に係合させている。このため、係合部における係り量は第１の実施形態に比べ大きくすることができない。しかし、上部支持ベース部材２１０、下部支持ベース部材２２０のそれぞれに係合する保持凸部を設け、係合箇所を増やすことにより、ロックユニット２５３’の保持強度を高めている。
【０１５６】
次に、図２１を参照しながら、第１および第２ロックレバー部２４１’、２４２’とロックレバー支持部２５０によって構成されるロックユニット２５３’の組立を説明する。
【０１５７】
図２１（ａ）に示すように、第１の実施形態と異なり、第１および第２のロックレバー部２４１’、２４２’は、ロックレバー支持部２５０と別の部品で構成されている。なお、本実施例では、第１および第２のロックレバー部２４１’、２４２’は同一部品（表裏同一の形状）で構成し、部品の金型コストの削減と、組立時による部品間違いの防止を図っている。
【０１５８】
図２１（ａ）の状態から、第１および第２のロックレバー部２４１’、２４２’の弾性部２４１ｄ、２４２ｄを弾性変形させながら、それぞれ矢印２４１Ａ方向、矢印２４２Ａ方向に傾けた状態で、ロックレバー支持部２５０の回動支軸２５０ａ、２５０ｂに第１および第２のロックレバー部２４１’、２４２’の回動中心穴２４１ａ、２４２ａを挿入する。これにより、図２１（ｂ）に示すように、第１および第２のロックレバー部２４１’、２４２’の脱落防止リブ２４１e、２４２eとロックレバー支持部２５０の脱落防止部２５２ａ、２５２ｂが接触しない状態で、ロックレバー支持部２５０に第１および第２のロックレバー部２４１、２４２が組み込まれる。
【０１５９】
図２１（ｂ）の状態から、第１および第２のロックレバー部２４１’、２４２’を弾性部２４１ｄ、２４２ｄの付勢力によって、矢印２４１Ｂ方向、矢印２４２Ｂ方向に回動させると、図２１（ｃ）に示すように、第１および第２のロックレバー部２４１’、２４２’の脱落防止リブ２４１ｆ、２４２ｆが、ロックレバー支持部２５０の脱落防止部２５２ａ、２５２ｂにそれぞれ係合してロックユニット２５３’が完成する。この脱落防止リブ２４１ｆ、２４２ｆと脱落防止部２５２ａ、２５２ｂとは、ロックレバー支持部２５０の回転支軸２５０ａ、２５０ｂの軸方向にオーバラップするため、第１および第２のロックレバー部２４１’、２４２’がロックレバー支持部２５０の回転支軸２５０ａ、２５０ｂから脱落するのを防止する。したがって、ねじ止めや別部材での締結などを行うことなく、ロックユニット２５３’を完成させることができ、部品点数、組立工数を削減できる。
【０１６０】
なお、第１および第２のロックレバー部２４１’、２４２’には、当接部２４１ｅ、２４２ｅが設けられており、第１の実施形態と同様に、ロックユニット２５３’を支持ベース部材２０５に組み込むことにより、当接部２４１ｅ、２４２ｅが第１および第２のロックレバー２４１、２４２の弾性部２４１ｄ、２４２ｄの付勢力によって、支持ベース部材２０５内壁と当接する。この当接部２４１ｅ、２４２ｅがストッパーとして機能するため、ディスクカートリッジ２０１における第１および第２のロックレバー２４１’、２４２’の位置精度が向上する。
【０１６１】
次に、ディスクカートリッジ２０２の組立を説明する。図２２は、ディスク収納部２３０をディスク１０の取り出し、挿入が可能な位置まで開放した第２の開放状態におけるディスクカートリッジ２０２’に、ディスク１０とロックユニット２５３’を挿入する組立動作を示す斜視図である。
【０１６２】
第１の実施形態で説明したように、まず、下部支持ベース部材２２０の回転支軸２２０ａ、２２０ｂを第１および第２のディスク収納部２３１、２３２の回動中心穴２３１ａ、２３２ｂに挿入し、上部支持ベース部材２１０を下部支持ベース部材２２０に溶着または接着する。これにより、図２２に示す状態のディスクカートリッジ２０２’が組み立てられる。また、前述したようにロックユニット２５３’を組みたてる。
【０１６３】
以下、図２３から図２７を参照しながら、ディスクカートリッジ２０２’にディスク１０とロックユニット２５３’を組み込み、ディスクカートリッジ２０２を完成させる組立動作を説明する。
【０１６４】
図２３は、ディスクカートリッジ２０２の組立動作中の一状態を示す部分断面図で、ディスクカートリッジ２０２’を第２の開放状態まで開放した状態を示す。図２３に示すように、第１および第２のディスク収納部２３１、２３２は、下部支持ベース部材２２０（支持ベース部材２０５）によって、矢印２３１Ａ方向、矢印２３２Ａ方向へ回動しないように規制される。このため、第２の開放状態の開口部２３０ｗ’は、図６（ｂ）に示す第１の開放状態の開口部２３０ｗより大きく、ディスク１０を矢印２００Ａ方向または矢印２００Ｂ方向に従って、出し入れ可能である。
【０１６５】
図２３に示す状態から、ディスク１０を矢印２００Ｂ方向に従って、ディスクカートリッジ２０２’に挿入する。図２４に示すように、ディスク収納部２３０が第２の開放状態まで開放しているので、ディスク１０は、開口部２３０ｗ’を通過してディスクカートリッジ２０２’の内部に挿入される。
【０１６６】
図２４に示す状態から、第１および第２のディスク収納部２３１、２３２をそれぞれ矢印２３１Ｂ方向、矢印２３２Ｂ方向に回動すると、図２５に示すように、ディスク収納部２３０は完全に閉塞し、ディスク１０がディスク収納部２３０に収納される。この状態では、ロックユニット２５３’が挿入されていないため、ディスク収納部２３０の開放／閉塞は自在である。また、第２の開放状態まで、ディスク収納部２３０を開放し、ディスク１０を取り出すことも可能である。
【０１６７】
図６を参照して説明したように、ディスク装置によるディスク収納部２３０の開放／閉塞は、第１および第２のディスク収納部２３１、２３２の切り欠き部２３１ｄ、２３２ｄに、ディスク装置に設けられた開閉部材１５１、１５２を係合させることで行う。このためロックユニット２５３’が組み込まれていないディスクカートリッジ２０２’でも、問題なくディスク装置に装填して、ディスク収納部２３０の開放／閉塞を行うことができる。したがって、ディスクカートリッジ２０２’は、カートリッジ内部からのディスク１０の取り出しが自在であり、例えば、ディスクカートリッジ２０２が装填されるディスク装置の検査工程や、ゲームソフト開発などで、頻繁にディスク１０の交換が必要となる製造／開発工程に用いることが可能である。
【０１６８】
図２５の状態から、ロックユニット２５３’を矢印２００Ａ方向に従ってディスクカートリッジ２０２’に挿入すると、図２６に示すように、第１および第２のロックレバー部２４１’、２４２’の操作部２４１ｃ、２４２ｃは、下部支持ベース部材２２０（支持ベース部材２０５）の内壁に当接する。これにより、第１および第２のロックレバー部２４１、２４２が回動支軸２５０ａ、２５０ｂを中心にそれぞれ矢印２４１Ａ方向、矢印２４２Ａ方向に回動するとともに、ロックレバー支持部２５０の本体２５０ｔが弾性変形して、ロックユニット２５３’全体が撓みながら支持ベース部材２０５に挿入される。
【０１６９】
第１および第２のロックレバー部２４１’、２４２’の回動に加え、ロックレバー支持部２５０の本体２５０ｔが撓むことにより、ロックユニット２５３’を挿入する際、ロックユニット２５３’全体を大きく変形させることができる。このため、ロックユニット２５３’の挿入時における負荷を低減でき、ロックユニット２５３’を挿入し易くなる。つまり、ディスクカートリッジ２０２を組み立て易くなる。
【０１７０】
また、ロックユニット２５３’全体が撓むことにより、ロックレバー支持部２５０の保持ツメ部２５１ａ、２５１ｂが、保持凸部２５１ｃ〜２５１ｆより先に支持ベース部材２０５と係合する。ロックユニット２５３’を挿入する際、６つの保持ツメ部または保持凸部のうち２つしか同時に係合しないため、ロックユニット２５３’を挿入する際に要する力を低減できる。このため、ディスクカートリッジ２０２の組立性が向上する。
【０１７１】
図２６の状態から、ロックユニット２５３’を矢印２００Ａ方向に挿入すると、前述したようにロックレバー支持部２５０全体が撓むため、先に保持ツメ部２５１ａ、２５１ｂが係合し、続いて保持凸部２５１ｃ〜２５１ｆが係合する。これにより、図２７に示すように、ロックユニット２５３’が完全に支持ベース部材２０５の内部に組み込まれる。第１および第２のロックレバー部２４１’、２４２’の係止レバー部２４１ｂ、２４２ｂは、第１および第２のディスク収納部２３１、２３２の係止部２３１ｃ、２３２ｃと係合して、第１および第２のディスク収納部２３１、２３２が矢印２３１Ａ方向、矢印２３２方向へ回動するのを規制する。同時に、第１および第２のロックレバー部２４１’、２４２’の操作部２４１ｃ、２４２ｃは、支持ベース部材２０５の側面のロック解除用溝２００ａ、２００ｂ内に突出する。これにより、ディスクカートリッジ２０２が完成する。
【０１７２】
ロックユニット２５３’がディスクカートリッジ２０２’に組み込まれることにより、ディスク収納部２３０が閉塞している状態では、第１および第２のロックレバー部２４１、２４２によって、ディスク収納部２３０の回動がロックさる。またディスク収納部２３０が開放している状態では、図６（ｂ）を参照して説明したように、ロックユニット２５３’によって、第１および第２のディスク収納部２３１、２３２が矢印２３１Ａ方向、矢印２３２Ａ方向にさらに回動し、開口部が大きくなるのが規制される。これにより、ディスク１０の取り出しが防止される。
【０１７３】
なお、前述した組立手順では、ロックユニット２５３’をディスクカートリッジ２０２’に組み込む際、第１および第２のディスク収納部２３１、２３２を閉塞してから、支持ベース部材２０５に挿入した。しかし第１および第２のディスク収納部２３１、２３２が開放した状態から、ロックユニット２５３’を組み込んでもよい。
【０１７４】
図２８は、第１および第２のディスク収納部２３１、２３２が開放した状態から、ロックユニット２５３’を挿入した場合の一状態を示す部分断面図である。図２８に示すように、第１および第２のディスク収納部２３１、２３２が開放した状態で、ロックユニット２５３’を挿入すると、第１および第２のロックレバー部２４１’、２４２’の操作部２４１ｃ、２４２ｃが、第１および第２のディスク収納部２３１、２３２の係止部２３１ｃ、２３２ｃと当接する。このため、ロックユニット２５３’を矢印２００Ａ方向に挿入すると、第１および第２のロックレバー部２４１’、２４２’の操作部２４１ｃ、２４２ｃの当接によって、第１および第２のディスク収納部２３１、２３２がそれぞれ矢印２３１Ｂ方向、矢印２３２Ｂ方向に回動する。したがって、第１および第２のディスク収納部２３１、２３２が開放した状態で、ロックユニット２５３’を挿入した場合でも、ロックユニット２５３’を挿入動作に連動してディスク収納部２３０が閉塞し、なんら問題なくディスクカートリッジ２０２を組み立てることができる。このため、ロックユニット２５３’を挿入する時のディスク収納部２３０の開放／閉塞の状態に左右されずに組立を行うことができ、組立時の作業ミスを低減できる。また、ロックユニット２５３’を組み込む動作に連動してディスク収納部２３０が閉塞するので、組立工数の削減を行うことも可能である。
【０１７５】
以上の説明から明らかなように、本実施形態のディスクカートリッジによれば、第１の実施形態と同様、ディスク収納部２３０の開放量を制限し、閉塞時にはディスク収納部２３０のロックすることのできるロックユニット２５３’を、ディスク収納部２３０および支持ベース部材２０５からなるディスクカートリッジ２０２’の組立完了後に、組み込むことができる。このため、ディスクカートリッジ２０２’単体の状態では、ディスク収納部２３０をディスク１０が取り出し可能な位置まで開放することができ、ディスクカートリッジ２０２’にディスク１０を挿入した後に、ロックユニット２５３’を支持ベース部材２０５の挿入口から挿入することにより、ディスクカートリッジ２０２を完成させることができる。これにより、ディスク１０の製造とディスクカートリッジ２０２の組立工程とを完全に分離することができる。その結果、工法および検査方法などに大きな差があるディスク１０の製造とディスクカートリッジ２０２の組立とを別々の場所で行うとことが実現し、製造工程の自由度を高くするとともに製造コストを大幅に削減することができる。
【０１７６】
また、ロックユニット２５３’を挿入することにより、ディスク収納部２３０の閉塞時には、ディスク収納部２３０のロックを行うことができ、ディスク収納部２３０の開放時には、ディスク収納部２３０の開放量を制限し、するとともにディスクカートリッジ２０２からのディスク１０の取り出しを防止できる。
【０１７７】
また、第１の実施形態と異なり、第１および第２のロックレバー部２４１’、２４２’をロックレバー支持部２５０と別部品で構成することにより、支軸を中心として第１および第２のロックレバー部２４１’、２４２’を回動させることができ、回転動作を安定化することができる。さらに、第１および第２のロックレバー部２４１’、２４２’とロックレバー支持部２５０を別材料で構成したり、第１および第２のロックレバー部２４１’、２４２’の弾性部２４１ｄ、２４２ｄのバネ性を最適に調整できるので、第１および第２のロックレバー部２４１’、２４２’およびロックレバー支持部２５０の設計自由度が向上する。
【０１７８】
（第３の実施形態）
以下、本発明によるディスクカートリッジの第３の実施の形態を説明する。図２９（ａ）および（ｂ）は、本発明によるディスクカートリッジ２０３の全体構成を示す斜視図であり、図３０は図２９に示すディスクカートリッジ２０３の内部構成を示す分解斜視図である。図３１（ａ）および（ｂ）は図２９に示すディスクカートリッジ２０３の裏面側を示す斜視図である。これらの図に示すように、ディスクカートリッジ２０３は上部支持ベース部材９４１および下部支持ベース部材９４２より構成された支持ベース部材９４０、第１のディスク収納部上体９２１および第１のディスク収納部下体９２２で構成された第１のディスク収納部９２０、第２のディスク収納部上体９３１および第１のディスク収納部下体９３２で構成された第２のディスク収納部９３０を備える。また、第１および第２のロック部材９５０、９６０を備える。
【０１７９】
支持ベース部材９４０、第１のディスク収納部９２０、および第２のディスク収納部９３０は、第１および第２の実施形態における支持ベース部材２０５、第１のディスク収納部２１０、および第２のディスク収納部２２０にそれぞれ対応しており、同様の機能を備える。
【０１８０】
第１および第２のディスク収納部９２０、９３０は、ディスク９１０の厚み方向に隙間を有した袋形状であり、図２９（ａ）および図３１（ａ）に示すように第１および第２のディスク収納部９２０および９３０が閉塞した状態において、各々の袋形状の開口の縁部分が互いに密着し、ディスク９１０の全面が露出しないようにディスク９１０を覆って収納する。
【０１８１】
また、図２９（ｂ）および図３１（ｂ）に示すように、第１および第２のディスク収納部９２０、９３０が開放した状態では、ディスクカートリッジ２０３の外部から、スピンドルモータ、クランプ部材などのディスク９１０を回転させる手段によりディスク９１０をチャックするため、および、記録および／または再生するヘッドが侵入し、ディスク９１０にアクセスするための略扇形領域の開口部９００Ａを支持ベース部材９４０、第１のディスク収納部９２０および第２のディスク収納部９３０とで構成する。
【０１８２】
したがって、第１および第２のディスク収納部９２０、９３０は、ディスクカートリッジ２０３の外殻をなすハウジングの機能と、開口部９００Ａを開放および閉塞するシャッタ機能の２つの機能を兼ね備えている。
【０１８３】
また、図３１に示すように、下部支持ベース部材９４２には、ディスクカートリッジ２０３を使用するディスク装置（不図示）内で回転可能に載置されたディスク９１０と平行な面内におけるディスクカートリッジ２０３を位置決めするための、第１および第２の位置決め穴９４０ＣＬおよび９４０ＣＲが設けられている。また、下部支持ベース部材９４２の両側面部には第１および第２の切り欠き部９４０ＤＬ、９４０ＤＲが設けられている。第１および第２の切り欠き部９４０ＤＬ、９４０ＤＲは、例えばトレイ方式のローディングにおいて、ディスクカートリッジ２０３が表裏逆向きに装填されることを防止するために使用されたり、スロットローディング方式におけるディスクカートリッジ２０３の把持のためなどに使用されたりする。
【０１８４】
図３０に示すように、下部支持ベース部材９４２に設けられた第１および第２の回転支軸９４２Ａ、９４２Ｂに、第１ディスク収納部９２０に設けられた回動中心穴９２２Ａおよび第２のディスク収納部９３０に設けられた回動中心穴９３２Ａがそれぞれ、挿入されることによって、第１および第２のディスク収納部９２０、９３０は支持ベース部材９４０に対して回動可能に取り付けられる。
【０１８５】
第１および第２のディスク収納部９２０、９３０は、互いに噛み合って係合する連動部９２２Ｃ、９３２Ｃをそれぞれ備える。これにより、第１のディスク収納部９２０と第２のディスク収納部９３０とは、互いに逆方向へ連動して回動を行うことができる。
【０１８６】
また、第１および第２のディスク収納部９２０、９３０には、第１および第２の切り欠き部９２２Ｂ、９３２Ｂが設けられており、第１および第２のディスク収納部９２０、９３０の開放および閉塞の動作を行うために使用される。
【０１８７】
第１および第２のロック部材９５０、９６０は、ロック回動中心穴９５１およびロック回動中心穴９６１をそれぞれ有し、これらの穴に下部支持ベース部材９４２に設けられている第１および第２の回動支軸９４２Ｄ、９４２Ｃが挿入される。これにより第１および第２のロック部材９５０、９６０は支持ベース部材９４０に回動自在に取り付けられる。
【０１８８】
第１のロック部材９５０は、係止レバー部９５３と、操作部９５２と弾性部９５４とを含む。係止レバー部９５３は、ディスク収納部９３０が閉塞した状態で、第１のディスク収納部９２０の係止部９２３に当接して、第１のディスク収納部９２０が開放状態へ回動するのを規制する。操作部９５２を外部から押下することによって、ロック回動中心穴９５１を軸として回動するように第１のロック部材９５０を付勢することができる。弾性部９５４は、操作部９５２による付勢に抗して弾性変形することで、第１のロック部材９５０に付勢力を発生する。
【０１８９】
同様に、第２のロック部材９６０は、係止レバー部９６３と、操作部９６２と弾性部９６４とを含む。係止レバー部９６３は、ディスク収納部９３０が閉塞した状態で、第２のディスク収納部９３０の係止部９３３に当接して、第２のディスク収納部９３０が開放状態へ回動するのを規制する。操作部９６２を外部から押下することによって、ロック回動中心穴９６１を軸として回動するように第１のロック部材９６０を付勢することができる。弾性部９６４は、操作部９６２による付勢に抗して弾性変形することで、第２のロック部材９６０に付勢力を発生する。
【０１９０】
第１および第２のロック部材９５０、９６０の操作部９５２、９６２は、ディスクカートリッジ２０３をディスク装置に装填する際、ディスク装置に設けられた部材に押下される。ディスクカートリッジ２０３には、第１および第２のロック部材９５０、９６０の操作部９５２、９６２を押圧するための部材が通過するための、ロック解除用溝が設けられている。
【０１９１】
具体的には、第１および第２のディスク収納部９２０、９３０および支持ベース部材９４０は、第１および第２のディスク収納部９２０、９３０の回転回動中心である回動中心穴９２２Ａ、９３２Ａを結ぶ線分に直交する側面にロック解除用溝を備えている。より具体的には、第１および第２のディスク収納部９２０、９３０には第１の収納部用溝９２０Ａおよび第２の収納部用溝９３０Ａがそれぞれ設けられている。支持ベース部材９４０には左本体溝９４０ＡＬおよび右本体溝９４０ＡＲが設けられている。第１および第２のディスク収納部９２０、９３０が閉塞した状態では、第１の収納部用溝９２０Ａと左本体溝９４０ＡＬならびに、第２の収納部用溝９３０Ａと右本体溝９４０ＡＲはそれぞれ連続した１つの溝を形成する。
【０１９２】
図３２（ａ）および（ｂ）は、第１および第２のロック部材９５０、９６０の操作部９５２、９６２近傍の構造を示す断面図である。支持ベース部材９４０の左本体溝９４０ＡＬおよび右本体溝９４０ＡＲの底部には、それぞれ開口９４０ＧＬ、９４０ＧＲが設けられており、開口９４０ＧＬ、９４０ＧＲから第１および第２のロック部材９５０、９６０の操作部９５２、９６２がそれぞれ左本体溝９４０ＡＬおよび右本体溝９４０ＡＲ内へ突出している。ただし、ディスクカートリッジ２０３の外形より突出しないように、つまり、左本体溝９４０ＡＬおよび右本体溝９４０ＡＲからは突出しないように構成されている。これにより、外部から意図せずに操作部９５２、９６２が押下されることを防止している。
【０１９３】
以下において詳細に説明するように、第１および第２のディスク収納部９２０、９３０をロックした状態では、９５２、９６２で示す第１の突出量Ｃ３、Ｃ４で開口９４０ＧＬ、９４０ＧＲから左本体溝９４０ＡＬおよび右本体溝９４０ＡＲ内に突出している。また、ロックが解除した状態では、９５２Ｂ、９６２Ｂで示す第２の突出量Ｃ１、Ｃ２で開口９４０ＧＬ、９４０ＧＲから左本体溝９４０ＡＬおよび右本体溝９４０ＡＲ内に突出している。
【０１９４】
また、左本体溝９４０ＡＬおよび右本体溝９４０ＡＲのディスクカートリッジ２０３をディスク装置に挿入する際に先端となる側と反対側の底部上には突出部９４７Ｌ、９４７Ｒが設けられている。突出部９４７Ｌ、９４７Ｒの左本体溝９４０ＡＬおよび右本体溝９４０ＡＲの底部からの突出量は、Ｂ５、Ｂ６で示される。
【０１９５】
突出量Ｂ５、Ｂ６は、第１の突出量Ｃ３、Ｃ４よりも小さく第２の突出量Ｃ１、Ｃ２よりも大きい。この関係を満たすことにより、第１および第２のロック解除部７６２ａ、７６２ｂにより、正しく第１および第２のディスク収納部９２０、９３０のロックを解除することができる。また、突出部９４７Ｌ、９４７Ｒを第１および第２のロック解除部７６２ａ、７６２ｂと当接させることにより、ディスクカートリッジ２０３を前後逆向きでディスク装置に挿入しようとした場合に、突出部９４７Ｌ、９４７Ｒがストッパーとして機能する。
【０１９６】
次に、図３３から図３６を参照しながら、ディスクカートリッジ２０３における第１および第２のディスク収納部９２０、９３０の開放または閉塞動作を説明する。
【０１９７】
図３３はディスクカートリッジ２０３に対応したディスク装置５００にディスクカートリッジ２０３を挿入する前の状態を示す斜視図である。図３３に示すように、ディスク装置５００は、トラバースベース７２０と、スピンドルモータ７３０と、光ヘッド７４０と、カートリッジホルダ７６０とを備える。
【０１９８】
スピンドルモータ７３０には、ターンテーブル７３０ａが設けられており、ターンテーブル７３０ａにディスク９１０を載置することによって、スピンドルモータ７３０がディスク９１０を回転させる。
【０１９９】
光ヘッド７４０は、ディスク９１０に対して記録および／または再生行う。光ヘッド７４０は、第１および第２のガイド軸７４１および７４２に沿って、ターンテーブル７３０ａに載置されたディスク９１０の半径方向に、不図示の駆動源により移動可能に支持される。スピンドルモータ７３０および第１および第２のガイド軸７４１、７４２はトラバースベース７２０に固定支持される。
【０２００】
トラバースベース７２０には、ディスクカートリッジ２０３に設けられた位置決め穴９４０ＣＬおよび９４０ＣＲに嵌合する位置決めピン７２１、７２２が設けられている。位置決めピン７２１、７２２は、ディスクカートリッジ２０３をディスク９１０の情報記録面に平行な方向に関して位置決めする。また位置決めピン７２１、７２２は、座面７２１ａ、７２２ａを含んでおり、ディスクカートリッジ２０３をディスク９１０の情報記録面に直交する方向に関して位置決めする。
【０２０１】
カートリッジホルダ７６０は、ディスクカートリッジ２０３を保持し、トラバースベース７２０に対して、回動中心孔７２０ａおよび７２０ｂを介して、軸付きビス７８１および７８２によって、矢印Ｄ７１０ａ方向および矢印Ｄ７１０ｂ方向へ回動自在に支持される。カートリッジホルダ７６０には、後述するように、ディスクカートリッジ２０３を挿入する際に第１および第２のロック部材９５０および９６０に設けられた第１および第２の操作部９５２および９６２を押下するための第１および第２のロック解除部７６２ａ、７６２ｂが設けられている。ロック解除部７６２ａ、７６２ｂのそれぞれは、ディスクカートリッジ２０３の挿入方向および排出方向に対して傾斜するテーパ面をそれぞれ両端に有するリブ形状を備える。また、トラバースベース７２０に設けられた位置決めピン７２１、７２２との干渉を防ぐために逃げ孔７６３ａ、７６３ｂが設けられている。位置決めピン７２１、７２２は、逃げ孔７６３ａ、７６３ｂを貫通して、カートリッジホルダ７６０に保持されたディスクカートリッジ２０３の位置決め穴９４０ＣＬおよび９４０ＣＲに挿入される。
【０２０２】
カートリッジホルダ７６０には、さらに第１および第２の開閉レバー８５１、８５２が設けられている。第１および第２の開閉レバー８５１、８５２は、カートリッジホルダ７６０に設けられた回転支軸７６０ａおよび７６０ｂに対して、回動中心穴８５１ａおよび８５２ａを嵌合させることにより、カートリッジホルダ７６０に回動自在に支持されている。後述するように、第１および第２の開閉レバー８５１、８５２の係合部８５１ｃ、８５２ｃが第１および第２のディスク収納部９２０、９３０に設けられた第１および第２の切り欠き部９２２Ｂ、９３２Ｂに係合し、第１および第２のディスク収納部９２０、９３０の開閉動作を行う。第１および第２の開閉レバー８５１、８５２には矢印Ｄ７２０ａ方向および矢印Ｄ７２０ｂ方向に付勢するための第１および第２のレバー付勢バネ８５３、８５４が設けられている。
【０２０３】
次に、図３４から図３７を参照しながら、ディスク装置５００の動作を説明する。
【０２０４】
図３４は、ディスクカートリッジ２０３がディスク装置５００に挿入される前の状態、図３５は、第１および第２の切り欠き部９２２Ｂ、９３２Ｂが係合部８５１ｃ、８５２ｃに到達するまでディスクカートリッジ２０３がディスク装置５００に挿入された状態、図３６は、第１および第２のディスク収納部９２０、９３０が開放するまでディスクカートリッジ２０３がディスク装置５００に挿入された状態をそれぞれ示す図である。なお、図３４から図３６において、第１および第２のディスク収納部９２０、９３０が閉塞状態から開放される状態になるまでの動作に関与しないトラバースベース７２０に一体的に構成される一連の部品は、煩雑を避けるため、図示していない。
【０２０５】
また同様に煩雑を回避するため、図３４から図３６においては、図２９に示された状態におけるディスクカートリッジ２０３の表側面の構造部、すなわち第１および第２のディスク収納部上体９３１、９３２、上部支持ベース部材９４１、ディスク９１０は示していない。
【０２０６】
図３４に示すように、ディスクカートリッジ２０３が、カートリッジホルダ７６０のホルダ開口部から、ガイド壁７６１ａ、７６１ｂにガイドされて矢印Ｄ７６０Ａ方向に挿入される。このとき、ガイド壁７６１ａ、７６１ｂに設けられた第１および第２のロック解除部７６２ａ、７６２ｂは、第１および第２のディスク収納部９２０、９３０に設けられた第１の収納部用溝９２０Ａ、および、第２の収納部用溝９３０Ａに挿入され、これらの溝に沿って相対的に移動する。挿入が進むと、第１および第２のロック解除部７６２ａ、７６２ｂは左本体溝９４０ＡＬおよび右本体溝９４０ＡＲ内を移動する。
【０２０７】
図３５に示すように、第１および第２のロック部材９５０、９６０に設けられた第１および第２の操作部９５２、９６２が、第１および第２のロック解除部７６２ａ、７６２ｂと当接し、押下される。これにより、第１および第２のロック部材９５０、９６０は矢印Ｄ９５１Ａ方向および矢印Ｄ９６１Ａ方向に回動する。この時、第１および第２のロック部材９５０、９６０に設けられた係止レバー部９５３、９６３が、それぞれ、第１および第２のディスク収納部９２０、９３０に設けられた第１および第２の係止部９２３、９３３から離間する。これにより、第１および第２のディスク収納部９２０、９３０のロックが解除され、矢印Ｄ９２２Ａ方向および矢印Ｄ９３２Ａ方向への回動可能となる。
【０２０８】
この時、同時に、図３５に示すように、所定の状態で待機している第１および第２の開閉レバー８５１、８５２に設けられた第１および第２の係合部８５１ｃ、８５２ｃが、第１および第２のディスク収納部９２０、９３０に設けられた第１および第２の切り欠き部９２２Ｂ、９３２Ｂと係合する。
【０２０９】
この後、引き続きディスクカートリッジ２０３を矢印Ｄ７６０Ａ方向に移動させると、第１および第２の係合部８５１ｃ、８５２ｃが、第１および第２の切り欠き部９２２Ｂ、９３２Ｂと係合した状態で、第１および第２の開閉レバー８５１、８５２がそれぞれ矢印Ｄ８５１Ａ方向および矢印Ｄ８５２Ａ方向に回動する。これに伴い、第１および第２のディスク収納部９２０、９３０はそれぞれ矢印Ｄ９２２Ａ方向および矢印Ｄ９３２Ａ方向に回動し、図３６に示すように、ディスクカートリッジ２０３は開放状態となる。この時、第１および操作部９５２、９６２は、第１および第２のロック解除部７６２ａ、７６２ｂの領域を通過し終えており、第１および第２のロック部材９５０、９６０は第１および第２の弾性部９５４および９６４の付勢力により矢印Ｄ９５１Ｂ方向および矢印Ｄ９６１Ｂ方向に回動し、第１および第２のロック部材９５０および９６０は、ロック解除状態となる前の状態に戻る。
【０２１０】
これにより、例えば、第１および第２の弾性部９５４、９６４が第１および第２のロック部材９５０、９６０と樹脂材料で一体的に構成される場合においても、第１および第２の弾性部９５４、９６４に応力が加わった状態で長時間維持されることが回避され、樹脂材料のクリープ現象を回避することが可能である。
【０２１１】
第１および第２のディスク収納部９２０、９３０を閉塞状態にするには、図３６に示す状態から上記の過程の逆の動作、すなわち、矢印Ｄ７６０Ｂ方向にディスクカートリッジ２０３を移動させることにより行う。
【０２１２】
ディスクカートリッジ２０３を矢印Ｄ７６０Ｂ方向に移動させると、第１および第２の係合部８５１ｃ、８５２ｃが、第１および第２の切り欠き部９２２Ｂ、９３２Ｂと係合した状態で、第１および第２の開閉レバー８５１、８５２がそれぞれ矢印Ｄ８５１Ｂ方向および矢印Ｄ８５２Ｂ方向に回動する。これに伴い、第１および第２のディスク収納部９２０、９３０はそれぞれ矢印Ｄ９２２Ｂ方向および矢印Ｄ９３２Ｂ方向に回動し、図３５に示すようにディスクカートリッジ２０３は閉塞状態となる。
【０２１３】
図３５に示す状態においては、第１および第２のロック解除部７６２ａ、７６２ｂは第１および操作部９５２、９６２と当接した状態であり、第１および第２のロック部材９５０、９６０はそれぞれ矢印Ｄ９５１Ａ方向およびＤ９６１Ａ方向に回動されている。これよりさらに図３４に示す状態となるまでディスクカートリッジ２０３を移動させると、第１および第２のロック部材９５０、９６０は、第１および第２の弾性部９５４、９６４のそれぞれの弾性力によって、それぞれ矢印Ｄ９５１Ｂ方向およびＤ９６１Ｂ方向に回動して戻される。これにより、第１および第２のロック部材９５０、９６０の第１および第２の係止レバー部９５３および９６３が、第１および第２のディスク収納９２０、９３０に設けられた第１および第２の係止部９２３、９３３と当接して、第１および第２のディスク収納部９２０、９３０の回転がロックされる。
【０２１４】
次に、第１および第２のロック解除部７６２ａ、７６２ｂによる第１および第２のディスク収納部９２０、９３０のロックの解除について詳細に説明する。
【０２１５】
なお図３７（ａ）および（ｂ）はロック部材９５０、９６０を解除する機能に関連するディスクホルダ７６０およびディスクカートリッジ２０３の寸法を示した図である。また、第１および操作部９５２、９６２近傍の構造は図３２（ａ）および（ｂ）に示している。図３７においては、ディスク９１０の外周を二点鎖線で示している。
【０２１６】
上述したように支持ベース部材９４０の両側面には、左本体溝９４０ＡＬおよび９４０ＡＲが、第１および第２のディスク収納部９２０および９３０には第１および第２の収納部用溝９２０Ａ、９３０Ａがそれぞれ設けられている。これらは同等の深さを有している。また、支持ベース部材９４０の左本体溝９４０ＡＬおよび右本体溝９４０ＡＲのディスクカートリッジ２０３をディスク装置に挿入する際に先端となる側と反対側の底部上には、突出部９４７Ｌ、９４７Ｒが設けられている。
【０２１７】
図３７において、ディスク９１０の中心を点ＯＤ、下部支持ベース部材９４２に設けられた第１の回転支軸９４２Ａと第２の回転支軸９４２Ｂの互いの中心点を結ぶ線分の中点を点Ｏ１２、第１および第２の切り欠き閉位置９２２Ｂ０および９３２Ｂ０から第１および第２の切り欠き開位置９２２Ｂ１および９３２Ｂ１に至るまでの、点ＯＤと点Ｏ１２とを結ぶ線分に平行な方向に関する寸法成分を寸法Ｍ１Ｌおよび寸法Ｍ１Ｒとする。さらに、図３７および図３２において、第１および第２のロック部材９５０、９６０が第１および第２のディスク収納部９２０、９３０の矢印Ｄ９２２Ａ方向および矢印Ｄ９３２Ａ方向への回動をロックしている状態における第１および操作部９５２、９６２の位置を、位置９５２Ｂ、９６２Ｂとする。
【０２１８】
また、位置９５２、９６２にある時における第１および第２のロック解除部９５２、９６２の、左本体溝９４０ＡＬおよび右本体溝９４０ＡＲの溝底からに対して最も遠い箇所（頂点）を通り、点ＯＤと点Ｏ１２を結ぶ線分に平行な直線をそれぞれ直線Ｌ１およびＬ２とし、第１および第２のロック部材９５０および９６０がロック状態である際における第１および操作部９５２および９６２の外形部分のうち、左突出部９４７Ｌおよび右突出部９４７Ｒの設けられた側とは反対側における、直線Ｌ１およびＬ２との交点を点Ｐ３およびＰ４とする。さらに、左本体溝９４０ＡＬおよび右本体溝９４０Ｒの底と、左突出部９４７Ｌおよび右突出部とを連結する斜面９４７ＬＴおよび９４７ＲＴと、直線Ｌ１およびＬ２との交点をそれぞれＰ５およびＰ６とする。
【０２１９】
この時、図３４から図３６に示すように、ディスクカートリッジ２０３をディスク装置５００へ挿入することにより、第１および第２のロック解除部７６２ａ、７６２ｂが確実に第１および第２のロック部材９５０、９６０による第１および第２のディスク収納部９２０、９３０のロック状態を解除して開放するためには、Ｍ１Ｌ＜Ｍ２Ｌ、および、Ｍ１Ｒ＜Ｍ２Ｒである必要がある。
【０２２０】
これは、ディスクカートリッジ２０３の挿入動作のみで、まず第１および第２のロック解除部７６２ａ、７６２ｂが、第１および第２のロック操作部９５２、９６２の押圧を開始し、左突出部９４７Ｌおよび右突出部９４７Ｒの一部と干渉するまでの距離で、切り欠き部９２２Ｂ、９３２Ｂを、第１および第２の切り欠き閉位置９２２Ｂ０、９３２Ｂ０から第１および第２の切り欠き開位置９２２Ｂ１、９３２Ｂ１まで移動させる必要があるためである。
【０２２１】
この時、斜面９４７ＬＴ、９４７ＲＴの、左本体溝９４０ＡＬおよび右本体溝９４０ＡＲとの結合部側を、第１および第２の操作部９５２、９６２側に近づける方向の斜面にすることで、ディスクカートリッジ２０３挿入完了後において第１および第２のロック解除部と左突出部９４７Ｌおよび右突出部９４７Ｒとの干渉を有効に回避することができ、ディスクカートリッジ２０３の、挿入方向に関する全長をより短くすることが可能となる。
【０２２２】
なお、図３４から図３６に示すように、ディスクカートリッジ２０３が正しくディスク装置５００に挿入された場合、図３６に示すように、左突出部９４７Ｌおよび右突出部９４７Ｒが第１および第２のロック解除部７６２ａ、７６２ｂと干渉することはない。しかし、図３６に示す状態よりもさらにディスクカートリッジ２０３を挿入しようとした場合には、左突出部９４７Ｌおよび右突出部９４７Ｒが、第１および第２のロック解除部７６２ａ、７６２ｂと干渉することにより、ディスクカートリッジ２０３がこの状態からさらに奥へ移動するのを防止する。これにより、ディスクカートリッジ２０３が過度に奥へ挿入されることを防止することが可能となる。
【０２２３】
また、ディスクカートリッジ２０３が、正しくディスク装置５００に挿入されない場合、たとえば、図３８に示すように、ディスクカートリッジ２０３の前後を逆にしてディスク装置５００に挿入し酔うとした場合、左突出部９４７Ｌが第２のロック解除部７６２ｂと干渉し、右突出部９４７Ｒが第１のロック解除部７６２ａと干渉することにより、ディスクカートリッジ２０３をさらに挿入されることを防止する。
【０２２４】
この時、図３８に示すように、ディスクカートリッジ２０３の前後を逆向きにして挿入するのを防止することができる条件は、第１のロック解除部７６２ａと第２のロック解除部７６２ｂとの間隔、および、左突出部９４７Ｌと右突出部９４７Ｒの互いの最頂部同士の間隔を、図３７（ａ）および（ｂ）に示すように、それぞれＢ１およびＢ２とすると、Ｂ１＜Ｂ２の場合である。
【０２２５】
ただし、Ｂ２の寸法をディスクカートリッジ２０３の全幅寸法と同一にすると、ディスク装置５００に挿入を完了した際の、第１および第２の操作部９５２、９６２と第１および第２のロック解除部７６２ａ、７６２ｂとの干渉を回避するための領域が確保できなくなる。このため、ディスクカートリッジ２０３の挿入が完了した後、第１および第２の操作部９５２、９６２と第１および第２のロック解除部７６２ａ、７６２ｂとが干渉した状態が維持される。その結果、第１および第２の操作部９５２、９６２が押圧され続け、第１および第２の弾性部９５４、９６４にストレスがかかった状態で維持されることとなる。
【０２２６】
この場合、第１および第２のロック部材９５０、９６０が、第１および第２の弾性部９５４、９６４、第１および第２の操作部９５２、９６２とともに一体的に樹脂材料などで構成されていると、第１および第２の弾性部９５４、９６４には長時間ストレスがかかった状態が維持され、クリープ変形を起こす。
【０２２７】
また、ただし、Ｂ２の寸法をディスクカートリッジ２０３の全幅寸法と同一にした上で、ディスクカートリッジ２０３の挿入が完了した際の第１および第２の操作部９５２、９６２と第１および第２のロック解除部７６２ａ、７６２ｂとの干渉を回避するための領域を確保しようとすると、左突出部９４７Ｌおよび右突出部９４７Ｒを、ディスクカートリッジ２０３の挿入方向と反対側へ後退させなければならない。つまり、ディスクカートリッジ２０３の挿入方向の全長寸法を大きくする必要がある。また、またこれに伴いディスク装置５００の寸法も大きくなり、ディスクカートリッジ２０３およびディスク装置５００を小型化することが困難となる。
【０２２８】
これらのことから、Ｂ２の寸法は、Ｂ１＜Ｂ２の条件を満たし、かつ、可能な範囲で狭く設定することが好ましい。また、寸法Ｍ２Ｌおよび寸法Ｍ２Ｒは大きくし過ぎると、ディスクカートリッジ２０３の全体の寸法が大きくなり過ぎる。このため、概ねディスク９１０の半径寸法よりも小さく設定するのが好ましい。
【０２２９】
以上のように、本実施形態のディスクカートリッジによれば、シャッタ機能とハウジング機能を兼ねた２つのディスク収納部を両方向に回動させることにより、開口部を開放および閉塞する構造をとるディスクカートリッジにおいて、左突出部９４７Ｌあるいは右突出部９４７Ｒを設けることにより、ディスクカートリッジ２０３が正規の挿入方向とは逆の方向に挿入されることを防止することが可能となる。つまり、ディスクカートリッジ２０３が逆方向に誤って挿入され、第１および第２のディスク収納部２２１および２２２がディスク装置５００から突出した状態で、ロック状態が解除され、開放されうる状態になることが回避される。このため、収納されるディスク９１０が不用意に露出したり、さらには脱落したりすることがなく、ディスク９１０が損傷を受けることを防止することが可能となる。
【０２３０】
また、正規の挿入量以上の過度に挿入されることを防止することが可能であり、収納されたディスク、ディスクカートリッジあるいはディスク装置を破損してしまうことを回避できる。
【０２３１】
本実施形態のディスクカートリッジ２０３では、上述した効果に加えて、左突出部９４７Ｌあるいは右突出部９４７Ｒをディスクカートリッジ２０３の挿入方向に直交する幅方向に関する位置決め部位として利用し、ディスクカートリッジ２０３のディスク装置５００ないにおける位置決めを容易にしている。この効果を図３９および図４０を参照して説明する。
【０２３２】
図３９は、ディスクカートリッジ２０３をカートリッジホルダ６０へ挿入し、左突出部９４７Ｌおよび右突出部９４７Ｒが、第１および第２のロック解除部７６２ａ、７６２ｂと当接する直前の状態を示す模式図であり、図４０は、これらが当接した状態を示す模式図である。図３９に示すように、ディスクカートリッジがカートリッジホルダ６０へ挿入される際にディスクカートリッジ２０３の中央付近に矢印３０１に示す位置へ力が加えられると、姿勢がほぼ安定した状態でディスクカートリッジ２０３は矢印３０２Ａ方向に移動する。
【０２３３】
一方、この時に中央からずれて、矢印３０５に示す位置へ力が加えられると、第１および第２の係合部１５１Ｃ、１５２Ｃが第１および第２の切り欠き部２２１ｄ、２２２ｄに係合しているものの、ディスクカートリッジ２０３はカートリッジホルダ６０に対して、矢印３０２方向に自由度を有しているため姿勢が不安定となり、矢印３０２Ｂ方向に力が発生する。このため、ディスクカートリッジは挿入方向の直交方向における位置が不安定となる。
【０２３４】
この後、図４０に示す状態までディスクカートリッジ２０３をカートリッジホルダ６０に対してさらに挿入すると、左突出部９４７Ｌおよび右突出部９４７Ｒに設けられた斜面９４７ＬＴ／９４７ＲＴが、第１および第２のロック解除部７６２ａ、７６２ｂに設けられた解除部斜面７６２ａｔ、７６２ｂｔと当接する。この時、ディスクカートリッジ２０３が矢印３０１方向に力を加えられた場合には、図３９で示した場合と同様、ほぼ安定して矢印３０２Ａ方向に移動する。一方、中央からずれて矢印３０５に示す位置へ力が加えられた場合でも、やはりほぼ安定して矢印３０２Ａ方向にしか力が発生しない。
【０２３５】
これは以下の理由による。まず、ディスクカートリッジ２０３に矢印３０５Ｂ方向の力が加えられると、図４０に示すように斜面９４７ＬＴ、９４７ＲＴが解除部斜面７６２ａｔ、７６２ｂｔと当接している状態では、両者の界面において矢印３１０Ｒ、３１０Ｌに示す力が加わる。この反力としてディスクカートリッジ２０３は矢印３２０Ｒ、３２０Ｌに示す力を受ける。この矢印３２０Ｒ、３２０Ｌに示す力のディスクカートリッジの挿入方向の直交方向と、界面に平行な方向に関する分力は、それぞれ３２１Ｌ、３２１Ｒ、および３２２Ｌ、３２２Ｒとなる。ディスクカートリッジ２０３に矢印３０５方向に示す位置へ力が加えられた場合においても、矢印３１０Ｌ、３１０Ｒに示す力は互いに等しいため、矢印３２１Ｌ、３２１Ｒに示す力も当然等しくなる。すなわち、ディスクカートリッジ２０３を挿入する方向の直交方向には力の不釣り合いが生じない。したがって、図４０に示す状態、つまり、左突出部９４７Ｌおよび右突出部９４７Ｒが、第１および第２のロック解除部７６２ａ、７６２ｂと当接する状態においては、ディスクカートリッジ２０３の位置が安定する。
【０２３６】
本実施形態のディスクカートリッジ２０３は、左突出部９４７Ｌあるいは右突出部９４７Ｒを備えることにより、上述した効果を発揮するが、左突出部９４７Ｌあるいは右突出部９４７Ｒを利用する構造をディスク装置側にさらに設けることにより、ディスクカートリッジ２０３を装填した状態における位置あわせ精度をより高めることができる。
【０２３７】
図４１は、ディスク装置５００において、第１のロック解除部７６２ａに第１位置決め当接部位７６２ｃをさらに設けた例を示している。図４１は、ディスクカートリッジ２０３の第１のロック部材９５０が設けられた側の構造のみを示しているが、第２のロック部材９６０が設けられた側についても、図４１に示す構造と対称な同様の構造を備えている。
【０２３８】
図４１に示すように、第１のロック部材９５０が第１のロック解除部７６２ａによりロック状態を解除され、第１および第２のディスク収納部９２０、９３０が開放された後、再び第１のロック部材９５０がロック解除前の状態に復帰するまで、ディスクカートリッジ２０３が矢印Ｄ７６０Ａ方向に挿入されると、第１の位置決め当接部７６２ｃは、左本体溝９４０ＡＬの末端に設けられた副溝部９４７Ｌｂに侵入し、左突出部９４７Ｌの頂部９４７Ｌａと当接する。第２のロック部材９６０が設けられた側も同様の状態となる。
【０２３９】
この状態では、第１の位置決め当接部７６２ｃが、左突出部９４７Ｌの頂部と当接し、挿入方向と直交する方向に関する位置決めを行うことが可能となる。このため、より高い位置精度を確保することが可能である。また同時に、副溝部９４７Ｌｂにおいて、ディスクカートリッジ２０３の厚み方向に溝の幅を狭くしておけば、第１の位置決め当接部７６２ｃが副溝部９４７Ｌｂに潜入することにより、ディスクカートリッジ２０３の厚み方向に関しても、副溝部９４７Ｌｂにおいて位置決めを行うことが可能である。
【０２４０】
このような位置決めは、ディスクカートリッジ２０３の挿入が完了する直前に行われる。このため、位置決め動作に入るまでのディスクカートリッジ２０３の挿入動作においては多少のズレに対する自由度を確保でき、挿入性を損ねることなく、最終的に確実な位置決めを行うことが可能となる。
【０２４１】
ディスクカートリッジ２０３の挿入方向の直交方向に関する位置決めを支持ベース部材の側面の左外形面９４９Ｌで行う場合、精度を確保するためには、部品精度として左外形面９４９Ｌの全面を高精度な面とする必要がある。これに対し、左突出部９４７Ｌの頂部９４７Ｌａを位置決めのために使用する場合と、頂部となる面だけを高精度な面とするだけで良い。このため支持ベース部材９４０を製造する際において、精度管理が必要な面が小さくなり、製造時の精度管理を容易にすることが可能となる。さらに、左突出部９４７Ｌの頂部９４７Ｌａの面は、突出した面であるため、例えば切削などにより最終的な仕上げを行うことが容易である。
【０２４２】
また、左突出部９４７Ｌは左本体溝９４０ＡＬの底面に対して非直交する方向ｎ傾斜した斜面９４７ＬＴを有しているため、左突出部９４７Ｌの頂部９４７Ｌａの面と第１の位置決め当接部７６２ｃとの当接は円滑に行われる。
【０２４３】
また、ディスク装置５００内におけるガタが除去されるため、特に携帯機器等で使用する場合などにおいては、機器に対する外部振動あるいは機器自体が発する内部振動などにより、ディスクカートリッジ２０３がディスク装置５００に対して振動して、振動音を発することを防止することに対しても有効である。
【０２４４】
また、図４１に示すように、非常に高度な精度を必要とする左突出部９４７Ｌの頂部９４７Ｌａは左本体溝９４０ＡＬ内にあり、溝から突出せず、左外形面９４９Ｌに防護されることにより、容易に外部と接触あるいは衝突することがない。このため、位置決めを行うための面に対する傷つきや変形を防止でき、精度を損なうことを回避することが可能となる。
【０２４５】
また、支持ベース部材９４０は、図３０に示すように上部支持ベース部材９４１および下部支持ベース部材９４２を接合させることにより構成される。この接合を例えば超音波溶着あるいは接着剤による接着などの方法を用いた場合、溶着の際に溶融してはみ出した材料が、ディスクカートリッジ２０３の左外形面９４９Ｌに突出してくることを防止することが可能であり、外観を損ねることを回避できる。
【０２４６】
図４２は、ディスクカートリッジ２０３が、対応するカートリッジケース６００に収納された状態を示す図である。カートリッジケース６００にディスクカートリッジ２０３を収納する場合にも、図４１を参照して説明したように、ディスクカートリッジ２０３のディスク装置５００に対する位置決めと同様の構造により、位置決めを行うことができる。図４２に示すように、左突出部９４７Ｌおよび右突出部９４７Ｒの頂上部９４７Ｌａ、９４７Ｒａに左幅位置決め部６１０Ｌおよび右幅位置決め部６１０Ｒを当接させることにより、カートリッジケース６００に収納された状態におけるディスクカートリッジ２０３の、挿入方向に直交する方向に関する位置決めを行うことが可能である。
【０２４７】
この場合においても、ディスクカートリッジ２０３はカートリッジケース６００の中で確実に位置決めがされ、また、当接面における摩擦力で、保持力を向上させることも可能である。また同時に、左位置決め部６１０Ｌおよび右位置決め部６１０Ｒは、副溝部９４７Ｌｂ、９４７Ｒｂに侵入するため、ディスクカートリッジ２０３の厚み方向についても位置決めを行うことが可能である。
【０２４８】
また、図４１および図４２に示すように、左本体溝９４０ＡＬおよび右本体溝９４０ＡＲ、あるいは、副溝部９４７Ｌｂ、９４７Ｒｂのディスクカートリッジ２０３をディスク装置に挿入する際に先端となる側と反対側は開放状態となっている。このためディスクカートリッジ２０３を図４３に示すようなカートリッジ立て８００に装着することができる。副溝部９４７Ｌｂおよび９４７Ｒｂが開放状態であると、図４３（ａ）に示すように開放部位にガイドリブ８５０および８６０を挿入させることが可能であり、これによりディスクカートリッジ２０３を厚み方向に拘束してガイドを行うことができる。
【０２４９】
ガイドリブ８５０、８６０によりガイドされた状態で、カートリッジ立て８００に対してディスクカートリッジ２０３をさらに矢印Ｄ８００方向に押し込むと、支持壁８３０、８４０が矢印Ｄ８１０方向および矢印Ｄ８２０方向にそれぞれ撓み、副溝部９４７Ｌｂ、９４７Ｒｂがガイドリブ８５０および８６０を通過し終えた後、支持壁８３０、８４０の撓みが開放される。これにより、図４３（ｂ）に示すようにディスクカートリッジ２０３がカートリッジ立てに把持される。
【０２５０】
この時、ガイドリブ８５０は、第１および第２の操作部９５２、９６２には干渉しないように構成されている。このようにして、ディスクカートリッジ２０３はカートリッジ立て８００に対して、収納されているディスク９１０の情報記録面に平行な面方向、および、ディスク９１０の中心軸に平行な方向に拘束された状態で軽く固定される。
【０２５１】
図４３に示したカートリッジ立て８００をさらに複数個並列に連結する場合には、図４４に示すように構成することが可能である。図４４に示すような場合においても、図４３で示す場合と同様、ディスクカートリッジ２０３は複数枚カートリッジ立て８０１に対してガイドリブ８５０および８６０によりディスク９１０の中心軸に平行な方向に対して拘束されている。このため、上部支持ベース部材９４１および下部支持ベース部材９４２の外観面９４１Ｐおよび９４２Ｐを支持しなくても、ディスクカートリッジ２０３は複数枚カートリッジ立て８０１に自立することができる。これにより、部材を介在させることなく複数のディスクカートリッジ２０３を並列させることが可能となり、全体の厚さを抑えることができる。
【０２５２】
なお、本実施形態においては、ディスクカートリッジ２０３の両側に第１および第２のロック部材９５０、９６０を設け、各々のロックに対して解除を行うための第１および第２のロック解除部７６２ａ、７６２ｂを設けている。しかし、第１および第２のディスク収納部９２０、９３０に設けられた連動部９２２Ｃ、９３２Ｃにより各ディスク収納部は連動する構成を備えているため、ロックを行うための部材は何れか一方でも、最低限のロック機能は果たすことが可能である。
【０２５３】
例えば図４５に示すように、第２のロック部材９６０を設けない場合においても、第１のロック部材９５０により第１のディスク収納部９２０の回動を拘束し、また第２のディスク収納部９３０は連動部９３２Ｃが連動部９２２Ｃに係合することで拘束される。この場合においても、カートリッジホルダ７６０に第１のロック解除部と７６２ａ対称形状の第２のロック解除部７６２ｂを設け、図４５に示す寸法Ｂ１１と寸法Ｂ１２をＢ１１＜Ｂ１２となるようにすれば、上記と同様、ディスクカートリッジ２０３の逆方向からの挿入や、ディスク装置５００への過度な量の挿入を回避するという効果を得ることが可能である。
【０２５４】
また、本実施形態においては、左突出部９４７Ｌおよび右突出部９４７Ｒをディスクカートリッジ２０３の両側に設けている。しかし、上記の最低限の機能を得るためには、何れか一方でもディスクカートリッジ２０３の逆方向からの挿入や、ディスク装置５００への過度な量の挿入を回避することは可能である。上記のように、ロックを行うための部材を何れか一方とした場合においては、左本体溝９４０ＡＬあるいは右本体溝９４０ＡＲのうち、ロック部材の設けられていない側の溝は設ける必要はない。
【０２５５】
また、上記のように、ロックを行うための部材を何れか一方とし、かつ、ロック部材の設けられない側に溝を設けない場合においては、これに対応する第１のロック解除部７６２ａあるいは第２のロック解除部７６２ｂをカートリッジホルダ７６０に設ける必要はない。
【０２５６】
例えば、図４６に示すように、ディスクカートリッジ２０３に第２のロック部材９６０を設けず、これに伴い、右本体溝９４７Ｒおよび右突出部９４０ＡＲを設けないで、右壁９４０ＢＲを封鎖する構造を採用する場合、カートリッジホルダ７６０には第２のロック解除部７６２ｂを設けず、右ガイド壁７６２ｃだけを設ければよい。この場合、第１のロック解除部７６２ａと右ガイド壁７６２ｃとの間隔をＢ１１、左突出部９４７Ｌの最頂部と右壁９４０ＢＲの外殻との間隔をＢ１２とすると、Ｂ２１＜Ｂ２２という寸法条件であれば、上記と同様の効果を得ることが可能である。図４６に示すように、第２のロック解除部７６２ｂが設けられない場合には、第１の位置決め当接部７６２ｃに相当する部位は設ける必要はない。
【０２５７】
以上説明したように、本発明のディスクカートリッジによれば、カートリッジ外形を規定していた従来のハウジングをなくし、カートリッジ外形を規定し、かつシャッタ機能も有する一対のディスク収納部を備える。
【０２５８】
一対のディスク収納部は、開放することにより、従来のシャッタ付きのディスクカートリッジの開口部に必要であったシャッタの移動ガイドを行うブリッジ部が存在しない大きな開口部を構成できる。したがって、小型カートリッジにおいても大型カートリッジと同等の開口部を設けることができ、ヘッドの設計自由度の向上を図ることができる。
【０２５９】
また、ディスク収納部は、カートリッジ外形を規定するハウジング機能を兼ね備えたシャッタ構造であることから、従来のシャッタに比べ、厚み配分を大きくして剛性を高めることができる。したがって、落下衝撃や誤って踏まれた場合においても、情報が入ったディスクを外乱から完全に防御できる安全性が高いシャッタの機能を実現することができる。
【０２６０】
また、ディスク収納部の開放量を制限し、閉塞時にはディスク収納部の回転をロックする機能を兼ね備えたロックユニットを、ディスク収納部および支持ベース部材とからなる支持ベース部材の組立完了後に組み込むことができる。このため、支持ベース部材を組み立てた状態では、ディスク収納部をディスクが取り出し可能な位置まで開放することができる。したがって、支持ベース部材までの組立が完了した後にディスクを挿入し、さらにロックユニットを支持ベース部材の挿入口から挿入して、最終的なディスクカートリッジの組立を完了することができる。これにより、ディスクの製造とディスクカートリッジの組立工程を完全に分離することができる。その結果、工法および検査方法などに大きな差があるディスクの製造とディスクカートリッジの組立工程を別々の場所で行うディスクカートリッジの製造方法が実現し、製造工程の自由度を高くするとともに製造コストを大幅に削減することができる。
【０２６１】
また、ロックユニットを挿入口から挿入することにより、ディスク収納部の閉塞時には、ディスク収納部の回転のロックを行い、ディスク収納部の開放時には、ディスク収納部の開放量を制限し、ディスクカートリッジからのディスク取り出しを防止できる。
【０２６２】
また、ロックレバー部とロックレバー支持部を一体的に構成することにより、部品点数の大幅な削減ができ、さらに、組立工数を削減することができるので、ディスクカートリッジの低コスト化を図ることができる。
【０２６３】
また、外部からディスクカートリッジの位置決めを行うために、支持ベース部材に設けられた位置決め穴を覆うカバー部をロックユニットに設けることにより、ロックユニットを挿入することで、外部から位置決め穴を通過して埃が進入するのを防止し、ディスクカートリッジの防塵性の向上を図ることができる。
【０２６４】
また、ロックユニットを挿入口から支持ベース部材に挿入する際、ロックレバー部またはロックレバー支持部が、ディスク収納部の一部と当接しながら、ディスク収納部を閉塞させるため、ディスク収納部の開放状態には関係なくロックユニットを支持ベース部材に挿入することができる。これにより、ディスクカートリッジ組立時の作業ミスを低減することができ、さらに、ロックユニットの挿入動作でディスク収納部が閉塞するため、ディスクカートリッジの組立工数を削減することができる。よって、ディスクカートリッジの低コスト化を図ることができる。
【０２６５】
また、ロックユニットを支持ベース部材に挿入した状態において、ロックユニットのロックレバー支持部に、支持ベース部材の両側面部に設けられた第１の係止部と係合する一対の第１の保持部および支持ベース部材の中央部に設けられた第２の係止部と係合する第２の保持部を構成することにより、ロックユニットを支持ベース部材に挿入した際の保持力の向上を図ることができる。また、ロックレバー支持部は、ロックレバーの回転軸近傍および弾性部の端部近傍をそれぞれ第１および第２の保持部と支持ベース部材の係合により強固に保持されているので、外部からロックレバーを操作する外力に対してロックユニット全体が弾性変形することなく、ロックレバーは安定して動作することができる。
【０２６６】
また、ロックユニットを弾性部材で構成し、さらにロックレバー支持部の本体に補強リブ等を設けず弾性変形しやすい形状で構成することより、ロックユニットを支持ベース部材に挿入する際、ロックユニットのロックレバー支持部が弾性変形する。このため、ロックレバー支持部に設けられた第１および第２の保持部が支持ベース部材に設けられた第１および第２の係止部と係合することができる。また、ロックユニットを挿入する際、ロックユニット全体が撓むために、挿入口の両側面部に設けられた第１の保持部と挿入口の中央部に設けられた第２の保持部が別々に支持ベース部材と係合することができる。したがって、ロックユニットを挿入する際に、第１および第２の保持部に対して、同時に支持ベース部材と係合する際の力が作用しない。このため、ロックレバー支持部の挿入時における挿入力を低減することができ、さらには、ディスクカートリッジの組立性の向上を図ることができる。
【０２６７】
また、ロックユニットが挿入されていないディスク収納部および支持ベース部材とからなるディスクカートリッジでも、ディスク装置に装填可能であるので、ディスク装置の検査工程や例えばゲームソフト開発などで、頻繁にディスクの交換が必要となる製造／開発工程にこのようなロック部材のないディスクカートリッジを使用することができる。これにより、製造および開発を行うための専用冶具を製作することなく、実製品で代用ができるので、製造および開発費の削減を図ることができる。
【０２６８】
また、本発明のディスクカートリッジによれば、ディスク装置に対する正規の挿入方向と逆方向に挿入することを防止することが可能となる。このため、逆挿入が行われることにより、ディスク装置に設けられたロック解除部が、ディスク収納部の閉塞状態を拘束するためのロック部材を解除するためのロック操作部に到達し、ディスク側が装置から突出した状態でディスク収納部が開放してしまうのを防止することができる。
【０２６９】
また、ディスクカートリッジをディスク装置に挿入した際に、過度に挿入することにより、ディスクカートリッジ、ディスク、およびディスク装置内のデバイスなどに損傷を与えることを防止することが可能となる。
【０２７０】
また、副溝部が主溝の末端部に設けられることにより、ディスクカートリッジの外形寸法を小さく構成することが可能となる。
【０２７１】
また、末端部がディスク収納部の開放動作を妨げないため、ディスクカートリッジの挿入動作に支障をきたすことを防止することが可能となる。
【０２７２】
また、主溝の底面と副溝の底面を結ぶ面をテーパ面とすることにより、ディスクカートリッジをディスク装置に挿入した後に、ロック解除部がディスクカートリッジとの干渉箇所を有効に回避することが可能となり、ディスクカートリッジおよびディスク装置の寸法を小さく構成することが可能となる。
【０２７３】
また、ロック部材、主溝および副溝をディスクカートリッジの片側だけに設ける構成とすることにより、構成を簡略化することが可能となる。
【０２７４】
また、主溝および副溝をディスクカートリッジの両側に設け、ロック部材を片側だけに設ける構成とすることにより、ディスクの誤挿入の防止を確実に行いつつ、部品点数を削減することが可能となる。
【０２７５】
また、ロック部材、主溝および副溝をディスクカートリッジの両側に設ける構成とすることにより、ディスクカートリッジの誤挿入を確実に行い、さらにディスク収納部の閉塞状態の拘束も確実に行うことが可能となる。
【０２７６】
また、ロック部材をロック解除状態から復帰させる付勢力を与える付勢部材を設けることにより、外部よりロック部材を復帰させるための操作を行う必要がない。
【０２７７】
また、ディスク収納部が開放した後にはロック部材を、付勢部材にストレスの加わったロック解除状態から復帰させることができる構成とすることにより、付勢部へのストレスを解放することが可能となり、付勢部への負担を軽減することが可能となる。
【０２７８】
また、ロック部材と付勢部材を一体的に構成することにより、部品点数および組立工数を削減することが可能となる。
【０２７９】
また、ロック部材を樹脂材料で構成することにより、部品コストを削減することが可能となる。
【０２８０】
また、簡便な構成でディスクカートリッジの誤挿入を防止することが可能となる。
【０２８１】
また、ロック解除部が主溝内を通過してロックを解除する構成とすることにより、ディスク装置の外形寸法を小さく構成することが可能となる。
【０２８２】
また、ロック解除部をロック部材の設けられた側に１カ所だけ設けられることにより、構成を簡便にすることが可能となる。
【０２８３】
また、ロック解除部と反対側の壁との間隔を、ディスクカートリッジの副溝と反対側の外形面との寸法より狭く構成することにより、確実にディスクカートリッジの誤挿入を防止することが可能となる。
【０２８４】
また、ロック解除部を、ロック部材の設けられている両側に設けることにより、より確実にディスクカートリッジの誤挿入を防止することが可能となる。
【０２８５】
また、両側に設けられたロック解除部の間隔を、ディスクカートリッジに設けられた副溝の溝底の間隔よりも狭くすることにより、より確実にディスクカートリッジの誤挿入を防止することが可能となる。
【０２８６】
また、ロック解除部が、テーパ面を有するリブ形状であることにより、ディスクカートリッジが挿入された際に、有効に副溝部およびロック操作部を回避することが可能であり、回避できた分だけディスクカートリッジあるいはディスク装置の外形寸法を小さく構成することが可能となる。
【０２８７】
また、ディスクカートリッジが正規に挿入された際に、ディスク収納部の開放後にロック解除部がロック部材の復帰を妨害しないため、ロック部材がクリープ変形することを防止することが可能となる。
【産業上の利用可能性】
【０２８８】
本発明は、ディスクへの記録方式には依存せず、光ディスクのみならず、磁気や光磁気など他の記録方式のディスク状記録媒体を収納するディスクカートリッジに好適に用いられ、特に小型のディスク状記録媒体を収納したディスクカートリッジに好適に用いられる。
【図面の簡単な説明】
【０２８９】
【図１】本発明のディスクカートリッジの第１の実施形態全体の表面側を示す斜視図であり、（ａ）はディスク収納部が閉塞した状態を示し、（ｂ）はディスク収納部が開放した状態を示している。
【図２】本発明のディスクカートリッジの第１の実施形態全体の裏面側を示す斜視図であり、（ａ）はディスク収納部が閉塞した状態を示し、（ｂ）はディスク収納部が開放した状態を示している。
【図３】本発明のディスクカートリッジの第１の実施形態の構造を示す分解斜視図である。
【図４】本発明のディスクカートリッジの第１の実施形態におけるロック部材と支持ベース部材の構造を示す斜視図であり、（ａ）は下部支持ベース部材を示し、（ｂ）は上部支持ベース部材を示している。
【図５】本発明のディスクカートリッジの第１の実施形態におけるロック部材の構造を示す平面図で、（ａ）は支持ベース部材へ組み込む前の状態を示し、（ｂ）は支持ベース部材へ組み込んだ後の状態を示し、（ｃ）はロックレバー部の回動時の状態を示している。
【図６】本発明のディスクカートリッジの第１の実施形態部分断面図で、（ａ）はディスク収納部が閉塞した状態を示し、（ｂ）はディスク収納部が開放した状態を示している。
【図７】本発明のディスクカートリッジの第１の実施形態部分断面図で、（ａ）は第２のロックレバー部のみをロック解除した状態を示し、（ｂ）は第１および第２のロックレバー部を同時にロック解除した状態を示している。
【図８】本発明のディスクカートリッジの第１の実施形態におけるディスク挿入とロック部材の組立動作状態を示す斜視図である。
【図９】本発明のディスクカートリッジの第１の実施形態における組立動作中の一状態を示す部分断面図である。
【図１０】本発明のディスクカートリッジの第１の実施形態における組立動作中の一状態を示す部分断面図である。
【図１１】本発明のディスクカートリッジの第１の実施形態における組立動作中の一状態を示す部分断面図である。
【図１２】本発明のディスクカートリッジの第１の実施形態における組立動作中の一状態を示す部分断面図である。
【図１３】本発明のディスクカートリッジの第１の実施形態における組立動作中の一状態を示す部分断面図である。
【図１４】本発明のディスクカートリッジの第１の実施形態における組立動作中の一状態で、ディスク収納部が開放した状態から、ロック部材を挿入した場合の部分断面図である。
【図１５】本発明のディスクカートリッジの第１の実施形態の組立装置の一例を示し、組立動作中の一状態を示す部分断面斜視図である。
【図１６】本発明のディスクカートリッジの第１の実施形態の組立装置の一例を示し、組立動作中の一状態を示す部分断面斜視図である。
【図１７】本発明のディスクカートリッジの第１の実施形態の組立装置の一例を示し、組立動作中の一状態を示す部分断面斜視図である。
【図１８】（ａ）および（ｂ）はそれぞれ本発明のディスクカートリッジの第１の実施形態におけるロック部材の別の構成を示す平面図である。
【図１９】本発明のディスクカートリッジの第２の実施形態の構成を示す分解斜視図である。
【図２０】本発明のディスクカートリッジの第２の実施形態におけるロックレバーユニットと支持ベース部材の構成を示す斜視図であり、（ａ）は下部支持ベース部材を示し、（ｂ）は上部支持ベース部材を示している。
【図２１】本発明のディスクカートリッジの第２の実施形態におけるロック部材へ第１および第２ロックレバー部を組み込む動作状態を示す平面図で、（ａ）はロックレバー部を組み込む前の状態を示し、（ｂ）はロックレバー部を組み込む途中の状態を示し、（ｃ）はロックレバー部を組み込んだ後の状態を示している。
【図２２】本発明のディスクカートリッジの第２の実施形態におけるディスク挿入とロックレバーユニットの組立動作状態を示す斜視図である。
【図２３】本発明のディスクカートリッジの第２の実施形態における組立動作中の一状態を示す部分断面図である。
【図２４】本発明のディスクカートリッジの第２の実施形態における組立動作中の一状態を示す部分断面図である。
【図２５】本発明のディスクカートリッジの第２の実施形態における組立動作中の一状態を示す部分断面図である。
【図２６】本発明のディスクカートリッジの第２の実施形態における組立動作中の一状態を示す部分断面図である。
【図２７】本発明のディスクカートリッジの第２の実施形態における組立動作中の一状態を示す部分断面図である。
【図２８】本発明のディスクカートリッジの第２の実施形態における組立動作中の一状態で、ディスク収納部が開放した状態から、ロック部材を挿入した場合の部分断面図である。
【図２９】本発明のディスクカートリッジの第３の実施形態の構成を示す分解斜視図であり、（ａ）はディスク収納部が閉塞した状態を示し、（ｂ）はディスク収納部が開放した状態を示している。
【図３０】本発明のディスクカートリッジの第３の実施形態の内部の構造を示す分解斜視図である。
【図３１】本発明のディスクカートリッジの第３の実施形態の全体構成の裏面から見た斜視図であり、（ａ）はディスク収納部が閉塞した状態を示し、（ｂ）はディスク収納部が開放した状態を示している。
【図３２】（ａ）および（ｂ）は、それぞれ第３の実施形態のディスクカートリッジの第１および第２のロック部材近傍の構造を拡大して示す図である。
【図３３】第３の実施形態のディスクカートリッジをディスク装置に装填する前の状態を示す斜視図である。
【図３４】第３の実施形態のディスクカートリッジがディスク装置に挿入される際の動作を示す図である。
【図３５】第３の実施形態のディスクカートリッジがディスク装置に挿入される際の動作を示す図である。
【図３６】第３の実施形態のディスクカートリッジがディスク装置に挿入される際の動作を示す図である。
【図３７】（ａ）および（ｂ）は第３の実施形態において、ロック部材を解除する機能に関連するディスクホルダおよびディスクカートリッジの寸法を示す図である。
【図３８】第３の実施形態のディスクカートリッジが逆方きでディスク装置に挿入される際の動作を示す図である。
【図３９】第３の実施形態のディスクカートリッジにおいて、第１および第２のロック解除部と左本体溝および右本体溝との当接による位置決めを説明する図である。
【図４０】第３の実施形態のディスクカートリッジにおいて、第１および第２のロック解除部と左本体溝および右本体溝との当接による位置決めを説明する図である。
【図４１】第３の実施形態のディスクカートリッジの幅方向位置決め形状を示す図である。
【図４２】第３の実施形態のディスクカートリッジをカートリッジケースに挿入した状態を示す図である。
【図４３】（ａ）および（ｂ）は、第３の実施形態のディスクカートリッジをカートリッジ立てに装着する様子を説明する図である。
【図４４】第３の実施形態のディスクカートリッジを複数枚カートリッジ立てに装着した状態を示す図である。
【図４５】（ａ）および（ｂ）は、第３の実施形態のディスクカートリッジの別の形態において、逆方向からの挿入を防止するためのディスクホルダおよびディスクカートリッジの寸法関係を示す図である。
【図４６】（ａ）および（ｂ）は、第３の実施形態のディスクカートリッジの別の形態において、逆方向からの挿入を防止するためのディスクホルダおよびディスクカートリッジの寸法関係を示す図である。
【図４７】従来のディスクカートリッジを示す斜視図である。
【図４８】従来のディスクカートリッジを従来のディスク装置に挿入する際におけるシャッタの開放動作を示す図である。
【符号の説明】
【０２９０】
１０、９１０    ディスク
２０１、２０１’２０２、２０２’、２０３、    ディスクカートリッジ
２０５    支持ベース部材
２１０    上部支持ベース部材
２２０    下部支持ベース部材
２３０    ディスク収納部
２３０ｗ    開口部
２３１    第１のディスク収納部
２３２    第２のディスク収納部
２４１    第１のロックレバー部
２４２    第２のロックレバー部
２５０    ロックレバー支持部
２５３    ロック部材
５００    ディスク装置
７２０    トラバースベース
７２０ａ    回動中心孔
７２０ｂ    回動中心孔
７２１    位置決めピン
７２１ａ    座面
７２２    位置決めピン
７２２ａ    座面
７３０    スピンドルモータ
７３０ａ    ターンテーブル
７４０    光ヘッド
７４１    第１のガイド軸
７４２    第２のガイド軸
７６０    カートリッジホルダ
７６０ａ    回転支軸
７６０ｂ    回転支軸
７６１ａ    ガイド壁
７６１ｂ    ガイド壁
７６２ａ    第１のロック解除部
７６２ｂ    第２のロック解除部
７６２ｃ    第１の位置決め当接部
７６３ａ    逃げ穴
７６３ｂ    逃げ穴
７８１    軸付きビス
７８２    軸付きビス
８００    カートリッジ立て
８０１    複数枚カートリッジ立て
８３０    支持壁
８４０    支持壁
８５０    ガイドリブ
８６０    ガイドリブ
８５１    第１の開閉レバー
８５１ａ    回動中心穴
８５１ｃ    係合部
８５２    第２の開閉レバー
８５２ａ    回動中心穴
８５２ｃ    係合部
８５３    第１のレバー付勢バネ
８５４    第２のレバー付勢バネ
９００Ａ    開口部
９２０    第１のディスク収納部
９２０Ａ    第１の収納部溝
９２１    第１のディスク収納部上体
９２２    第１のディスク収納部下体
９２２Ａ    回動中心穴
９２２Ｂ    切り欠き部
９２２Ｃ    連動部
９２２Ｄ    第１の係止部
９３０    第２のディスク収納部
９３０Ａ    第２の収納部溝
９３１    第２のディスク収納部上体
９３２    第２のディスク収納部下体
９３２Ａ    回動中心穴
９３２Ｂ    切り欠き部
９３２Ｃ    連動部
９３２Ｄ    第２の係止部
９４０    カートリッジ本体
９４０ＡＬ    左本体溝
９４０ＡＲ    右本体溝
９４０ＢＲ    右壁
９４０ＣＬ    第１の位置決め穴
９４０ＣＲ    第２の位置決め穴
９４０ＤＬ    第１の切り欠き部
９４０ＤＲ    第２の切り欠き部
９４１    上部カートリッジ本体
９４２    下部カートリッジ本体
９４２Ａ    第１の回転支軸
９４２Ｂ    第２の回転支軸
９４２Ｃ    第１の回動支軸
９４２Ｄ    第２の回動支軸
９４７Ｌ    左突出部
９４７Ｌａ    副溝面
９４７Ｌｂ    副溝部
９４７Ｒ    右突出部
９４７Ｒｂ    副溝部
９４９Ｌ    左外形面
９５０    第１のロック部材
９５１    第１のロック回動中心穴
９５２    第１のロック操作部
９５３    係止レバー部
９５４    第１の弾性部
９６０    第２のロック部材
９６１    第２のロック回動中心穴
９６２    第２のロック操作部
９６３    係止レバー部
９６４    第２の弾性部
【手続補正３】
【補正対象書類名】図面
【補正対象項目名】全図
【補正方法】変更
【補正の内容】
【図１】
2008044743.tif 000051
【図２】
2008044743.tif 000052
【図３】
2008044743.tif 000053
【図４】
2008044743.tif 000054
【図５】
2008044743.tif 000055
【図６】
2008044743.tif 000056
【図７】
2008044743.tif 000057
【図８】
2008044743.tif 000058
【図９】
2008044743.tif 000059
【図１０】
2008044743.tif 000060
【図１１】
2008044743.tif 000061
【図１２】
2008044743.tif 000062
【図１３】
2008044743.tif 000063
【図１４】
2008044743.tif 000064
【図１５】
2008044743.tif 000065
【図１６】
2008044743.tif 000066
【図１７】
2008044743.tif 000067
【図１８】
2008044743.tif 000068
【図１９】
2008044743.tif 000069
【図２０】
2008044743.tif 000070
【図２１】
2008044743.tif 000071
【図２２】
2008044743.tif 000072
【図２３】
2008044743.tif 000073
【図２４】
2008044743.tif 000074
【図２５】
2008044743.tif 000075
【図２６】
2008044743.tif 000076
【図２７】
2008044743.tif 000077
【図２８】
2008044743.tif 000078
【図２９】
2008044743.tif 000079
【図３０】
2008044743.tif 000080
【図３１】
2008044743.tif 000081
【図３２】
2008044743.tif 000082
【図３３】
2008044743.tif 000083
【図３４】
2008044743.tif 000084
【図３５】
2008044743.tif 000085
【図３６】
2008044743.tif 000086
【図３７】
2008044743.tif 000087
【図３８】
2008044743.tif 000088
【図３９】
2008044743.tif 000089
【図４０】
2008044743.tif 000090
【図４１】
2008044743.tif 000091
【図４２】
2008044743.tif 000092
【図４３】
2008044743.tif 000093
【図４４】
2008044743.tif 000094
【図４５】
2008044743.tif 000095
【図４６】
2008044743.tif 000096
【図４７】
2008044743.tif 000097
【図４８】
2008044743.tif 000098
【国際調査報告】
2008044743.tif 000099
2008044743.tif 000100
2008044743.tif 000101
2008044743.tif 000102